(57)【要約】      （修正有）【課題】メンテナンス性を向上させることができる遊技台を提供する。【解決手段】遊技盤２００を取り付け可能な本体１０４と、本体に設けられた第一の接続手段１０４ａ２と、第三の接続手段１０４ａ１を備えた遊技台１００であって、遊技盤の裏面には、第二の接続手段２００ａ２と第四の接続手段２００ａ１が設けられており、第一の接続手段と第二の接続手段、及び第三の接続手段と第四の接続手段は、電気的に接続可能に構成され、第一の接続手段及び第二の接続手段及び、第三の接続手段及び第四の接続手段のうちの少なくとも一方の接続手段は、フローティングコネクタである。【選択図】図９
2014140574.tif 000002
【特許請求の範囲】
【請求項１】
遊技盤を取り付け可能な本体と、
前記本体に設けられた第一の接続手段と、
前記本体に設けられた第三の接続手段と、
を備えた遊技台であって、
前記遊技盤の裏面には、部品が設けられており、
前記遊技盤の裏面には、第二の接続手段が設けられており、
前記遊技盤の裏面には、第四の接続手段が設けられており、
前記第一の接続手段と前記第二の接続手段は、電気的に接続可能に少なくとも構成され、
前記第三の接続手段と前記第四の接続手段は、電気的に接続可能に少なくとも構成され、
前記第一の接続手段および第二の接続手段のうちの少なくとも一方の接続手段は、フローティングコネクタであり、
前記第三の接続手段および第四の接続手段のうちの少なくとも一方の接続手段は、フローティングコネクタであり、
前記本体に前記遊技盤が取り付けられた状態において、前記第二の接続手段における最も後方に位置している部位は、第一の部位であり、
前記本体に前記遊技盤が取り付けられた状態において、前記第四の接続手段における最も後方に位置している部位は、第二の部位であり、
前記本体に前記遊技盤が取り付けられた状態において、前記部品における最も後方に位置している部位は、第三の部位であり、
前記本体に前記遊技盤が取り付けられた状態において、前記第二の部位は、少なくとも前記第一の部位よりも後方に位置し、
前記本体に前記遊技盤が取り付けられた状態において、前記第三の部位は、少なくとも前記第二の部位よりも後方に位置している、
ことを特徴とする遊技台。
【請求項２】
請求項１に記載の遊技台において、
前記第一の接続手段は、第一のコネクタと、第一の取付手段から少なくとも構成され、
前記第二の接続手段は、第二のコネクタと、第二の取付手段から少なくとも構成され、
前記第三の接続手段は、第三のコネクタと、第三の取付手段から少なくとも構成され、
前記第四の接続手段は、第四のコネクタと、第四の取付手段から少なくとも構成され、
前記第一のコネクタおよび第二のコネクタのうちの少なくとも一方のコネクタは、前記フローティングコネクタであり、
前記第三のコネクタおよび第四のコネクタのうちの少なくとも一方のコネクタは、前記フローティングコネクタである、
ことを特徴とする遊技台。
【請求項３】
請求項１または２に記載の遊技台において、
前記部品は、複数の部品から構成されている、
ことを特徴とする遊技台。
【請求項４】
請求項２または３に記載の遊技台において、
前記第二のコネクタにおける前記第二の取付手段と少なくとも接触可能な部位は、第四の部位であり、
前記第四のコネクタにおける前記第四の取付手段と少なくとも接触可能な部位は、第五の部位であり、
前記第四の部位から前記第一の部位までの高さは、第一の高さであり、
前記第五の部位から前記第二の部位までの高さは、第二の高さであり、
前記第一の高さは、前記第二の高さと同じである、
ことを特徴とする遊技台。
【請求項５】
請求項２または４に記載の遊技台において、
前記第二のコネクタにおける前記第二の取付手段と少なくとも接触可能な部位は、第四の部位であり、
前記第四のコネクタにおける前記第四の取付手段と少なくとも接触可能な部位は、第五の部位であり、
前記遊技盤における前記第二の取付手段と少なくとも接触可能な部位は、第六の部位であり、
前記遊技盤における前記第四の取付手段と少なくとも接触可能な部位は、第七の部位であり、
前記第四の部位は、前記第六の部位に対して第一の角度で形成されており、
前記第五の部位は、前記第七の部位に対して第二の角度で形成されている、
ことを特徴とする遊技台。
【発明の詳細な説明】
【技術分野】
【０００１】
本発明は、ぱちんこ機やスロットマシン（パチスロ機）、封入式遊技機に代表される遊技台に関する。
【背景技術】
【０００２】
従来、ぱちんこ機などの遊技台では、遊技盤の遊技領域に、遊技球が入賞可能な始動口と、複数個の図柄を変動表示可能な図柄表示部を備え、始動口に遊技球が入賞すると、図柄表示部の図柄を所定時間変動して、変動後の図柄が予め定めた特定図柄の組み合わせである特定態様になった場合に、可変入賞手段を所定時間開放させる等、遊技者に有利な遊技状態を発生させるようにしている。
【０００３】
特許文献１では、遊技機において、制御基板同士をハーネスで接続する構成を開示している。
【先行技術文献】
【特許文献】
【０００４】
【特許文献１】特開２０１０−１１０４１０号公報
【発明の概要】
【発明が解決しようとする課題】
【０００５】
ところで、特許文献１に記載のような遊技台においては、ハーネスを用いた複雑な配線を行っていたが、複雑な配線を減らすことによりメンテナンス性を向上させてほしいといった要望が高まっている。
【０００６】
また、コネクタの取り付けや取り外しを容易にすることにより、メンテナンス性を向上させて欲しいといった要望も高まっている。
【０００７】
本発明の目的は、メンテナンス性を向上させることができる遊技台を提供することにある。
【課題を解決するための手段】
【０００８】
本発明は上記の目的を達成するために、遊技盤を取り付け可能な本体と、前記本体に設けられた第一の接続手段と、前記本体に設けられた第三の接続手段と、を備えた遊技台であって、前記遊技盤の裏面には、部品が設けられており、前記遊技盤の裏面には、第二の接続手段が設けられており、前記遊技盤の裏面には、第四の接続手段が設けられており、前記第一の接続手段と前記第二の接続手段は、電気的に接続可能に少なくとも構成され、前記第三の接続手段と前記第四の接続手段は、電気的に接続可能に少なくとも構成され、前記第一の接続手段および第二の接続手段のうちの少なくとも一方の接続手段は、フローティングコネクタであり、前記第三の接続手段および第四の接続手段のうちの少なくとも一方の接続手段は、フローティングコネクタであり、前記本体に前記遊技盤が取り付けられた状態において、前記第二の接続手段における最も後方に位置している部位は、第一の部位であり、前記本体に前記遊技盤が取り付けられた状態において、前記第四の接続手段における最も後方に位置している部位は、第二の部位であり、前記本体に前記遊技盤が取り付けられた状態において、前記部品における最も後方に位置している部位は、第三の部位であり、前記本体に前記遊技盤が取り付けられた状態において、前記第二の部位は、少なくとも前記第一の部位よりも後方に位置し、前記本体に前記遊技盤が取り付けられた状態において、前記第三の部位は、少なくとも前記第二の部位よりも後方に位置している、ことを特徴とする。
【発明の効果】
【０００９】
本発明によれば、メンテナンス性を向上させた遊技台を提供することができる。
【図面の簡単な説明】
【００１０】
【図１】ぱちんこ機１００を正面側（遊技者側）から見た外観斜視図である。
【図２】図１のぱちんこ機１００を背面側から見た外観図である。
【図３】遊技盤２００を正面から見た略示正面図である。
【図４】本発明に係るコネクタ接続の構成の第１の実施例を示す斜視図である。
【図５】（ａ）は、図４に示したコネクタ接続の構成を上方から見た平面図であり、（ｂ）は、（ａ）に示したＡ−Ａ断面図である。
【図６】本発明に係るコネクタ接続の構成の第２の実施例を示す斜視図であり、ぱちんこ機１００の遊技盤２００を開いた状態を示す図である。
【図７】図６のぱちんこ機１００の遊技盤２００を閉じた状態の正面図である。
【図８】図７のＢ−Ｂ断面図であり、（ａ）は遊技盤２００を取り外した状態を示す図であり、（ｂ）は遊技盤２００の一端を、遊技盤２００を回転支持する本体１０４の支持部１０４ｄに取り付け、遊技盤２００を開いた状態を示す図であり、（ｃ）は遊技盤２００を閉じ、遊技盤２００を本体１０４の収容部１０４ｅに収容した状態を示す図である。
【図９】本発明に係るコネクタ接続の構成の第３の実施例を示す図であって、図８の断面図に相当する図であり、（ａ）は遊技盤２００の一端を、遊技盤２００を回転支持する本体１０４の支持部１０４ｄに取り付け、遊技盤２００を開いた状態を示す図であり、（ｂ）は遊技盤２００を閉じ、遊技盤２００を本体１０４の収容部１０４ｅに収容した状態を示す図である。
【図１０】図９のコネクタ部分を拡大して示す図である。
【図１１】本発明に係るコネクタ接続の構成の第４の実施例を示す斜視図であり、ぱちんこ機１００の遊技盤２００を開いた状態を示す図である。
【図１２】図１１のぱちんこ機１００の遊技盤２００を閉じた状態の正面図である。
【図１３】図１２のＣ−Ｃ断面図であり、（ａ）は遊技盤２００の一端を、遊技盤２００を回転支持する本体１０４の支持部１０４ｄに取り付け、遊技盤２００を開いた状態を示す図であり、（ｂ）は遊技盤２００を閉じ、遊技盤２００を本体１０４の収容部１０４ｅに収容した状態を示す図である。
【図１４】（ａ）は、図１１のぱちんこ機１００の遊技盤２００を外した本体１０４の正面図であり、（ｂ）は、図１１のぱちんこ機１００の本体１０４から外した遊技盤２００の背面図であり、（ｃ）は、（ｂ）に示した一転鎖線の円Ｄで囲った箇所を拡大して示す図である。
【図１５】本発明に係るコネクタ接続の構成の第５の実施例を示す斜視図であり、ぱちんこ機１００の遊技盤２００を開いた状態を示す図である。
【図１６】図１５のぱちんこ機１００の遊技盤２００を閉じた状態の正面図である。
【図１７】図１６のＥ−Ｅ断面図であり、（ａ）は遊技盤２００の一端を、遊技盤２００を回転支持する本体１０４の支持部１０４ｄに取り付け、遊技盤２００を開いた状態を示す図であり、（ｂ）は遊技盤２００を閉じ初め、遊技盤２００のコネクタと本体１０４のコネクタとが接した状態を示す図であり、（ｃ）は遊技盤２００を閉じ、遊技盤２００を本体１０４の収容部１０４ｅに収容した状態を示す図である。
【図１８】図１５のぱちんこ機１００におけるコネクタの配置の別の例を示す図であって、（ａ）は、図１５のぱちんこ機１００の遊技盤２００を外した本体１０４の正面図であり、（ｂ）は、図１５のぱちんこ機１００の本体１０４から外した遊技盤２００の背面図である。
【図１９】図１５のぱちんこ機１００におけるコネクタの配置の別の例を示す図であって、（ａ）は、図１５のぱちんこ機１００の遊技盤２００を外した本体１０４の正面図であり、（ｂ）は、図１５のぱちんこ機１００の本体１０４から外した遊技盤２００の背面図である。
【図２０】本発明に係るぱちんこ機１００の具体的構成の一例を示す正面図である。
【図２１】図２０に示したぱちんこ機１００を示す図であり、（ａ）はぱちんこ機１００における、前面枠扉１０６を開いて遊技盤２００を取り外した状態の本体１０４を示す図であり、（ｂ）は遊技盤２００の背面図である。
【図２２】図２１に示した遊技盤２００を本体１０４に収容する様子を示す図であって、（ａ）は遊技盤２００の一端を、遊技盤２００を回転支持する本体１０４の支持部１０４ｄに取り付け、遊技盤２００を開いた状態を示す図であり、（ｂ）は遊技盤２００を閉じ、遊技盤２００を本体１０４の収容部１０４ｅに収容した状態を示す図である。
【図２３】図２２に示した支持部１０４ｄの近傍を示す斜視図である。
【図２４】本体１０４側のコネクタと遊技盤２００側のコネクタの詳細を示す斜視図であり、（ａ）は遊技盤２００側のコネクタの周辺構成を分解した状態を示す図であり、（ｂ）は遊技盤２００側のコネクタの周辺構成を組み立てた状態を示す図である。
【図２５】（ａ）は図２４（ａ）の背面斜視図であり、（ｂ）は図２４（ｂ）の背面斜視図である。
【図２６】本体１０４に取り付ける遊技盤固定具８００の詳細を示す図であり、（ａ）は遊技盤固定具８００の開口を下に向けた状態を示す斜視図であり、（ｂ）は遊技盤固定具８００の作動レバー部８０２の面側から見た正面図である。
【図２７】図２６に示した遊技盤固定具８００の分解斜視図である。
【図２８】遊技盤２００を本体１０４に収容し、遊技盤固定具８００によって固定する動作を説明する図であって、（ａ）は、遊技盤固定具８００の開口に遊技盤２００が挿入された状態を示す側面図であり、（ａ）’は、（ａ）の状態における、図２６（ｂ）のＦ−Ｆ位置での側断面図であり、（ｂ）は、（ａ）に続く状態であって遊技盤２００の収容が進んだ状態を示す側面図であり、（ｂ）’は、（ｂ）の状態における、図２６（ｂ）のＦ−Ｆ位置での側断面図であり、（ｃ）は、（ｂ）に続く状態であって遊技盤２００の収容が完了した状態を示す側面図であり、（ｃ）’は、（ｃ）の状態における、図２６（ｂ）のＦ−Ｆ位置での側断面図である。
【図２９】、第７の実施例において、ぱちんこ機１００の外枠１０２から本体１０４を開いた状態を示す斜視図である。
【図３０】図２９のぱちんこ機１００において、本体１０４の下部が見えるように下側から見た斜視図である。
【図３１】図２９のぱちんこ機１００において、コネクタ近傍を拡大して示す斜視図であり、（ａ）は本体１０４側のコネクタ近傍を示す図であり、（ｂ）は外枠１０２側のコネクタ近傍を示す図である。
【図３２】図２９のぱちんこ機１００において、コネクタ近傍を拡大して示す斜視図であり、（ａ）は外枠１０２側のコネクタに本体１０４側のコネクタが接続される様子を示す図であり、（ｂ）は外枠１０２側のコネクタに本体１０４側のコネクタを接続した状態を示す図である。
【図３３】コネクタ８１０が実装された基板８１１が部品８１２に取り付けられている場合であって、コネクタ８１０が対向するコネクタと接触する接触部の面が、部品８１２の段差面よりも、対向するコネクタに近い場合を説明する概略側面図である。
【図３４】コネクタ８１０が実装された基板８１１が部品８１２に取り付けられている場合であって、コネクタ８１０が対向するコネクタと接触する接触部の面が、部品８１２の段差面よりも、対向するコネクタから遠い場合を説明する概略側面図である。
【図３５】コネクタ８１０が実装された基板８１１が部品８１２に取り付けられている場合であって、コネクタ８１０が対向するコネクタと接触する接触部の面のうちの少なくとも一点が、部品８１２の段差面よりも、対向するコネクタから遠く、基板８１１と部品８１２の段差面とが所定の角度θを有する場合を説明する概略側面図である。
【図３６】コネクタ８１０が実装された基板８１１が部品８１２に取り付けられている場合であって、コネクタ８１０が対向するコネクタと接触する接触部の面のうちの少なくとも一点が、部品８１２の段差面よりも、対向するコネクタに近く、基板８１１と部品８１２の段差面とが所定の角度θを有する場合を説明する概略側面図である。
【図３７】遊技盤２００を正面から見た略示正面図である。
【図３８】（ａ）は、図３７に示した遊技盤２００を裏面から見た略示背面図であり、（ｂ）は、（ｂ）のＡ−Ａ断面図である。
【図３９】図３８（ａ）に示した遊技盤２００の裏面に基板を配置した状態を示す略示背面図である。
【図４０】図３９に示した遊技盤２００の裏面に裏カバーを配置した状態を示す略示背面図である。
【図４１】制御部の回路ブロック図である。
【図４２】遊技盤２００に設けた構成と本体１０４に設けた構成との接続状態を示すブロック図である。
【図４３】本発明に係るコネクタ接続の構成の第８の実施例を示す斜視図である。
【図４４】（ａ）は、図４３に示したコネクタ接続の構成を上方から見た平面図であり、（ｂ）は、（ａ）に示したＡ−Ａ断面図である。
【図４５】本発明に係るコネクタ接続の構成の第９の実施例を示す斜視図である。
【図４６】図４５に示したぱちんこ機１００の遊技盤２００を開いた状態を示す斜視図である。
【図４７】図４６のぱちんこ機１００の遊技盤２００を閉じた状態の正面図である。
【図４８】図４７のＢ−Ｂ断面図であり、（ａ）は遊技盤２００を取り外した状態を示す図であり、（ｂ）は遊技盤２００の一端を、遊技盤２００を回転支持する本体１０４の支持部１０４ｄに取り付け、遊技盤２００を開いた状態を示す図であり、（ｃ）は遊技盤２００を閉じ、遊技盤２００を本体１０４の収容部１０４ｅに収容した状態を示す図である。
【図４９】本発明に係るコネクタ接続の構成の第３の実施例を示す図であって、図４８の断面図に相当する図であり、（ａ）は遊技盤２００の一端を、遊技盤２００を回転支持する本体１０４の支持部１０４ｄに取り付け、遊技盤２００を開いた状態を示す図であり、（ｂ）は遊技盤２００を閉じ、遊技盤２００を本体１０４の収容部１０４ｅに収容した状態を示す図である。
【図５０】図４９のコネクタ部分を拡大して示す図である。
【図５１】本発明に係るコネクタ接続の構成の第４の実施例を示す斜視図であり、ぱちんこ機１００の遊技盤２００を開いた状態を示す図である。
【図５２】図５１のぱちんこ機１００についての、図４８に相当する断面図であり、（ａ）は遊技盤２００の一端を、遊技盤２００を回転支持する本体１０４の支持部１０４ｄに取り付け、遊技盤２００を開いた状態を示す図であり、（ｂ）は遊技盤２００を閉じ、遊技盤２００を本体１０４の収容部１０４ｅに収容した状態を示す図である。
【図５３】（ａ）は、図５１のぱちんこ機１００の遊技盤２００を外した本体１０４の正面図であり、（ｂ）は、図５１のぱちんこ機１００の本体１０４から外した遊技盤２００の背面図であり、（ｃ）は、（ｂ）に示した一転鎖線の円Ｄで囲った箇所を拡大して示す図である。
【図５４】本発明に係るコネクタ接続の構成の第１２の実施例を示す図であって、図５２の断面図に相当する図であり、（ａ）は遊技盤２００の一端を、遊技盤２００を回転支持する本体１０４の支持部１０４ｄに取り付け、遊技盤２００を開いた状態を示す図であり、（ｂ）は遊技盤２００を閉じ、遊技盤２００を本体１０４の収容部１０４ｅに収容した状態を示す図であり、（ｃ）は遊技盤２００が支持部１０４ｄから外れた状態で遊技盤２００を閉じようとした状態を示す図である。
【図５５】図５４のコネクタ部分を拡大して示す図である。
【図５６】本発明に係るコネクタ接続の構成の第１３の実施例を示す斜視図であり、ぱちんこ機１００の遊技盤２００を開いた状態を示す図である。
【図５７】図５６のぱちんこ機１００の遊技盤２００を閉じた状態の正面図である。
【図５８】図５６のぱちんこ機１００についての、図４８に相当する断面図であり、（ａ）は遊技盤２００の一端を、遊技盤２００を回転支持する本体１０４の支持部１０４ｄに取り付け、遊技盤２００を開いた状態を示す図であり、（ｂ）は遊技盤２００を閉じ初め、遊技盤２００のコネクタと本体１０４のコネクタとが接した状態を示す図であり、（ｃ）は遊技盤２００を閉じ、遊技盤２００を本体１０４の収容部１０４ｅに収容した状態を示す図である。
【図５９】本発明に係るコネクタ接続の構成の第１４の実施例を示すぱちんこ機１００についての、図４８に相当する断面図であり、（ａ）は遊技盤２００の一端を、遊技盤２００を回転支持する本体１０４の支持部１０４ｄに取り付け、遊技盤２００を開いた状態を示す図であり、（ｂ）は遊技盤２００を閉じ初め、遊技盤２００のコネクタと本体１０４のコネクタとが接した状態を示す図であり、（ｃ）は遊技盤２００を閉じ、遊技盤２００を本体１０４の収容部１０４ｅに収容した状態を示す図である。
【図６０】図５９のコネクタ部分を拡大して示す図である。
【図６１】（ａ）は、図５９のぱちんこ機１００の遊技盤２００を外した本体１０４の正面図であり、（ｂ）は、図５９のぱちんこ機１００の本体１０４から外した遊技盤２００の背面図である。
【図６２】本発明に係るコネクタ接続の構成の第１５の実施例を示すぱちんこ機１００についての、図４８に相当する断面図であり、（ａ）は遊技盤２００の一端を、遊技盤２００を回転支持する本体１０４の支持部１０４ｄに取り付け、遊技盤２００を開いた状態を示す図であり、（ｂ）は遊技盤２００を閉じ初め、遊技盤２００のコネクタと本体１０４のコネクタとが接した状態を示す図であり、（ｃ）は遊技盤２００を閉じ、遊技盤２００を本体１０４の収容部１０４ｅに収容した状態を示す図である。
【図６３】図６２のコネクタ部分を拡大して示す図である。
【図６４】図６２のぱちんこ機１００の遊技盤２００を開いた状態を示す斜視図である。
【図６５】図６４のパチンコ機１００を示す図であって、パチンコ機１００の概略正面図である。
【図６６】本発明に係るパチンコ機１００の第１６の実施例の具体的構成の一例を示す正面図である。
【図６７】図６６に示したパチンコ機１００を示す図であり、（ａ）はパチンコ機１００における、前面枠扉１０６を開いて遊技盤２００を取り外した状態の本体１０４を示す斜視図であり、（ｂ）は遊技盤２００の背面図である。
【図６８】図６６に示した遊技盤２００を本体１０４に収容する様子を示す図であって、（ａ）は遊技盤２００の一端を、遊技盤２００を回転支持する本体１０４の支持部１０４ｄに取り付け、遊技盤２００を開いた状態を示す図であり、（ｂ）は遊技盤２００を閉じ、遊技盤２００を本体１０４の収容部１０４ｅに収容した状態を示す図である。
【図６９】図６８に示した支持部１０４ｄの近傍を示す斜視図である。
【図７０】本体１０４側のコネクタと遊技盤２００側のコネクタの詳細を示す斜視図であり、（ａ）は遊技盤２００側のコネクタの周辺構成を分解した状態を示す図であり、（ｂ）は遊技盤２００側のコネクタの周辺構成を組み立てた状態を示す図である。
【図７１】（ａ）は図７０（ａ）の背面斜視図であり、（ｂ）は図７０（ｂ）の背面斜視図である。
【図７２】本体１０４に取り付ける遊技盤固定具８００の詳細を示す図であり、（ａ）は遊技盤固定具８００の開口を下に向けた状態を示す斜視図であり、（ｂ）は遊技盤固定具８００の作動レバー部８０２の面側から見た正面図である。
【図７３】図７２に示した遊技盤固定具８００の分解斜視図である。
【図７４】遊技盤２００を本体１０４に収容し、遊技盤固定具８００によって固定する動作を説明する図であって、（ａ）は、遊技盤固定具８００の開口に遊技盤２００が挿入された状態を示す側面図であり、（ａ）’は、（ａ）の状態における、図７２（ｂ）のＦ−Ｆ位置での側断面図であり、（ｂ）は、（ａ）に続く状態であって遊技盤２００の収容が進んだ状態を示す側面図であり、（ｂ）’は、（ｂ）の状態における、図７２（ｂ）のＦ−Ｆ位置での側断面図であり、（ｃ）は、（ｂ）に続く状態であって遊技盤２００の収容が完了した状態を示す側面図であり、（ｃ）’は、（ｃ）の状態における、図７２（ｂ）のＦ−Ｆ位置での側断面図である。
【図７５】本発明に係るパチンコ機１００の第１７の実施例を示す図であって、パチンコ機１００の遊技盤２００に取り付けられる部品の例を示す分解斜視図である。
【図７６】（ａ）、（ｂ）は、図７５に示した遊技盤２００を下方から見た底面図である。
【図７７】（ａ）、（ｂ）は、図７５に示した遊技盤２００を下方から見た底面図である。
【図７８】図７５に示した遊技盤２００を組み付けて、コネクタ７０６ａ、７０６ｂ、７０６ｃを取り外した状態を示す図であって、遊技盤２００の裏側から見た斜視図である。
【図７９】ドロワベース７０８に固定されたコネクタの構成を示す図であって、（ａ）は斜視図であり、（ｂ）は（ａ）の底面図である。
【図８０】ドロワベース７０８に固定されたコネクタの構成を示す図であって、（ａ）は図７９（ａ）の正面図であり、（ｂ）は図７９（ａ）の背面図である。
【図８１】本発明に係るパチンコ機１００の第１８の実施例を示す図であって、本発明に係るコネクタの構成を示す斜視図である。
【図８２】図８１に示したコネクタを示す図であって、（ａ）は右側面図であり、（ｂ）は正面図であり、（ｃ）は左側面図であり、（ｄ）は、（ｂ）のＡ−Ａ側面図であり、（ｅ）は、（ｂ）のＢ−Ｂ側面図である。
【図８３】本発明に係るパチンコ機１００の第１９の実施例を示す図であって、パチンコ機１００の本体１０４に取り付けられるコネクタの例を示す図であり、（ａ）は本体１０４の正面を示す斜視図であり、（ｂ）は（ａ）のコネクタ部分（円Ａで囲んだ部分）を拡大して示す斜視図である。
【図８４】（ａ）は、図８３に示したパチンコ機１００の正面図であり、（ｂ）は（ａ）のｃ−ｃ断面図であり、（ｃ）は（ｂ）のコネクタ７０７ａ、７０７ｂ、７０７ｃの近傍を拡大して示す図である。
【図８５】図８３に示したコネクタを取り外した状態を示す斜視図である。
【図８６】コネクタ７０７ａ、７０７ｂおよび７０７ｃの形状の一例をコネクタ７２５で示す図であり、（ａ）は斜視図であり、（ｂ）は正面図であり、（ｃ）は左側面図であり、（ｄ）は平面図である。
【図８７】第２０の実施例として、図８６に示したコネクタがフローティングコネクタである場合の動作について説明する正面図であり、（ａ）はコネクタ７２５を示す図であり、（ｂ）はコネクタ７２５が取り付けられる孔７２４がネジ７２２よりも大きな円である場合の孔７２４を示す図であり、（ｃ）は（ｂ）の場合においてネジ７２２が孔７２４の中央にある場合の図であり、（ｄ）は（ｂ）の場合においてネジ７２２が孔７２４の左側にある場合の図であり、（ｅ）は（ｂ）の場合においてネジ７２２が孔７２４の右側にある場合の図であり、（ｆ）はコネクタ７２５が取り付けられる孔７２４がネジ７２２よりも大きな横長の楕円である場合の孔７２４を示す図であり、（ｇ）は（ｆ）の場合においてネジ７２２が孔７２４の中央にある場合の図であり、（ｈ）は（ｆ）の場合においてネジ７２２が孔７２４の左側にある場合の図であり、（ｉ）はコネクタ７２５が取り付けられる孔７２４がネジ７２２よりも大きな縦長の楕円である場合の孔７２４を示す図であり、（ｊ）は（ｉ）の場合においてネジ７２２が孔７２４の中央にある場合の図であり、（ｋ）は（ｉ）の場合においてネジ７２２が孔７２４の上側にある場合の図である。
【図８８】第２１の実施例として、本発明に係るメス側のコネクタがフローティングコネクタである場合の動作について説明する図であり、（ａ）はコネクタ７３０が枠部材７３１の中央にある場合の側面図であり、（ｂ）は（ａ）の状態においてコネクタ７３０が枠部材７３１の中央にある場合の平面図であり、（ｃ）は（ａ）の状態においてコネクタ７３０が枠部材７３１の奥側にある場合の平面図であり、（ｄ）は（ａ）の状態においてコネクタ７３０が枠部材７３１の手前側にある場合の平面図であり、（ｅ）はコネクタ７３０が枠部材７３１の左側にある場合の側面図であり、（ｆ）は（ｅ）の状態においてコネクタ７３０が枠部材７３１の中央にある場合の平面図であり、（ｇ）は（ｅ）の状態においてコネクタ７３０が枠部材７３１の奥側にある場合の平面図であり、（ｈ）は（ｅ）の状態においてコネクタ７３０が枠部材７３１の手前側にある場合の平面図であり、（ｉ）はコネクタ７３０が枠部材７３１の右側にある場合の側面図であり、（ｊ）は（ｉ）の状態においてコネクタ７３０が枠部材７３１の中央にある場合の平面図であり、（ｋ）は（ｉ）の状態においてコネクタ７３０が枠部材７３１の奥側にある場合の平面図であり、（ｌ）は（ｉ）の状態においてコネクタ７３０が枠部材７３１の手前側にある場合の平面図である。
【図８９】（ａ）、（ｂ）、（ｃ）、（ｄ）は、第２２の実施例として、本発明に係るコネクタの配置の例について説明する図である。
【図９０】（ａ）、（ｂ）、（ｃ）は、第２２の実施例として、本発明に係るコネクタの配置の例について説明する図である。
【図９１】コネクタ８１０が実装された基板８１１がコネクタ接続部８１２ａに取り付けられている場合であって、コネクタ８１０が対向するコネクタと接触する接触部の面が、コネクタ接続部８１２ａの段差面よりも、対向するコネクタに近い場合を説明する概略側面図である。
【図９２】コネクタ８１０が実装された基板８１１がコネクタ接続部８１２ａに取り付けられている場合であって、コネクタ８１０が対向するコネクタと接触する接触部の面が、コネクタ接続部８１２ａの段差面よりも、対向するコネクタから遠い場合を説明する概略側面図である。
【図９３】コネクタ８１０が実装された基板８１１がコネクタ接続部８１２ａに取り付けられている場合であって、コネクタ８１０が対向するコネクタと接触する接触部の面のうちの少なくとも一点が、コネクタ接続部８１２ａの段差面よりも、対向するコネクタから遠く、基板８１１とコネクタ接続部８１２ａの段差面とが所定の角度θを有する場合を説明する概略側面図である。
【図９４】コネクタ８１０が実装された基板８１１がコネクタ接続部８１２ａに取り付けられている場合であって、コネクタ８１０が対向するコネクタと接触する接触部の面のうちの少なくとも一点が、コネクタ接続部８１２ａの段差面よりも、対向するコネクタに近く、基板８１１とコネクタ接続部８１２ａの段差面とが所定の角度θを有する場合を説明する概略側面図である。
【図９５】本発明に係る第２４の実施例のパチンコ機１００を示す図であり、本体１０４に遊技盤２００を取り付けた状態を示す斜視図である。
【図９６】第２４の実施例において、パチンコ機１００の外枠１０２から本体１０４を開いた状態を示す斜視図である。
【図９７】図９６のパチンコ機１００において、コネクタ近傍を拡大して示す斜視図であり、（ａ）は本体１０４側のコネクタ近傍を示す図であり、（ｂ）は外枠１０２側のコネクタ近傍を示す図である。
【図９８】図９６のパチンコ機１００において、コネクタ近傍を拡大して示す斜視図であり、（ａ）は外枠１０２側のコネクタに本体１０４側のコネクタが接続される様子を示す図であり、（ｂ）は外枠１０２側のコネクタに本体１０４側のコネクタを接続した状態を示す図である。
【図９９】図９６のパチンコ機１００において、本体１０４のコネクタ８６０近傍を拡大して示す図であり、（ａ）は側面図であり、（ｂ）は正面図である。
【図１００】図９６のパチンコ機１００における外枠１０２を示す図であり、（ａ）は外枠１０２を上方から見た平面図であり、（ｂ）は（ａ）においてコネクタ８５０近傍が見えるように切り欠いて示す図である。
【図１０１】図９６のパチンコ機１００における外枠１０２を示す図であり、（ａ）は外枠１０２を右横から見た側図であり、（ｂ）は（ａ）においてコネクタ８５０近傍が見えるように切り欠いて示す図である。
【図１０２】図９６のパチンコ機１００の外枠１０２に対して本体１０４を閉じていく状態を、本体１０４の側から見た斜視図である。
【図１０３】（ａ）、（ｂ）、（ｃ）は、図２９のパチンコ機１００の外枠１０２に対して本体１０４を閉じていく状態を順に示す図であって、コネクタ近傍を拡大し、本体１０４の側から見た斜視図である。
【図１０４】図９６のパチンコ機１００の外枠１０２に対して本体１０４を閉じていく状態を、外枠１０２の側から見た斜視図である。
【図１０５】（ａ）、（ｂ）、（ｃ）は、図９６のパチンコ機１００の外枠１０２に対して本体１０４を閉じていく状態を順に示す図であって、コネクタ近傍を拡大し、外枠１０２の側から見た斜視図である。
【図１０６】本発明に係るコネクタ接続の構成の第２５の実施例を示す図であって、図５２の断面図に相当する図であり、（ａ）は遊技盤２００の一端を、遊技盤２００を回転支持する本体１０４の支持部１０４ｄに取り付け、遊技盤２００を開いた状態を示す図であり、（ｂ）は遊技盤２００を閉じ、遊技盤２００を本体１０４の収容部１０４ｅに収容した状態を示す図であり、（ｃ）は遊技盤２００が支持部１０４ｄから外れた状態で遊技盤２００を閉じようとした状態を示す図である。
【図１０７】図１０６のコネクタ部分を拡大して示す図である。
【図１０８】本発明に係る第２６の実施例を示す図であって、（ａ）、（ｂ）および（ｃ）はコネクタと部品の配置の例を示すである。
【発明を実施するための形態】
【００１１】
＜＜＜第１の実施形態＞＞＞
以下、図面を用いて、本発明の実施形態に係る遊技台（例えば、ぱちんこ機１００等の弾球遊技機やスロット機等の回胴遊技機）について詳細に説明する。
【００１２】
＜全体構成＞
まず、図１を用いて、本発明の実施形態１に係るぱちんこ機１００の全体構成について説明する。なお、同図はぱちんこ機１００を正面側（遊技者側）から見た外観斜視図である。
【００１３】
ぱちんこ機１００は、外部的構造として、外枠１０２と、本体１０４と、前面枠扉１０６と、球貯留皿付扉１０８と、発射装置１１０と、遊技盤２００と、をその前面に備える。
【００１４】
外枠１０２は、遊技機設置営業店に設けられた設置場所（島設備等）へと固定させるための縦長方形状から成る木製の枠部材である。
【００１５】
本体１０４は、外枠１０２の内部に備えられ、ヒンジ部１１２を介して外枠１０２に回動自在に装着された縦長方形状の遊技機基軸体となる部材である。また、本体１０４は、枠状に形成され、内側に空間部１１４を有している。
【００１６】
前面枠扉１０６は、ロック機能付きで且つ開閉自在となるようにぱちんこ機１００の前面側となる本体１０４の前面に対しヒンジ部１１２を介して装着され、枠状に構成されることでその内側を開口部１１６とした扉部材である。なお、この前面枠扉１０６には、開口部１１６にガラス製又は樹脂製の透明板部材１１８が設けられ、前面側には、スピーカ１２０や枠ランプ１２２が取り付けられている。前面枠扉１０６の後面と遊技盤２００の前面とで遊技領域１２４を区画形成する。
【００１７】
球貯留皿付扉１０８は、ぱちんこ機１００の前面において本体１０４の下側に対して、ロック機能付きで且つ開閉自在となるように装着された扉部材である。球貯留皿付扉１０８は、複数の遊技球（以下、単に「球」と称する場合がある）が貯留可能で且つ発射装置１１０へと遊技球を案内させる通路が設けられている上皿１２６と、上皿１２６に貯留しきれない遊技球を貯留する下皿１２８と、遊技者の操作によって上皿１２６に貯留された遊技球を下皿１２８へと排出させる球抜ボタン１３０と、遊技者の操作によって下皿１２８に貯留された遊技球を不図示の遊技球収集容器（俗称、ドル箱）へと排出させる球排出レバー１３２と、遊技者の操作によって発射装置１１０へと案内された遊技球を遊技盤２００の遊技領域１２４へと打ち出す球発射ハンドル１３４と、遊技者の操作によって各種演出装置２０６（図３参照）の演出態様に変化を与えるチャンスボタン１３６と、チャンスボタン１３６を発光させるチャンスボタンランプ１３８と、遊技店に設置された不図示のカードユニット（ＣＲユニット）に対して球貸し指示を行う球貸操作ボタン１４０と、カードユニットに対して遊技者の残高の返却指示を行う返却操作ボタン１４２と、遊技者の残高やカードユニットの状態を表示する球貸表示部１４４と、を備える。
【００１８】
発射装置１１０は、本体１０４の下方に取り付けられ、球発射ハンドル１３４が遊技者に操作されることによって回動する発射杆１４６と、遊技球を発射杆１４６の先端で打突する発射槌１４８と、を備える。
【００１９】
遊技盤２００は、前面に遊技領域１２４を有し、本体１０４の空間部１１４に臨むように、所定の固定部材を用いて本体１０４に着脱自在に装着されている。なお、遊技領域１２４は、遊技盤２００を本体１０４に装着した後、開口部１１６から観察することができる。
【００２０】
図２は、図１のぱちんこ機１００を背面側から見た外観図である。
【００２１】
図２に示すように、ぱちんこ機１００の背面上部には、上方に開口した開口部を有し、遊技球を一時的に貯留するための球タンク１５０と、球タンク１５０の下方に位置し、球タンク１５０の底部に形成した連通孔を通過して落下する球を背面右側に位置する球通路１９４および払出装置１５２に導くためのタンクレール１５４とを配設している。
【００２２】
タンクレール１５４はツインレールとも称され、例えば第１副基板１６０と少なくとも一部が前後方向に重畳するように配置されている。本実施の形態によるぱちんこ機１００では、部材の配置領域を節約するため、制御基板にノイズを与える恐れのあるタンクレール１５４が第１副基板１６０に重畳して配置されている。しかしながら、ぱちんこ機１００は、タンクレール１５４にノイズ対策が施されている場合、タンクレール１５４と第１副基板１６０とが重畳して配置されていても、第１副基板１６０のノイズによる影響を軽減することができる場合がある。また、タンクレール１５４にはノイズ対策が施されているので、タンクレール１５４の側面を絶縁性の透明部材で形成することができる。これにより、タンクレール１５４がぱちんこ機１００に設置された場合に、ぱちんこ機１００背面側に位置するタンクレール１５４の側面を透して、タンクレール１５４での遊技球の流下状況を目視により確認することができる場合がある。
【００２３】
球通路１９４は、ぱちんこ機１００を背面側から見て、本体１０４（図１参照）の右側部に上下方向に伸びて配置されている。球通路１９４の一端はタンクレール１５４に接続され、他端は払出装置１５２に接続されている。球通路１９４は直方体形状を有している。球通路１９４はタンクレール１５４を通過した遊技球を払出装置１５２に導くようになっている。球通路１９４の内部には、例えば払出装置１５２側に向かって傾斜する平板状部材が一対の対向側面に反ピッチずれて交互にそれぞれ形成された構造の遊技球案内通路（不図示）が形成されている。球通路１９４は、遊技球案内通路を備えることにより、当該案内通路を有しない空洞構造の場合と比較して、多くの遊技球を貯留できるようになっている。さらに、球通路１９４は、遊技球案内通路を備えることにより、払出装置１５２に遊技球を１個ずつ順次送出できるようになる。球通路１９４は、払出装置１５２の近傍にメカスイッチである球抜き手段１９７を有している。球通路１９４で遊技球の球詰まりが発生した場合に、遊技店員は、球抜き手段１９７を操作して、球詰まりした遊技球を球通路１９４の外部に排出できるようになっている。
【００２４】
払出装置１５２は、筒状の部材からなり、その内部には、不図示の払出モータとスプロケットと払出センサとを備えている。スプロケットは、払出モータによって回転可能に構成されており、タンクレール１５４および球通路１９４を通過して払出装置１５２内に流下した遊技球を一時的に滞留させると共に、払出モータを駆動して所定角度だけ回転することにより、一時的に滞留した遊技球を払出装置１５２の下方へ１個ずつ送り出すように構成している。
【００２５】
払出センサは、スプロケットが送り出した遊技球の通過を検知するためのセンサであり、遊技球が通過しているときにハイまたはローの何れか一方の信号を、遊技球が通過していないときはハイまたはローの何れか他方の信号を払出制御部６００へ出力する。なお、この払出センサを通過した遊技球は、不図示の球レールを通過してぱちんこ機１００の表側に配設した払出通路１２１（図１参照）から上皿１２６に到達するように構成しており、ぱちんこ機１００は、この構成により遊技者に対して球の払い出しを行う。
【００２６】
球通路１９４および払出装置１５２の図中左側には、遊技全般の制御処理を行う主制御部３００を構成する主基板１５６を収納する主基板ケース１５８、主制御部３００が生成した処理情報に基づいて演出に関する制御処理を行う第１副制御部４００を構成する第１副基板１６０を収納する第１副基板ケース１６２、第１副制御部４００が生成した処理情報に基づいて演出に関する制御処理を行う第２副制御部５００を構成する第２副基板１６４を収納する第２副基板ケース１６６、遊技球の払出に関する制御処理を行う払出制御部６００を構成するとともに遊技店員の操作によってエラーを解除するエラー解除スイッチ１６８を備える払出基板１７０を収納する払出基板ケース１７２、遊技球の発射に関する制御処理を行う発射制御部６３０を構成する発射基板１７４を収納する発射基板ケース１７６、各種電気的遊技機器に電源を供給する電源制御部６６０を構成するとともに遊技店員の操作によって電源をオンオフする電源スイッチ１７８と電源投入時に操作されることによってＲＷＭクリア信号を主制御部３００に出力するＲＷＭクリアスイッチ１８０とを備える電源基板１８２を収納する電源基板ケース１８４、および払出制御部６００とカードユニットとの信号の送受信を行うＣＲインタフェース部１８６を配設している。発射基板ケース１７６は電源基板ケース１８４の下方に広がって設けられている。電源基板ケース１８４は、その背面側から見て、発射基板ケース１７６の一部に重なって配置されている。電源基板ケース１８４は払出基板ケース１７２の下方に広がって設けられている。払出基板ケース１７２は、背面側から見て、電源基板ケース１８４および発射基板ケース１７６のそれぞれの一部に重なって配置されている。ＣＲインタフェース部１８６は、例えばＤ−ｓｕｂ（Ｄ−ｓｕｂｍｉｎｉａｔｕｒｅ）コネクタで構成されたＣＲユニット接続部１８６ａを有している。ＣＲインタフェース部１８６は、ＣＲユニット接続部１８６ａを介して払出制御部６００とカードユニットとの信号の送受信を行うようになっている。
【００２７】
ぱちんこ機１００は、その背面側から見て、球タンク１５０の右側であってタンクレール１５４の上方に外部端子基板１９６を有している。外部端子基板１９６はぱちんこ機１００とホールコンピュータとの電気的接続に用いられる。遊技盤２００の交換を行う場合にぱちんこ機１００とホールコンピュータとの配線を変更する必要がないため、遊技盤２００は、外部端子基板１９６を介して本体１０４とホールコンピュータとを接続したままで交換される。但し、機種によってはぱちんこ機１００からホールコンピュータに送信する信号の種類を変更する必要があるため、ぱちんこ機１００は、遊技盤２００の取り外し時に、ぱちんこ機１００の正面（手前）側から外部端子基板１９６の接続状況が把握できるように構成されていてもよい。
【００２８】
同様に、外部と接続の必要がある他の構成（例えば不図示の電源コード）についても、本体１０４に備えておくことが好ましい。
【００２９】
ぱちんこ機１００は、その背面側から見て、外部端子基板１９６の右側に電源コネクタ１９１を有している。電源コネクタ１９１には、不図示の電源コード１９０が接続されるようになっている。
【００３０】
図３は、遊技盤２００を正面から見た略示正面図である。
【００３１】
遊技盤２００には、外レール２０２と内レール２０４とを配設し、遊技球が転動可能な遊技領域１２４を区画形成している。
【００３２】
遊技領域１２４の略中央には、演出装置２０６を配設している。この演出装置２０６には、略中央に装飾図柄表示装置２０８（液晶表示装置２０８）を配設し、装飾図柄表示装置２０８の下部に、普通図柄表示装置２１０と、第１特別図柄表示装置２１２と、第２特別図柄表示装置２１４と、普通図柄保留ランプ２１６と、第１特別図柄保留ランプ２１８と、第２特別図柄保留ランプ２２０と、高確中ランプ２２２と、を配設し、装飾図柄表示装置２０８の右側に演出可動体２２４を配設している。なお、以下、普通図柄を「普図」、特別図柄を「特図」と称する場合がある。
【００３３】
装飾図柄表示装置２０８は、装飾図柄ならびに演出に用いる様々な表示を行うための表示装置であり、本実施例では液晶表示装置（Ｌｉｑｕｉｄ  Ｃｒｙｓｔａｌ  Ｄｉｓｐｌａｙ）によって構成するが、本発明はこれに限られるものではなく、ＥＬ等を用いた表示装置を用いてもよい。この装飾図柄表示装置２０８は、左図柄表示領域２０８ａ、中図柄表示領域２０８ｂ、右図柄表示領域２０８ｃおよび演出表示領域２０８ｄの４つの表示領域に分割し、左図柄表示領域２０８ａ、中図柄表示領域２０８ｂおよび右図柄表示領域２０８ｃはそれぞれ異なった装飾図柄を表示し、演出表示領域２０８ｄは演出に用いる画像を表示する。さらに、各表示領域２０８ａ、２０８ｂ、２０８ｃ、２０８ｄの位置や大きさは、装飾図柄表示装置２０８の表示画面内で自由に変更することを可能としている。なお、装飾図柄表示装置２０８として液晶表示装置を採用しているが、液晶表示装置でなくとも、種々の演出や種々の遊技情報を表示可能に構成されていればよく、例えば、ドットマトリクス表示装置、７セグメント表示装置、有機ＥＬ（ＥｌｅｃｔｒｏＬｕｍｉｎｅｓｃｅｎｃｅ）表示装置、リール（ドラム）式表示装置、リーフ式表示装置、プラズマディスプレイ、プロジェクタを含む他の表示デバイスを採用してもよい。
【００３４】
普図表示装置２１０は、普図の表示を行うための表示装置であり、本実施例では７セグメントＬＥＤによって構成する。第１特図表示装置２１２および第２特図表示装置２１４は、特図の表示を行うための表示装置であり、本実施例では７セグメントＬＥＤによって構成する。
【００３５】
普図保留ランプ２１６は、保留している普図変動遊技（詳細は後述）の数を示すためのランプであり、本実施例では、普図変動遊技を所定数（例えば、２つ）まで保留することを可能としている。第１特図保留ランプ２１８および第２特図保留ランプ２２０は、保留している特図変動遊技（詳細は後述）の数を示すためのランプであり、本実施例では、特図変動遊技を所定数（例えば、４つ）まで保留することを可能としている。高確中ランプ２２２は、遊技状態が大当りが発生し易い高確率状態であること、または高確率状態になることを示すためのランプであり、遊技状態を大当りが発生し難い低確率状態から高確率状態にする場合に点灯し、高確率状態から低確率状態にする場合に消灯する。
【００３６】
また、この演出装置２０６の周囲には、一般入賞口２２６と、普図始動口２２８と、第１特図始動口２３０と、第２特図始動口２３２と、可変入賞口２３４と、を配設している。
【００３７】
一般入賞口２２６は、本実施例では遊技盤２００に複数配設しており、この一般入賞口２２６への入球を所定の球検出センサ（図示省略）が検出した場合（一般入賞口２２６に入賞した場合）、払出装置１５２を駆動し、所定の個数（例えば、１０個）の球を賞球として上皿１２６に排出する。上皿１２６に排出した球は遊技者が自由に取り出すことが可能であり、これらの構成により、入賞に基づいて賞球を遊技者に払い出すようにしている。
【００３８】
なお、一般入賞口２２６に入球した球は、ぱちんこ機１００の裏側に誘導した後、遊技島側に排出する。本実施例では、入賞の対価として遊技者に払い出す球を「賞球」、遊技者に貸し出す球を「貸球」と区別して呼ぶ場合があり、「賞球」と「貸球」を総称して「球（遊技球）」と呼ぶ。
【００３９】
普図始動口２２８は、ゲートやスルーチャッカーと呼ばれる、遊技領域１２４の所定の領域を球が通過したか否かを判定するための装置で構成しており、本実施例では遊技盤２００の左側に１つ配設している。普図始動口２２８を通過した球は一般入賞口２２６に入球した球と違って、遊技島側に排出することはない。球が普図始動口２２８を通過したことを所定の玉検出センサが検出した場合、ぱちんこ機１００は、普図表示装置２１０による普図変動遊技を開始する。
【００４０】
第１特図始動口２３０は、本実施例では遊技盤２００の中央に１つだけ配設している。この第１特図始動口２３０への入球を所定の球検出センサが検出した場合、後述する払出装置１５２を駆動し、所定の個数（例えば、３個）の球を賞球として上皿１２６に排出するとともに、第１特図表示装置２１２による特図変動遊技を開始する。なお、第１特図始動口２３０に入球した球は、ぱちんこ機１００の裏側に誘導した後、遊技島側に排出する。
【００４１】
第２特図始動口２３２は、電動チューリップ（電チュー）と呼ばれ、本実施例では第１特図始動口２３０の真下に１つだけ配設している。この第２特図始動口２３２は、左右に開閉自在な羽根２３２ａを備え、羽根２３２ａの閉鎖中は球の入球が不可能であり、普図変動遊技に当選し、普図表示装置２１０が当たり図柄を停止表示した場合に羽根２３２ａが所定の時間間隔、所定の回数で開閉する。第２特図始動口２３２への入球を所定の球検出センサが検出した場合、払出装置１５２を駆動し、所定の個数（例えば、４個）の球を賞球として上皿１２６に排出するとともに、第２特図表示装置２１４による特図変動遊技を開始する。なお、第２特図始動口２３２に入球した球は、ぱちんこ機１００の裏側に誘導した後、遊技島側に排出する。
【００４２】
可変入賞口２３４は、大入賞口またはアタッカーと呼ばれ、本実施例では遊技盤２００の中央部下方に１つだけ配設している。この可変入賞口２３４は、開閉自在な扉部材２３４ａを備え、扉部材２３４ａの閉鎖中は球の入球が不可能であり、特図変動遊技に当選して特図表示装置２１２、２１４が大当たり図柄を停止表示した場合に扉部材２３４ａが所定の時間間隔（例えば、開放時間２９秒、閉鎖時間１．５秒）、所定の回数（例えば１５回）で開閉する。
【００４３】
可変入賞口２３４への入球を所定の球検出センサが検出した場合、払出装置１５２を駆動し、所定の個数（例えば、１５個）の球を賞球として上皿１２６に排出する。なお、可変入賞口２３４に入球した球は、ぱちんこ機１００の裏側に誘導した後、遊技島側に排出する。
【００４４】
さらに、これらの入賞口や始動口の近傍には、風車と呼ばれる円盤状の打球方向変換部材２３６や、遊技釘２３８を複数個、配設していると共に、内レール２０４の最下部には、いずれの入賞口や始動口にも入賞しなかった球をぱちんこ機１００の裏側に誘導した後、遊技島側に排出するためのアウト口２４０を設けている。
【００４５】
このぱちんこ機１００は、遊技者が上皿１２６に貯留している球を発射レールの発射位置に供給し、遊技者の球発射ハンドル１３４の操作量に応じた強度で発射モータを駆動し、発射杆１４６および発射槌１４８によって外レール２０２、内レール２０４を通過させて遊技領域１２４に打ち出す。そして、遊技領域１２４の上部に到達した球は、打球方向変換部材２３６や遊技釘２３８等によって進行方向を変えながら下方に落下し、入賞口（一般入賞口２２６、可変入賞口２３４）や始動口（第１特図始動口２３０、第２特図始動口２３２）に入賞するか、いずれの入賞口や始動口にも入賞することなく、または普図始動口２２８を通過するのみでアウト口２４０に到達する。
【００４６】
上述の打球方向変換部材２３６や遊技釘２３８などの遊技球が接触可能な部品が、遊技領域に配置されると共に発射された遊技球が接触可能な遊技部品である。
【００４７】
＜演出装置２０６＞
次に、ぱちんこ機１００の演出装置２０６について説明する。演出装置２０６は、第１副制御部４００や第２副制御部５００により駆動制御される。
【００４８】
この演出装置２０６の前面側には、遊技球の転動可能な領域にワープ装置２４２およびステージ２４４を配設し、遊技球の転動不可能な領域に演出可動体２２４を配設している。また、演出装置２０６の背面側には、装飾図柄表示装置２０８および遮蔽装置２４６（以下、扉と称する場合がある）を配設している。すなわち、演出装置２０６において、装飾図柄表示装置２０８および遮蔽装置２４６は、ワープ装置２４２、ステージ２４４、および演出可動体２２４の後方に位置することとなる。
【００４９】
ワープ装置２４２は、演出装置２０６の左上方に設けたワープ入口２４２ａに入った遊技球を演出装置２０６の前面下方のステージ２４４にワープ出口２４２ｂから排出する。
【００５０】
ステージ２４４は、ワープ出口２４２ｂから排出された球や、遊技盤２００の遊技釘２３８などによって乗り上げた球などが転動可能である。転動領域であるステージ２４４上で、受入孔２４４ｂに進入した遊技球は放出部である放出孔２４４ａから放出され、放出した球が第１特図始動口２３０へ入球し易くなる場合を設けている。
【００５１】
演出可動体２２４は、本実施例では人間の右腕の上腕と前腕を模した上腕部２２４ａと前腕部２２４ｂとからなり、肩の位置に上腕部２２４ａを回動させる不図示の上腕モータと肘の位置に前腕部２２４ｂを回動させる不図示の前腕モータを備える。演出可動体２２４は、上腕モータと前腕モータによって装飾図柄表示装置２０８の前方を移動する。
【００５２】
遮蔽装置２４６は、格子状の左扉２４６ａおよび右扉２４６ｂからなり、装飾図柄表示装置２０８および前面ステージ２４４の間に配設する。左扉２４６ａおよび右扉２４６ｂの上部には、不図示の２つのプーリに巻き回したベルトをそれぞれ固定している。すなわち、左扉２４６ａおよび右扉２４６ｂは、モータによりプーリを介して駆動するベルトの動作に伴って左右にそれぞれ移動する。
【００５３】
遮蔽装置２４６は、左扉２４６ａおよび右扉２４６ｂを閉じた状態ではそれぞれの内側端部が重なり、遊技者が装飾図柄表示装置２０８を視認し難いように遮蔽する。左扉２４６ａおよび右扉２４６ｂを開いた状態ではそれぞれの内側端部が装飾図柄表示装置２０８の表示画面の外側端部と若干重なるが、遊技者は装飾図柄表示装置２０８の表示の全てを視認可能である。また、左扉２４６ａおよび右扉２４６ｂは、それぞれ任意の位置で停止可能であり、例えば、表示した装飾図柄がどの装飾図柄であるかを遊技者が識別可能な程度に、装飾図柄の一部だけを遮蔽するようなことができる。
【００５４】
なお、左扉２４６ａおよび右扉２４６ｂは、格子の孔から後方の装飾図柄表示装置２０８の一部を視認可能にしてもよいし、格子の孔の障子部分を半透明のレンズ体で塞ぎ、後方の装飾図柄表示装置２０８による表示を漠然と遊技者に視認させるようにしてもよいし、格子の孔の障子部分を完全に塞ぎ（遮蔽し）、後方の装飾図柄表示装置２０８を全く視認不可にしてもよい。
【００５５】
＜コネクタ接続の構成＞
ここで、本発明に係るコネクタ接続の構成の一例について説明する。
【００５６】
＜＜第１の実施例＞＞
図４は、本発明に係るコネクタ接続の構成の第１の実施例を示す斜視図である。
【００５７】
また、図５（ａ）は、図４に示したコネクタ接続の構成を上方から見た平面図であり、図５（ｂ）は、（ａ）に示したＡ−Ａ断面図である。
【００５８】
この第１の実施例では、第一の部品である基板７００に設けた第一のコネクタ７００ａと第二の部品である基板７０１に設けた第二のコネクタ７０１ａとを接続する構成を示す。
【００５９】
第一のコネクタ７００ａは、その当接面７００ａｓにて基板７００に接し、電気的に接続されて実装される。
【００６０】
第二のコネクタ７０１ａと基板７０１との間には、コネクタ接続部７０１ｂを有する。第二のコネクタ７０１ａは、その当接面７０１ａｓにてコネクタ接続部７０１ｂに接し、第二のコネクタ７０１ａは基板７０１に対し、コネクタ接続部７０１ｂを介し電気的に接続されて実装される。
【００６１】
この構成において、第一のコネクタ７００ａと第二のコネクタ７０１ａとを比較すると、第一のコネクタ７００ａの基板７００に対する突出具合よりも、第二のコネクタ７０１ａの基板７０１に対する突出具合の方がより突出しており、破損機会にさらされ易く、第一のコネクタ７００ａよりも第二のコネクタ７０１ａの方が破損可能性が高いことがわかる。
【００６２】
第一のコネクタ７００ａよりも第二のコネクタ７０１ａの方が破損可能性が高いことから、第二のコネクタ７０１ａを検査して正常であれば、第一のコネクタ７００ａも正常であり、第一のコネクタ７００ａをさらに検査する手間が不要となる場合がある。
【００６３】
＜＜第２の実施例＞＞
図６は、本発明に係るコネクタ接続の構成の第２の実施例を示す斜視図であり、ぱちんこ機１００の遊技盤２００を開いた状態を示す図である。
【００６４】
また、図７は、図６のぱちんこ機１００の遊技盤２００を閉じた状態の正面図である。
【００６５】
また、図８は、図７のＢ−Ｂ断面図であり、（ａ）は遊技盤２００を取り外した状態を示す図であり、（ｂ）は遊技盤２００の一端を、遊技盤２００を回転支持する本体１０４の支持部１０４ｄに取り付け、遊技盤２００を開いた状態を示す図であり、（ｃ）は遊技盤２００を閉じ、遊技盤２００を本体１０４の収容部１０４ｅに収容した状態を示す図である。
【００６６】
この第２の実施例では、第一の部品である本体１０４に設けた第一のコネクタ１０４ａと第二の部品である遊技盤２００に設けた第二のコネクタ２００ａとを接続する構成を示す。
【００６７】
第一のコネクタ１０４ａは、その当接面１０４ａｓにて本体１０４に接し、電気的に接続されて実装される。
【００６８】
第二のコネクタ２００ａと遊技盤２００との間には、コネクタ接続部２００ｂを有する。第二のコネクタ２００ａは、その当接面２００ａｓにてコネクタ接続部２００ｂに接し、第二のコネクタ２００ａは遊技盤２００に対し、コネクタ接続部２００ｂを介し電気的に接続されて実装される。
【００６９】
本体１０４は、遊技盤２００の一端を回転支持する支持部１０４ｄと、遊技盤２００を収容する収容部１０４ｅを有する。支持部１０４ｄは挿入された遊技盤２００の一端を外れないように押さえる突出部１０４ｃを有しており、この支持部１０４ｄに一端を挿入した遊技盤２００は、その一端を軸に回転して開閉可能としている。遊技盤２００を閉じると、その遊技盤２００は本体１０４の収容部１０４ｅに収容される。
【００７０】
この遊技盤２００を閉じる動作によって第一のコネクタ１０４ａと第二のコネクタ２００ａとが押し付けられて接続する。遊技盤２００を開くと、第一のコネクタ１０４ａと第二のコネクタ２００ａとの接続は解除される。
【００７１】
この構成において、第一のコネクタ１０４ａと第二のコネクタ２００ａとを比較すると、第一のコネクタ１０４ａの本体１０４に対する突出具合よりも、第二のコネクタ２００ａの遊技盤２００に対する突出具合の方がより突出しており、破損機会にさらされ易く、第一のコネクタ１０４ａよりも第二のコネクタ２００ａの方が破損可能性が高いことがわかる。
【００７２】
第一のコネクタ１０４ａよりも第二のコネクタ２００ａの方が破損可能性が高いことから、第二のコネクタ２００ａを検査して正常であれば、第一のコネクタ１０４ａも正常であり、第一のコネクタ１０４ａをさらに検査する手間が不要となる場合がある。
【００７３】
＜＜第３の実施例＞＞
図９は、本発明に係るコネクタ接続の構成の第３の実施例を示す図であって、図８の断面図に相当する図であり、（ａ）は遊技盤２００の一端を、遊技盤２００を回転支持する本体１０４の支持部１０４ｄに取り付け、遊技盤２００を開いた状態を示す図であり、（ｂ）は遊技盤２００を閉じ、遊技盤２００を本体１０４の収容部１０４ｅに収容した状態を示す図である。
【００７４】
図１０は、図９のコネクタ部分を拡大して示す図である。
【００７５】
この第３の実施例では、第一の部品である遊技盤２００に設けた第一のコネクタ２００ａ２と第二の部品である本体１０４に設けた第二のコネクタ１０４ａ２とを接続するとともに、第一の部品である遊技盤２００に設けた第三のコネクタ２００ａ１と第二の部品である本体１０４に設けた第四のコネクタ１０４ａ１とを接続する構成を示す。
【００７６】
第一のコネクタ２００ａ２は、その当接面２００ａ２ｓにて遊技盤２００に接し、電気的に接続されて実装される。
【００７７】
第二のコネクタ１０４ａ２と本体１０４との間には、コネクタ接続部１０４ｂ２を有する。第二のコネクタ１０４ａ２は、その当接面１０４ａ２ｓにてコネクタ接続部１０４ｂ２に接し、第二のコネクタ１０４ａ２は本体１０４に対し、コネクタ接続部１０４ｂ２を介し電気的に接続されて実装される。
【００７８】
第三のコネクタ２００ａ１と遊技盤２００との間には、コネクタ接続部２００ｂ１を有する。第三のコネクタ２００ａ１は、その当接面２００ａ１ｓにてコネクタ接続部２００ｂ１に接し、第三のコネクタ２００ａ１は遊技盤２００に対し、コネクタ接続部２００ｂ１を介し電気的に接続されて実装される。
【００７９】
第四のコネクタ１０４ａ１は、その当接面１０４ａ１ｓにて本体１０４に接し、電気的に接続されて実装される。
【００８０】
本体１０４は、遊技盤２００の一端を回転支持する支持部１０４ｄと、遊技盤２００を収容する収容部１０４ｅを有する。支持部１０４ｄは挿入された遊技盤２００の一端を外れないように押さえる突出部１０４ｃを有しており、この支持部１０４ｄに一端を挿入した遊技盤２００は、その一端を軸に回転して開閉可能としている。遊技盤２００を閉じると、その遊技盤２００は本体１０４の収容部１０４ｅに収容される。
【００８１】
この遊技盤２００を閉じる動作によって第一のコネクタ２００ａ２と第二のコネクタ１０４ａ２とが押し付けられて接続するとともに第三のコネクタ２００ａ１と第四のコネクタ１０４ａ１とが押し付けられて接続する。遊技盤２００を開くと、第一のコネクタ２００ａ２と第二のコネクタ１０４ａ２との接続、および第三のコネクタ２００ａ１と第四のコネクタ１０４ａ１との接続は解除される。
【００８２】
ここで、支持部１０４ｄから各コネクタまでの距離を考えると、支持部１０４ｄから第一のコネクタ２００ａ２および第二のコネクタ１０４ａ２までの距離Ｌ１（図９（ｂ）参照）は、支持部１０４ｄから第三のコネクタ２００ａ１および第四のコネクタ１０４ａ１までの距離Ｌ２（図９（ｂ）参照）よりも短い。この場合、遊技盤２００を閉じたときに、最初に接触するのは第一のコネクタ２００ａ２と第二のコネクタ１０４ａ２とであり、次に接触するのが第三のコネクタ２００ａ１と第四のコネクタ１０４ａ１とである。最初に接触する場合、遊技盤２００と本体１０４とのぐらつきも大きく、閉じる勢い等もあり、破損可能性が高い。これに対して、第三のコネクタ２００ａ１と第四のコネクタ１０４ａ１とは、第一のコネクタ２００ａ２と第二のコネクタ１０４ａ２との接触、接続が進み、遊技盤２００と本体１０４とのぐらつきや閉じる勢い等が抑えられた状態で接触するため、第三のコネクタ２００ａ１および第四のコネクタ１０４ａ１は、第一のコネクタ２００ａ２および第二のコネクタ１０４ａ２よりも破損可能性が低い。
【００８３】
なお、支持部１０４ｄから第一のコネクタ２００ａ２および第二のコネクタ１０４ａ２までの距離を、支持部１０４ｄから第三のコネクタ２００ａ１と第四のコネクタ１０４ａ１までの距離よりも長い構成であってもよく、この場合、第三のコネクタ２００ａ１および第四のコネクタ１０４ａ１は、第一のコネクタ２００ａ２および第二のコネクタ１０４ａ２よりも破損可能性が高い。
【００８４】
また、第一の部品である遊技盤２００の所定の面を、第一のコネクタ２００ａ２の当接面２００ａ２ｓと平行であり、第一のコネクタ２００ａ２と逆側で当接面２００ａ２ｓから最も遠い面としたとき、この所定の面から、第一のコネクタ２００ａ２における第二のコネクタ１０４ａ２と接触する接触部（遊技盤２００を閉じようとしたときに始めに接触する箇所でもよいし、遊技盤２００を閉じようとしたときに始めに接触する電極箇所でもよい。）まで、の高さをＨ１（図１０参照）とし、
また、第二の部品である本体１０４の所定の面を、第二のコネクタ１０４ａ２の当接面１０４ａ２ｓと平行であり、第二のコネクタ１０４ａ２と逆側で当接面１０４ａ２ｓから最も遠い面としたとき、この所定の面から、コネクタ接続部１０４ｂ２を介し第二のコネクタ１０４ａ２における第一のコネクタ２００ａ２と接触する接触部（遊技盤２００を閉じようとしたときに始めに接触する箇所でもよいし、遊技盤２００を閉じようとしたときに始めに接触する電極箇所でもよい。）まで、の高さをＨ２（図１０参照）とし、
また、第一の部品である遊技盤２００の所定の面を、第三のコネクタ２００ａ１の当接面２００ａ１ｓと平行であり、第三のコネクタ２００ａ１と逆側で当接面２００ａ１ｓから最も遠い面としたとき、この所定の面から、コネクタ接続部２００ｂ１を介し第三のコネクタ２００ａ１における第四のコネクタ１０４ａ１と接触する接触部（遊技盤２００を閉じようとしたときに始めに接触する箇所でもよいし、遊技盤２００を閉じようとしたときに始めに接触する電極箇所でもよい。）まで、の高さをＨ３（図１０参照）とし、
また、第二の部品である本体１０４の所定の面を、第四のコネクタ１０４ａ１の当接面１０４ａ１ｓと平行であり、第四のコネクタ１０４ａ１と逆側で当接面１０４ａ１ｓから最も遠い面としたとき、この所定の面から、第四のコネクタ１０４ａ１における第三のコネクタ２００ａ１と接触する接触部（遊技盤２００を閉じようとしたときに始めに接触する箇所でもよいし、遊技盤２００を閉じようとしたときに始めに接触する電極箇所でもよい。）まで、の高さをＨ４（図１０参照）とすると、
支持部１０４ｄから各コネクタまでの距離が同じであれば、この高さが高いコネクタの方が、破損可能性が高い。
【００８５】
したがって、この例では、第一のコネクタ２００ａ２と第二のコネクタ１０４ａ２とでは、第二のコネクタ１０４ａ２の方が突出し、高さが高いので、第二のコネクタ１０４ａ２が最も破損可能性が高いことがわかる。
【００８６】
このことから、第二のコネクタ１０４ａ２を検査して正常であれば、第一のコネクタ２００ａ２、第三のコネクタ２００ａ１および第四のコネクタ１０４ａ１も正常であり、これらをさらに検査する手間が不要となる場合がある。
【００８７】
なお、第一の部品（例えば遊技盤２００）に設けたコネクタの高さの基準となる第一の部品の所定面としては、この第一の部品と第二の部品（例えば本体１０４）とを組み付けて対応するコネクタ同士を接続したときに、この第一の部品が第二の部品と当接する面としてもよい。第一の部品に設けたコネクタのうち、この所定面を基準として、より第二の部品側に突出しているコネクタほど破損可能性が高い。
【００８８】
同様に、第二の部品（例えば本体１０４）に設けたコネクタの高さの基準となる第二の部品の所定面としては、この第二の部品と第一の部品（例えば遊技盤２００）とを組み付けて対応するコネクタ同士を接続したときに、この第二の部品が第一の部品と当接する面としてもよい。第二の部品に設けたコネクタのうち、この所定面を基準として、より第一の部品側に突出しているコネクタほど破損可能性が高い。
【００８９】
＜＜第４の実施例＞＞
図１１は、本発明に係るコネクタ接続の構成の第４の実施例を示す斜視図であり、ぱちんこ機１００の遊技盤２００を開いた状態を示す図である。
【００９０】
また、図１２は、図１１のぱちんこ機１００の遊技盤２００を閉じた状態の正面図である。
【００９１】
また、図１３は、図１２のＣ−Ｃ断面図であり、（ａ）は遊技盤２００の一端を、遊技盤２００を回転支持する本体１０４の支持部１０４ｄに取り付け、遊技盤２００を開いた状態を示す図であり、（ｂ）は遊技盤２００を閉じ、遊技盤２００を本体１０４の収容部１０４ｅに収容した状態を示す図である。
【００９２】
また、図１４（ａ）は、図１１のぱちんこ機１００の遊技盤２００を外した本体１０４の正面図であり、図１４（ｂ）は、図１１のぱちんこ機１００の本体１０４から外した遊技盤２００の背面図であり、図１４（ｃ）は、（ｂ）に示した一転鎖線の円Ｄで囲った箇所を拡大して示す図である。
【００９３】
この第４の実施例では、第一の部品である本体１０４に設けた第一のコネクタ１０４ａ３と第二の部品である遊技盤２００に設けた第二のコネクタ２００ａ３とを接続するとともに、第一の部品である本体１０４に設けた第三のコネクタ１０４ａ４と第二の部品である遊技盤２００に設けた第四のコネクタ２００ａ４とを接続する構成を示す。
【００９４】
第一のコネクタ１０４ａ３は、その当接面１０４ａ３ｓにて本体１０４に接し、電気的に接続されて実装される。
【００９５】
第二のコネクタ２００ａ３と遊技盤２００との間には、コネクタ接続部２００ｂ３を有する。第二のコネクタ２００ａ３は、その当接面２００ａ３ｓにてコネクタ接続部２００ｂ３に接し、第二のコネクタ２００ａ３は遊技盤２００に対し、コネクタ接続部２００ｂ３を介し電気的に接続されて実装される。
【００９６】
第三のコネクタ１０４ａ４と本体１０４との間には、コネクタ接続部１０４ｂ４を有する。第三のコネクタ１０４ａ４は、その当接面１０４ａ４ｓにてコネクタ接続部１０４ｂ４に接し、第三のコネクタ１０４ａ４は本体１０４に対し、コネクタ接続部１０４ｂ４を介し電気的に接続されて実装される。
【００９７】
第四のコネクタ２００ａ４は、その当接面２００ａ４ｓにて遊技盤２００に接し、電気的に接続されて実装される。
【００９８】
本体１０４は、遊技盤２００の一端を回転支持する支持部１０４ｄと、遊技盤２００を収容する収容部１０４ｅを有する。支持部１０４ｄは挿入された遊技盤２００の一端を外れないように押さえる突出部１０４ｃを有しており、この支持部１０４ｄに一端を挿入した遊技盤２００は、その一端を軸に回転して開閉可能としている。遊技盤２００を閉じると、その遊技盤２００は本体１０４の収容部１０４ｅに収容される。
【００９９】
この遊技盤２００を閉じる動作によって第一のコネクタ１０４ａ３と第二のコネクタ２００ａ３とが押し付けられて接続するとともに第三のコネクタ１０４ａ４と第四のコネクタ２００ａ４とが押し付けられて接続する。遊技盤２００を開くと、第一のコネクタ１０４ａ３と第二のコネクタ２００ａ３との接続、および第三のコネクタ１０４ａ４と第四のコネクタ２００ａ４との接続は解除される。
【０１００】
ここで、図１４（ｂ）および（ｃ）を参照すると、第二のコネクタ２００ａ３の接続面における長辺の長さ（接続相手のコネクタと同時に接触する辺の長さ）Ｌ４は、第四のコネクタ２００ａ４の接続面における長辺の長さＬ３よりも短い。接続面の長辺の長さすなわち接続相手のコネクタと同時に接触する辺の長さが長いと、コネクタ同士を接続する際の接触、衝突の衝撃が分散され、破損しにくくなる場合がある。
【０１０１】
したがって、この例では、第二のコネクタ２００ａ３の接続面における長辺の長さは、第四のコネクタ２００ａ４の接続面における長辺の長さよりも短く、第一のコネクタ１０４ａ３と第二のコネクタ２００ａ３とでは接続面の長辺の長さは同じであり、また第一のコネクタ１０４ａ３と第二のコネクタ２００ａ３とでは、第二のコネクタ２００ａ３の方が突出し、高さが高いので、第二のコネクタ２００ａ３が最も破損可能性が高いことがわかる。また、支持部１０４ｄから各コネクタまでの距離を考慮しても、支持部１０４ｄから第一のコネクタ１０４ａ３および第二のコネクタ２００ａ３までの距離は、支持部１０４ｄから第三のコネクタ１０４ａ４と第四のコネクタ２００ａ４までの距離よりも短いので、このことからも第二のコネクタ２００ａ３が最も破損可能性が高いことがわかる。
【０１０２】
このことから、第二のコネクタ２００ａ３を検査して正常であれば、第一のコネクタ１０４ａ３、第三のコネクタ１０４ａ４および第四のコネクタ２００ａ４も正常であり、これらをさらに検査する手間が不要となる場合がある。
【０１０３】
＜＜第５の実施例＞＞
図１５は、本発明に係るコネクタ接続の構成の第５の実施例を示す斜視図であり、ぱちんこ機１００の遊技盤２００を開いた状態を示す図である。
【０１０４】
また、図１６は、図１５のぱちんこ機１００の遊技盤２００を閉じた状態の正面図である。
【０１０５】
また、図１７は、図１６のＥ−Ｅ断面図であり、（ａ）は遊技盤２００の一端を、遊技盤２００を回転支持する本体１０４の支持部１０４ｄに取り付け、遊技盤２００を開いた状態を示す図であり、（ｂ）は遊技盤２００を閉じ初め、遊技盤２００のコネクタと本体１０４のコネクタとが接した状態を示す図であり、（ｃ）は遊技盤２００を閉じ、遊技盤２００を本体１０４の収容部１０４ｅに収容した状態を示す図である。
【０１０６】
この第５の実施例では、第一の部品である本体１０４に設けた第一のコネクタ１０４ａ５と第二の部品である遊技盤２００に設けた第二のコネクタ２００ａ５とを接続する構成を示す。
【０１０７】
第一のコネクタ１０４ａ５は、その当接面１０４ａ５ｓにて本体１０４に接し、電気的に接続されて実装される。
【０１０８】
第二のコネクタ２００ａ５は、その当接面２００ａ５ｓにて遊技盤２００に接し、電気的に接続されて実装される。
【０１０９】
本体１０４は、遊技盤２００の一端を回転支持する支持部１０４ｄと、遊技盤２００を収容する収容部１０４ｅを有する。支持部１０４ｄは挿入された遊技盤２００の一端を外れないように押さえる突出部１０４ｃを有しており、この支持部１０４ｄに一端を挿入した遊技盤２００は、その一端を軸に回転して開閉可能としている。遊技盤２００を閉じると、その遊技盤２００は本体１０４の収容部１０４ｅに収容される。
【０１１０】
この遊技盤２００を閉じる動作によって第一のコネクタ１０４ａ５と第二のコネクタ２００ａ５とが押し付けられて接続する。遊技盤２００を開くと、第一のコネクタ１０４ａ５と第二のコネクタ２００ａ５との接続は解除される。
【０１１１】
また、図１５および図１６に示すように、この実施例では、本体１０４に遊技盤２００を収容したときに、遊技盤２００を固定する遊技盤固定部８００を本体１０４に設けている。
【０１１２】
遊技盤固定部８００は、遊技盤受部８０１と作動レバー部８０２とを有し、この遊技盤受部８０１と作動レバー部８０２との間に遊技盤２００を挿入して固定する。本実施例では、遊技盤２００の上端および下端を固定するように、上部と下部の２か所に遊技盤固定部８００を設けており、上部の遊技盤固定部８００は、遊技盤受部８０１が作動レバー部８０２の下側になる向きで本体１０４に取り付け、下部の遊技盤固定部８００は、遊技盤受部８０１が作動レバー部８０２の上側になる向きで、本体１０４に取り付けている。
【０１１３】
遊技盤受部８０１と作動レバー部８０２との間の開口は、上部の遊技盤固定部８００については遊技盤２００の上端に向いており、また下部の遊技盤固定部８００については遊技盤２００の下端に向いており、この開口に遊技盤２００の上端および下端が挿入されて遊技盤２００が本体１０４に収容される動きに伴い、遊技盤受部８０１および作動レバー部８０２は本体１０４側を軸に回動し、上部の遊技盤固定部８００の開口は下を向き、下部の遊技盤固定部８００の開口は上を向き（図１６参照）、これによって上部の遊技盤固定部８００と下部の遊技盤固定部８００とで遊技盤２００を上下から挟んで固定する。
【０１１４】
また、図１７に示すように、本体１０４には弾性部材８０３を設けている。弾性部材８０３について、図１７では、模式的にコイルばねで図示しているが、本発明はこれに限られるものではなく、板ばねやそのほか既知の各種ばねや、ゴムやそのほか如何なる部材であってもよい場合がある。また、弾性部材８０３は遊技盤固定部８００に含めてもよい場合があり、この場合、遊技盤受部８０１および作動レバー部８０２の回動に対して弾性部材８０３が付勢する場合がある。
【０１１５】
弾性部材８０３は、遊技盤２００を本体１０４に収容する際に、遊技盤２００と本体１０４とが離間する方向に付勢する。すなわち、弾性部材８０３は、遊技盤２００を本体１０４に収容する方向と逆の方向に付勢し、これによって、第一のコネクタ１０４ａ５と第二のコネクタ２００ａ５との接続時の各コネクタへの衝撃を和らげて、これらの故障等を防ぐことができる場合がある。
【０１１６】
図１８は、図１５のぱちんこ機１００におけるコネクタの配置の別の例を示す図であって、（ａ）は、図１５のぱちんこ機１００の遊技盤２００を外した本体１０４の正面図であり、（ｂ）は、図１５のぱちんこ機１００の本体１０４から外した遊技盤２００の背面図である。
【０１１７】
この図１８の例では、第一の部品である本体１０４に設けた第一のコネクタ１０４ａ６と第二の部品である遊技盤２００に設けた第二のコネクタ２００ａ６とを接続し、第一の部品である本体１０４に設けた第三のコネクタ１０４ａ７と第二の部品である遊技盤２００に設けた第四のコネクタ２００ａ７とを接続する構成を示す。
【０１１８】
第一のコネクタ１０４ａ６は、本体１０４に接し、電気的に接続されて実装される。第二のコネクタ２００ａ６は、遊技盤２００に接し、電気的に接続されて実装される。第三のコネクタ１０４ａ７は、本体１０４に接し、電気的に接続されて実装される。第四のコネクタ２００ａ７は、遊技盤２００に接し、電気的に接続されて実装される。
【０１１９】
遊技盤２００を閉じる動作によって、第一のコネクタ１０４ａ６と第二のコネクタ２００ａ６とが押し付けられて接続し、第三のコネクタ１０４ａ７と第四のコネクタ２００ａ７とが押し付けられて接続する。遊技盤２００を開くと、第一のコネクタ１０４ａ６と第二のコネクタ２００ａ６との接続および第三のコネクタ１０４ａ７と第四のコネクタ２００ａ７との接続は解除される。
【０１２０】
この例では、第一のコネクタ１０４ａ６と第三のコネクタ１０４ａ７とは、ほぼ同じ大きさで縦一列に配置し、また、第二のコネクタ２００ａ６と第四のコネクタ２００ａ７とは、ほぼ同じ大きさで縦一列に配置している。これにより、コネクタ接続時等にそれぞれにかかる力が分散され、コネクタの故障等を防ぐことができる場合がある。
【０１２１】
なお、第一のコネクタ１０４ａ６（第二のコネクタ２００ａ６）と第三のコネクタ１０４ａ７（第四のコネクタ２００ａ７）とは同じ大きさのコネクタでなくてもよく、例えば
・第一のコネクタ１０４ａ６（第二のコネクタ２００ａ６）が第三のコネクタ１０４ａ７（第四のコネクタ２００ａ７）よりも大きい、
・第一のコネクタ１０４ａ６（第二のコネクタ２００ａ６）が第三のコネクタ１０４ａ７（第四のコネクタ２００ａ７）よりも小さい、
であってもよい。
【０１２２】
ここで、コネクタが大きい、小さいというのは、例えば「コネクタの接続面」の面積が大きい、小さいということを指す場合があり、「コネクタの接続面」の面積は例えば矩形である「コネクタの接続面」においてその縦の長さ及び横の長さによって規定される。
【０１２３】
また、第一のコネクタ１０４ａ６（第二のコネクタ２００ａ６）と第三のコネクタ１０４ａ７（第四のコネクタ２００ａ７）とにおいて、一方のコネクタが他方のコネクタよりも大きいとは、
・一方のコネクタの「コネクタの接続面」の縦の長さが他方のコネクタの「コネクタの接続面」の縦の長さよりも長く、且つ横の長さ同士は等しい、
・一方のコネクタの「コネクタの接続面」の横の長さが他方のコネクタの「コネクタの接続面」の横の長さよりも長く、且つ縦の長さ同士は等しい、
・一方のコネクタの「コネクタの接続面」の縦の長さが他方のコネクタの「コネクタの接続面」の縦の長さよりも長く、且つ一方のコネクタの「コネクタの接続面」の横の長さが他方のコネクタの「コネクタの接続面」の横の長さよりも長い、
・一方のコネクタの「コネクタの接続面」の縦の長さが他方のコネクタの「コネクタの接続面」の縦の長さよりも長く、且つ一方のコネクタの「コネクタの接続面」の横の長さが他方のコネクタの「コネクタの接続面」の横の長さよりも短く、且つ一方のコネクタの「コネクタの接続面」の面積が他方のコネクタの「コネクタの接続面」の面積よりも大きい、
・一方のコネクタの「コネクタの接続面」の横の長さが他方のコネクタの「コネクタの接続面」の横の長さよりも長く、且つ一方のコネクタの「コネクタの接続面」の縦の長さが他方のコネクタの「コネクタの接続面」の縦の長さよりも短く、且つ一方のコネクタの「コネクタの接続面」の面積が他方のコネクタの「コネクタの接続面」の面積よりも大きい、
などの場合がある。
【０１２４】
また、第一のコネクタ１０４ａ６（第二のコネクタ２００ａ６）と第三のコネクタ１０４ａ７（第四のコネクタ２００ａ７）とにおいて、一方のコネクタが他方のコネクタよりも小さいとは、
・一方のコネクタの「コネクタの接続面」の縦の長さが他方のコネクタの「コネクタの接続面」の縦の長さよりも短く、且つ横の長さ同士は等しい、
・一方のコネクタの「コネクタの接続面」の横の長さが他方のコネクタの「コネクタの接続面」の横の長さよりも短く、且つ縦の長さ同士は等しい、
・一方のコネクタの「コネクタの接続面」の縦の長さが他方のコネクタの「コネクタの接続面」の縦の長さよりも短く、且つ一方のコネクタの「コネクタの接続面」の横の長さが他方のコネクタの「コネクタの接続面」の横の長さよりも短い、
・一方のコネクタの「コネクタの接続面」の縦の長さが他方のコネクタの「コネクタの接続面」の縦の長さよりも短く、且つ一方のコネクタの「コネクタの接続面」の横の長さが他方のコネクタの「コネクタの接続面」の横の長さよりも長く、且つ一方のコネクタの「コネクタの接続面」の面積が他方のコネクタの「コネクタの接続面」の面積よりも小さい、
・一方のコネクタの「コネクタの接続面」の横の長さが他方のコネクタの「コネクタの接続面」の横の長さよりも短く、且つ一方のコネクタの「コネクタの接続面」の縦の長さが他方のコネクタの「コネクタの接続面」の縦の長さよりも長く、且つ一方のコネクタの「コネクタの接続面」の面積が他方のコネクタの「コネクタの接続面」の面積よりも小さい、
などの場合がある。
【０１２５】
なお、一方のコネクタの「コネクタの接続面」とは、接続対象の他方のコネクタと直接に接する面をいう場合もあり、直接に接しはしない周囲の枠を含む外形全体の面をいう場合もある。
【０１２６】
また、コネクタの配置位置は縦一列でなくてもよく、例えば
・第一のコネクタ１０４ａ６（第二のコネクタ２００ａ６）と第三のコネクタ１０４ａ７（第四のコネクタ２００ａ７）とを横一列に配置、
・第一のコネクタ１０４ａ６（第二のコネクタ２００ａ６）と第三のコネクタ１０４ａ７（第四のコネクタ２００ａ７）とを斜め一列に配置、
・第一のコネクタ１０４ａ６（第二のコネクタ２００ａ６）と第三のコネクタ１０４ａ７（第四のコネクタ２００ａ７）との２つのコネクタを、少し列からずれた状態で配置、
・第一のコネクタ１０４ａ６（第二のコネクタ２００ａ６）に対して第三のコネクタ１０４ａ７（第四のコネクタ２００ａ７）が角度をもって配置、
であってもよい。
【０１２７】
ここで、縦一列とは、例えば、第一のコネクタ１０４ａ６（第二のコネクタ２００ａ６）と第三のコネクタ１０４ａ７（第四のコネクタ２００ａ７）とにおいて、
・一方のコネクタの縦方向中心線（「コネクタの接続面」の縦の辺と平行な線）と他方のコネクタの縦方向中心線（「コネクタの接続面」の縦の辺と平行な線）とが一致していること、
・一方のコネクタの中心点と他方のコネクタの中心点とを結ぶ直線が、両方のコネクタの「コネクタの接続面」の縦の辺と平行であること、
・一方のコネクタの「コネクタの接続面」の横の辺と、他方のコネクタの「コネクタの接続面」の横の辺とが、どちらかのコネクタを「コネクタの接続面」の縦の辺が伸びる方向に平行移動させた場合に完全一致すること、
などが挙げられる。
【０１２８】
また、横一列とは、例えば、第一のコネクタ１０４ａ６（第二のコネクタ２００ａ６）と第三のコネクタ１０４ａ７（第四のコネクタ２００ａ７）とにおいて、
・一方のコネクタの横方向中心線（「コネクタの接続面」の横の辺と平行な線）と他方のコネクタの横方向中心線（「コネクタの接続面」の横の辺と平行な線）とが一致していること、
・一方のコネクタの中心点と他方のコネクタの中心点とを結ぶ直線が、両方のコネクタの「コネクタの接続面」の横の辺と平行であること、
・一方のコネクタの「コネクタの接続面」の縦の辺と、他方のコネクタの「コネクタの接続面」の縦の辺とが、どちらかのコネクタを「コネクタの接続面」の横の辺が伸びる方向に平行移動させた場合に完全一致すること、
などが挙げられる。
【０１２９】
また、斜め一列とは、例えば、第一のコネクタ１０４ａ６（第二のコネクタ２００ａ６）と第三のコネクタ１０４ａ７（第四のコネクタ２００ａ７）とにおいて、
・一方のコネクタの所定方向中心線（「コネクタの接続面」の所定方向の辺と平行な線）と他方のコネクタの所定方向中心線（「コネクタの接続面」の所定方向の辺と平行な線）とが一致していること、
・一方のコネクタの中心点と他方のコネクタの中心点とを結ぶ直線が、両方のコネクタの「コネクタの接続面」のいずれかの辺と平行であること、
・一方のコネクタの「コネクタの接続面」の所定方向の辺と、他方のコネクタの「コネクタの接続面」の所定方向の辺とが、どちらかのコネクタを「コネクタの接続面」の所定方向と垂直な方向の辺と平行に移動させた場合に完全一致すること、
などが挙げられる。
【０１３０】
また、少しずれた状態で配置とは、
・一方のコネクタの所定方向中心線（「コネクタの接続面」の所定方向の辺と平行な線）と他方のコネクタの所定方向中心線（「コネクタの接続面」の所定方向の辺と平行な線）とが平行であるが少しずれている、
・一方のコネクタの中心点と他方のコネクタの中心点とを結ぶ直線が、両方のコネクタの「コネクタの接続面」のいずれかの辺と平行ではないこと、
・一方のコネクタの「コネクタの接続面」の所定方向の辺と、他方のコネクタの「コネクタの接続面」の所定方向の辺とが、どちらかのコネクタを「コネクタの接続面」の所定方向と垂直な方向の辺が伸びる方向に平行移動させた場合に完全一致すること、
・一方のコネクタの「コネクタの接続面」のいずれかの辺と、他方のコネクタの「コネクタの接続面」のいずれかの辺とが、平行ではないこと、
などが挙げられる。
【０１３１】
図１９は、図１５のぱちんこ機１００におけるコネクタの配置の別の例を示す図であって、（ａ）は、図１５のぱちんこ機１００の遊技盤２００を外した本体１０４の正面図であり、（ｂ）は、図１５のぱちんこ機１００の本体１０４から外した遊技盤２００の背面図である。
【０１３２】
この図１９の例では、外側（支持部１０４ｄから遠い側）に長いコネクタ１０４ａ８およびコネクタ２００ａ８を配置し、内側（支持部１０４ｄに近い側側）に短いコネクタ１０４ａ９およびコネクタ２００ａ９を配置している。
【０１３３】
この例によれば、外側のほうがコネクタ同士の接触面が広いため、コネクタに加わる力が分散し、コネクタの故障を防ぐ場合がある。
【０１３４】
また、この例では長いほうを外側に配置しているが、短いほうを外側に配置する場合もある。この場合、外側の短いコネクタが壊れやすくなっているが、弾性部材８０３の付勢力によってコネクタへ加わる力が分散し、コネクタの故障を防ぐことができる場合がある。
【０１３５】
＜＜第６の実施例＞＞
図２０は、本発明に係るぱちんこ機１００の具体的構成の一例を示す正面図である。
【０１３６】
遊技盤２００は、外枠１０２内の本体１０４に設けた支持部１０４ｄに軸支され、本体１０４収容された際に、遊技盤固定部８００によって固定される。
【０１３７】
図２１は、図２０に示したぱちんこ機１００を示す図であり、（ａ）はぱちんこ機１００における、前面枠扉１０６を開いて遊技盤２００を取り外した状態の本体１０４を示す図であり、（ｂ）は遊技盤２００の背面図である。
【０１３８】
図２２は、図２１に示した遊技盤２００を本体１０４に収容する様子を示す図であって、（ａ）は遊技盤２００の一端を、遊技盤２００を回転支持する本体１０４の支持部１０４ｄに取り付け、遊技盤２００を開いた状態を示す図であり、（ｂ）は遊技盤２００を閉じ、遊技盤２００を本体１０４の収容部１０４ｅに収容した状態を示す図である。
【０１３９】
図２３は、図２２に示した支持部１０４ｄの近傍を示す斜視図である。
【０１４０】
本実施例では、ぱちんこ機１００の主基板を７０２で示し、副基板を７０３で示している。
【０１４１】
主基板７０２に接続されたコネクタ７０２ａは、例えばハーネスによってコネクタ７０５ａと接続される。また、副基板７０３に接続されたコネクタ７０３ａは、例えばハーネスによってコネクタ７０４ａと接続され、副基板７０３に接続されたコネクタ７０３ｂは、例えばハーネスによってコネクタ７０４ｂと接続される。
【０１４２】
コネクタ７０５ａとコネクタ７０６ａとは例えば後述の基板７０５のプリント配線にて接続され、コネクタ７０４ａとコネクタ７０６ｂとは例えば後述の基板７０４のプリント配線にて接続され、コネクタ７０４ｂとコネクタ７０６ｃとは例えば後述の基板７０４のプリント配線にて接続される。
【０１４３】
本体１０４は、遊技盤２００の一端を回転支持する支持部１０４ｄと、遊技盤２００を収容する収容部１０４ｅを有する。支持部１０４ｄは挿入された遊技盤２００の一端を外れないように押さえる突出部１０４ｃを有しており、この支持部１０４ｄに一端を挿入した遊技盤２００は、その一端を軸に回転して開閉可能としている。遊技盤２００を閉じると、その遊技盤２００は本体１０４の収容部１０４ｅに収容される。
【０１４４】
この遊技盤２００を閉じる動作によって、本体１０４側のコネクタ７０７ａと遊技盤２００側のコネクタ７０６ａとが押し付けられて接続し、本体１０４側のコネクタ７０７ｂと遊技盤２００側のコネクタ７０６ｂとが押し付けられて接続し、本体１０４側のコネクタ７０７ｃと遊技盤２００側のコネクタ７０６ｃとが押し付けられて接続する。遊技盤２００を開くと、コネクタ７０７ａとコネクタ７０６ａとの接続、コネクタ７０７ｂとコネクタ７０６ｂとの接続、およびコネクタ７０７ｃとコネクタ７０６ｃとの接続は解除される。
【０１４５】
遊技盤２００を閉じると、本体１０４に取り付けてある遊技盤固定部８００によって、遊技盤２００は本体１０４に固定される。なお、図２１（ａ）においては、作動レバー部８０２の面が遊技者側に向いた状態を図示している。
【０１４６】
図２４は、本体１０４側のコネクタと遊技盤２００側のコネクタの詳細を示す斜視図であり、（ａ）は遊技盤２００側のコネクタの周辺構成を分解した状態を示す図であり、（ｂ）は遊技盤２００側のコネクタの周辺構成を組み立てた状態を示す図である。また、図２５（ａ）は図２４（ａ）の背面斜視図であり、図２５（ｂ）は図２４（ｂ）の背面斜視図である。
【０１４７】
コネクタ７０６ａは、当接面７０６ａｓを基板７０５に当接させて例えば半田によって接続して実装する。コネクタ７０６ｂは、当接面７０６ｂｓを基板７０４に当接させて例えば半田によって接続して実装する。コネクタ７０６ｃは、当接面７０６ｃｓを基板７０４に当接させて例えば半田によって接続して実装する。
【０１４８】
互いに接続されるコネクタ７０６ａとコネクタ７０７ａとはフローティングコネクタであってもよいし、そうでなくてもよい。本実施例では、フローティングコネクタとする。コネクタ７０７ａは、本体１０４に取り付けられた状態において、接続相手のコネクタ７０６ａとの接続面と少なくとも平行な面内で、接続位置のずれを吸収可能なようにフローティング（移動可能）としている。
【０１４９】
互いに接続されるコネクタ７０６ｂとコネクタ７０７ｂとはフローティングコネクタであってもよいし、そうでなくてもよい。本実施例では、フローティングコネクタとする。コネクタ７０７ｂは、本体１０４に取り付けられた状態において、接続相手のコネクタ７０６ｂとの接続面と少なくとも平行な面内で、接続位置のずれを吸収可能なようにフローティング（移動可能）としている。
【０１５０】
互いに接続されるコネクタ７０６ｃとコネクタ７０７ｃとはフローティングコネクタであってもよいし、そうでなくてもよい。本実施例では、フローティングコネクタとする。コネクタ７０７ｃは、本体１０４に取り付けられた状態において、接続相手のコネクタ７０６ｃとの接続面と少なくとも平行な面内で、接続位置のずれを吸収可能なようにフローティング（移動可能）としている。
【０１５１】
コネクタ７０７ａ、コネクタ７０７ｂおよびコネクタ７０７ｃは、そのフローティング機構の故にフローティングではないコネクタと比べて破損しやすい場合がある。また、コネクタ７０６ａ、コネクタ７０６ｂおよびコネクタ７０６ｃの端子部分は電極が例えば同であるのに対して、その周辺を例えば黒色にしておけば、その周辺色の変色で、破損の進行を視認可能な場合がある。
【０１５２】
コネクタ７０６ａを実装した基板７０５、並びにコネクタ７０６ｂおよびコネクタ７０６ｃを実装した基板７０４は、ドロワベース７０８に固定され、その後、遊技盤２００に取り付けられる。
【０１５３】
コネクタ７０６ａ、コネクタ７０６ｂおよびコネクタ７０６ｃは、フローティングではないので、破損しにくい。また、コネクタ７０６ａ、コネクタ７０６ｂおよびコネクタ７０６ｃは、一般にハウジングと呼ばれ、金属製の枠に覆われているので、破損しにくい。
【０１５４】
コネクタ７０７ａは、当接面７０７ａｓを本体１０４に当接させて例えば半田によって接続して実装する。コネクタ７０７ｂは、当接面７０７ｂｓを本体１０４に当接させて例えば半田によって接続して実装する。コネクタ７０７ｃは、当接面７０７ｃｓを本体１０４に当接させて例えば半田によって接続して実装する。このとき、コネクタ７０７ａは図示しないコネクタ接続部によって、その高さを高くしている。
【０１５５】
以上のように構成することによって、コネクタ７０７ａを最も破損しやすい構成とすることができ、コネクタの検査時にはすべてのコネクタを検査せずとも、コネクタ７０７ａを検査すればよい場合がある。
【０１５６】
また、複数のコネクタにおいては、そのすべての中で最も破損しやすいもののみを検査するようにしてもよいし、複数のコネクタの中のいくつかだけを対象にしてそのいくつかの中で最も破損しやすいものの検査により、他のコネクタの破損状態を知ることができる場合がある。
【０１５７】
また、コネクタは、その長辺が長い方が接続時の衝撃が分散して破損しにくいが、意図的に破損しやすいように長辺が短いコネクタを用意し、その破損を確認することによって、他のコネクタの破損状態を知り得るように構成することができるが、この場合、長辺が短いコネクタは安価であることから、安価な構成で他のコネクタの破損状態を知り得る場合がある。
【０１５８】
図２６は、本体１０４に取り付ける遊技盤固定具８００の詳細を示す図であり、（ａ）は遊技盤固定具８００の開口を下に向けた状態を示す斜視図であり、（ｂ）は遊技盤固定具８００の作動レバー部８０２の面側から見た正面図である。
【０１５９】
図２７は、図２６に示した遊技盤固定具８００の分解斜視図である。
【０１６０】
遊技盤固定具８００は、遊技盤受部８０１を成す２枚の板部材８０１ａおよび８０１ｂと、作動レバー部８０２と、弾性部材８０３と、基台８０４と、
係止爪８０５ｃを有する係止部材８０５と、を有して構成される。
【０１６１】
基台８０４は、平板部材の両脇を図中手前側に屈曲させて、中央を背板８０４ａとし、両脇を脇部８０４ｂとしている。背板８０４ａは本体１０４に固定する。
【０１６２】
作動レバー部８０２の両側には板部材８０１ａおよび板部材８０１ｂを配置し、軸８０７を、板部材８０１ｂの貫通孔８０１ｂａ、作動レバー部８０２の８０２ａ、板部材８０１ａの貫通孔８０１ａａの順で貫通し、作動レバー部８０２と板部材８０１ａおよび板部材８０１ｂとがずれないように固定する。
【０１６３】
軸８０６は、基台８０４の貫通孔８０４ｄ、板部材８０１ｂの貫通孔８０１ｂｂ、作動レバー部８０２の８０２ｂ、板部材８０１ａの貫通孔８０１ａｂ、基台８０４の貫通孔８０４ｆの順に貫通し、一体化した板部材８０１ｂ、作動レバー部８０２および板部材８０１ａが、基台８０４に対して回動可能になるように軸支する。
【０１６４】
軸８０８は、板部材８０１ｂの貫通孔８０１ｂｃ、板部材８０１ａの貫通孔８０１ａｃ、の順で貫通する。
【０１６５】
軸８０９は、基台８０４の貫通孔８０４ｃ、係止部８０５の貫通孔８０５ｂ、基台８０４の貫通孔８０４ｅの順で貫通し、係止部８０５が、基台８０４に対して回動可能になるように軸支する。係止部８０５は上部に操作部８０５ａを有する。
【０１６６】
弾性部材８０３は、本例では板ばねであり、所定形状に湾曲させたほぼ中央部を、基台８０４の背板８０４ａに固定する。弾性部材８０３の下側は背板８０４ａに当接する。係止部８０５は、平板部材の両脇を図中下側に屈曲させ、その上面に対してその下側から、弾性部材８０３の上側が当接する。
【０１６７】
基台８０４は、軸８０８が入り込む凹部８０４ｇ、８０４ｈを有する。また、係止部８０５の係止爪８０５ｃは、詳しくは後述するように、軸８０８を係止する。
【０１６８】
図２８は、遊技盤２００を本体１０４に収容し、遊技盤固定具８００によって固定する動作を説明する図であって、（ａ）は、遊技盤固定具８００の開口に遊技盤２００が挿入された状態を示す側面図であり、（ａ）’は、（ａ）の状態における、図２６（ｂ）のＦ−Ｆ位置での側断面図であり、（ｂ）は、（ａ）に続く状態であって遊技盤２００の収容が進んだ状態を示す側面図であり、（ｂ）’は、（ｂ）の状態における、図２６（ｂ）のＦ−Ｆ位置での側断面図であり、（ｃ）は、（ｂ）に続く状態であって遊技盤２００の収容が完了した状態を示す側面図であり、（ｃ）’は、（ｃ）の状態における、図２６（ｂ）のＦ−Ｆ位置での側断面図である。
【０１６９】
なお、図２８において、本体１０４の図示を省略しているが、図中右側にある本体１０４に遊技盤固定具８００が取り付けられている。
【０１７０】
遊技盤２００の本体１０４への収容時には、遊技盤固定具８００の開口すなわち遊技盤受部８０１と作動レバー部８０２との間の開口に遊技盤２００が挿入され、この遊技盤２００が遊技盤受部８０１を本体１０４側に押す。
【０１７１】
図２８（ａ）、（ａ）’に示すように、遊技盤２００を収容していないときには、弾性部材８０３に付勢されて、係止部８０５は、その操作部８０５ａが背板８０４ａとほぼ垂直な位置にある。
【０１７２】
図２８（ｂ）、（ｂ）’に示すように、遊技盤２００を収容しようと遊技盤２００で遊技盤受部８０１を押すと、軸８０８が係止爪８０５ｃを押し、弾性部材８０３の弾性力に反して、操作部８０５ａの先端が下がるように係止部８０５を回動させる。
【０１７３】
図２８（ｃ）、（ｃ）’に示すように、さらに遊技盤２００を押し込むと、係止爪８０５ｃのくぼみに軸８０８が嵌り、弾性部材８０３の弾性力によって、操作部８０５ａの先端が上がるように係止部８０５を回動させ、図２８（ａ）、（ａ）’と同じ位置に位置する。このとき軸８０８は係止爪８０５ｃに係止され、これによって遊技盤受部８０１および作動レバー部８０２が固定され、遊技盤受部８０１と作動レバー部８０２との間の開口に挿入された遊技盤２００が固定される。
【０１７４】
遊技盤２００の固定を解除する際には、図２８（ｃ）、（ｃ）’に示す状態において、操作部８０５ａの先端を押し下げる。この操作により、係止爪８０５ｃが軸８０８から外れ、遊技盤受部８０１および作動レバー部８０２は自由に動き、遊技盤２００を遊技者側に引き出すことが可能になる。
【０１７５】
＜＜第７の実施例＞＞
本例では、ぱちんこ機１００の外枠１０２に設けたスピーカ（図示省略）と、本体１０４に設けたスピーカの制御回路とを接続するコネクタの構成を示す。
【０１７６】
図２９は、第７の実施例において、ぱちんこ機１００の外枠１０２から本体１０４を開いた状態を示す斜視図である。
【０１７７】
図３０は、図２９のぱちんこ機１００において、本体１０４の下部が見えるように下側から見た斜視図である。
【０１７８】
図３１は、図２９のぱちんこ機１００において、コネクタ近傍を拡大して示す斜視図であり、（ａ）は本体１０４側のコネクタ近傍を示す図であり、（ｂ）は外枠１０２側のコネクタ近傍を示す図である。
【０１７９】
図３２は、図２９のぱちんこ機１００において、コネクタ近傍を拡大して示す斜視図であり、（ａ）は外枠１０２側のコネクタに本体１０４側のコネクタが接続される様子を示す図であり、（ｂ）は外枠１０２側のコネクタに本体１０４側のコネクタを接続した状態を示す図である。
【０１８０】
外枠１０２側のコネクタ８５０の両側には、コネクタ接続がスムーズに行われるための位置決め用の突出部８５１を設けており、これに対向した本体１０４側のコネクタ８６０の両側には、突出部８５１に対応する孔８６１を設けている。
【０１８１】
さらに、本体１０４には位置決め部材８５２を設け、これに対向した外枠１０２には、位置決め部材８６２が上部を滑って収納される板金部材８５２を設けている。
【０１８２】
本体１０４を外枠１０２に対して閉じると、コネクタ８５０とコネクタ８６０とが接続される。このとき、孔８６１に突出部８５１が嵌るとともに板金部材８５２上を位置決め部材８６２が滑って収納されることによって、コネクタ同士の位置決めがされる。
【０１８３】
開閉動作の際に動かない方の外枠１０２側のコネクタ８５０をフローティングコネクタにしてもよい場合があり、開閉動作の際に動く方の本体１０４側のコネクタ８６０をフローティングコネクタにしてもよい場合がある。
【０１８４】
ここで、開閉動作する本体１０４に、動かないコネクタ（固定のコネクタ）を配置し、動作しない外枠１０２に、動くコネクタ（フローティングコネクタ）を配置する場合があり、これは、遊技領域が広くなっていくことに伴い遊技盤が大きくなっているため、コネクタ用の基板を設置する余裕があることによる。
【０１８５】
ここで、第一の高さや、第二の高さについて、図面を参照して説明する。
【０１８６】
図３３は、コネクタ８１０が実装された基板８１１が部品８１２に取り付けられている場合であって、コネクタ８１０が対向するコネクタと接触する接触部の面が、部品８１２の段差面よりも、対向するコネクタに近い場合を説明する概略側面図である。
【０１８７】
図３４は、コネクタ８１０が実装された基板８１１が部品８１２に取り付けられている場合であって、コネクタ８１０が対向するコネクタと接触する接触部の面が、部品８１２の段差面よりも、対向するコネクタから遠い場合を説明する概略側面図である。
【０１８８】
図３３および３４において、
接続部Ａは、コネクタ８１０における、対向するコネクタと接触する接触部の面であり、
実装面Ｂは、基板８１１における、コネクタ８１０が実装された面であり、
実装面の裏面Ｃは、基板８１１における、コネクタ８１０が実装された面の裏面であり、
基板が固定されている面Ｃ’は、部品８１２における、基板８１１が固定されている面であり、
第一の面Ｄは、実装面の裏面Ｃとの段差がつけられた面であって、実装面の裏面Ｃから最も近い面であり、
第一の面Ｃと第二の面Ｆ以外の所定の面Ｅは、コネクタ８１０を中心にした左右両側のうち面Ｄおよび面Ｆと同じ側にあって、面Ｄと面Ｆとの間の高さの所定の面であり、
第二の面Ｆは、コネクタ８１０を中心にした左右両側のうち面Ｄおよび面Ｆと同じ側にあって、実装面の裏面Ｃから最も遠い面であり、
第三の面Ｇは、実装面の裏面Ｃとの段差がつけられた面であって、コネクタ８１０を中心にした左右両側のうち面Ｄと異なる側において、実装面の裏面Ｃから最も近い面であり、
また、この第三の面Ｇは、実装面の裏面Ｃとの段差がつけられた面であって、コネクタ８１０を中心にした左右両側のうち第四の面Ｉと同じ側において、面Ｉから最も遠い面であり、
第三の面Ｇと第四の面Ｉ以外の所定の面Ｈは、コネクタ８１０を中心にした左右両側のうち面Ｇおよび面Ｉと同じ側にあって、面Ｇと面Ｉとの間の高さの所定の面であり、
第四の面Ｉは、実装面の裏面Ｃとの段差がつけられた面であって、コネクタ８１０を中心にした左右両側のうち面Ｄと異なる側において、実装面の裏面Ｃから最も遠い面である。
【０１８９】
前記第一の高さや、前記第二の高さとしては、上記各面において、
・面Ａから面Ｂまでの高さでもよいし、
・面Ａから面Ｃまでの高さでもよいし、
・面Ａから面Ｃ’までの高さでもよいし、
・面Ａから面Ｄまでの高さでもよいし、
・面Ａから面Ｅまでの高さでもよいし、
・面Ａから面Ｆまでの高さでもよいし、
・面Ａから面Ｇまでの高さでもよいし、
・面Ａから面Ｈまでの高さでもよいし、
・面Ａから面Ｉまでの高さでもよい。
【０１９０】
図３５は、コネクタ８１０が実装された基板８１１が部品８１２に取り付けられている場合であって、コネクタ８１０が対向するコネクタと接触する接触部の面のうちの少なくとも一点が、部品８１２の段差面よりも、対向するコネクタから遠く、基板８１１と部品８１２の段差面とが所定の角度θを有する場合を説明する概略側面図である。
【０１９１】
図３６は、コネクタ８１０が実装された基板８１１が部品８１２に取り付けられている場合であって、コネクタ８１０が対向するコネクタと接触する接触部の面のうちの少なくとも一点が、部品８１２の段差面よりも、対向するコネクタに近く、基板８１１と部品８１２の段差面とが所定の角度θを有する場合を説明する概略側面図である。
【０１９２】
図３５および３６において、
接続部Ａは、コネクタ８１０における、対向するコネクタと接触する接触部の面であり、
また、点Ａ’は、面Ａのうち、対向するコネクタに最も近い点であり、
実装面Ｂは、基板８１１における、コネクタ８１０が実装された面であり、
実装面の裏面Ｃは、基板８１１における、コネクタ８１０が実装された面の裏面であり、
基板が固定されている面Ｃ’は、部品８１２における、基板８１１が固定されている面であり、
第一の面Ｄは、実装面の裏面Ｃと、段差を有さず、鈍角である所定の角度θを成す面であり、
第二の面Ｅは、実装面の裏面Ｃとの段差がつけられた面であって、実装面の裏面Ｃから最も近い面であり、
第二の面Ｅと第三の面Ｇ以外の所定の面Ｆは、コネクタ８１０を中心にした左右両側のうち面Ｅおよび面Ｇと同じ側にあって、面Ｅと面Ｇとの間の高さの所定の面であり、
第三の面Ｇは、実装面の裏面Ｃとの段差がつけられた面であって、コネクタ８１０を中心にした左右両側のうち面Ｅおよび面Ｇと同じ側において、実装面の裏面Ｃから最も遠い面であり、
第四の面Ｈは、実装面の裏面Ｃとの段差がつけられた面であって、コネクタ８１０を中心にした左右両側のうち面Ｄと異なる側において、実装面の裏面Ｃから最も近い面であり、
また、この第四の面Ｈは、実装面の裏面Ｃとの段差がつけられた面であって、コネクタ８１０を中心にした左右両側のうち第五の面Ｊと同じ側において、面Ｊから最も遠い面であり、
第四の面Ｈと第五の面Ｊ以外の所定の面Ｉは、コネクタ８１０を中心にした左右両側のうち面Ｈおよび面Ｊと同じ側にあって、面Ｈと面Ｊとの間の高さの所定の面であり、
第五の面Ｊは、実装面の裏面Ｃとの段差がつけられた面であって、実装面の裏面Ｃから最も遠い面である。
【０１９３】
前記第一の高さや、前記第二の高さとしては、上記各面において、
・面Ａから面Ｂまでの高さでもよいし、
・面Ａから面Ｃまでの高さでもよいし、
・面Ａから面Ｃ’までの高さでもよいし、
・点Ａ’から面Ｄまでの高さでもよいし、
・点Ａ’から面Ｅまでの高さでもよいし、
・点Ａ’から面Ｆまでの高さでもよいし、
・点Ａ’から面Ｇまでの高さでもよいし、
・点Ａ’から面Ｈまでの高さでもよいし、
・点Ａ’から面Ｉまでの高さでもよいし、
・点Ａ’から面Ｊまでの高さでもよい。
【０１９４】
この場合、コネクタが複数あることにより、第一のコネクタおよび第二のコネクタへ加わる力を分散させ、第一のコネクタと第二のコネクタの故障を防ぐことができる場合がある。
【０１９５】
遊技盤の表面（例えば、遊技領域１２４が設けられた面）に第二のコネクタを配置してもよい。
【０１９６】
また、遊技盤の表面（例えば、遊技領域１２４が設けられた面）に第三のコネクタを配置してもよい。
【０１９７】
また、遊技盤の表面（例えば、遊技領域１２４が設けられた面）に第六のコネクタを配置してもよい。
【０１９８】
遊技盤の裏面（例えば、遊技領域１２４が設けられた面の裏面、遊技盤における主基板や副基板が設けられている面）に第二のコネクタを配置してもよい。
【０１９９】
また、遊技盤の裏面（例えば、遊技領域１２４が設けられた面の裏面、遊技盤における主基板や副基板が設けられている面）に第三のコネクタを配置してもよい。
【０２００】
また、遊技盤の裏面（例えば、遊技領域１２４が設けられた面の裏面、遊技盤における主基板や副基板が設けられている面）に第六のコネクタを配置してもよい。
【０２０１】
＜＜＜第２の実施形態＞＞＞
図３７は、遊技盤２００を表面側から見た略示正面図であって、図３とは別の例を示す図である。
【０２０２】
遊技盤２００の遊技領域１２４が設けられている側（例えば遊技者側）が前側（表側）である。
【０２０３】
また、例えば一般入賞口２２６、普図始動口２２８、第１特図始動口２３０、第２特図始動口２３２、可変入賞口２３４などを配設した遊技領域１２４に面している側が遊技盤２００の前側（表側）である。
【０２０４】
遊技盤２００には、外レール２０２と内レール２０４とを配設し、遊技球が転動可能な遊技領域１２４を区画形成している。
【０２０５】
遊技領域１２４の略中央には、演出装置２０６を配設している。この演出装置２０６には、略中央に装飾図柄表示装置２０８（液晶表示装置２０８）を配設している。
【０２０６】
装飾図柄表示装置２０８は、装飾図柄ならびに演出に用いる様々な表示を行うための表示装置であり、本実施例では液晶表示装置（Ｌｉｑｕｉｄ  Ｃｒｙｓｔａｌ  Ｄｉｓｐｌａｙ）によって構成するが、本発明はこれに限られるものではなく、ＥＬ等を用いた表示装置を用いてもよい。この装飾図柄表示装置２０８は、左図柄表示領域２０８ａ、中図柄表示領域２０８ｂ、右図柄表示領域２０８ｃおよび演出表示領域２０８ｄの４つの表示領域に分割し、左図柄表示領域２０８ａ、中図柄表示領域２０８ｂおよび右図柄表示領域２０８ｃはそれぞれ異なった装飾図柄を表示し、演出表示領域２０８ｄは演出に用いる画像を表示する。さらに、各表示領域２０８ａ、２０８ｂ、２０８ｃ、２０８ｄの位置や大きさは、装飾図柄表示装置２０８の表示画面内で自由に変更することを可能としている。なお、装飾図柄表示装置２０８として液晶表示装置を採用しているが、液晶表示装置でなくとも、種々の演出や種々の遊技情報を表示可能に構成されていればよく、例えば、ドットマトリクス表示装置、７セグメント表示装置、有機ＥＬ（ＥｌｅｃｔｒｏＬｕｍｉｎｅｓｃｅｎｃｅ）表示装置、リール（ドラム）式表示装置、リーフ式表示装置、プラズマディスプレイ、プロジェクタを含む他の表示デバイスを採用してもよい。
【０２０７】
遊技盤２００の右下部には、普通図柄表示装置２１０と、第１特別図柄表示装置２１２と、第２特別図柄表示装置２１４と、普通図柄保留ランプ２１６と、第１特別図柄保留ランプ２１８と、第２特別図柄保留ランプ２２０と、高確中ランプ２２２と、を配設している。なお、以下、普通図柄を「普図」、特別図柄を「特図」と称する場合がある。
【０２０８】
また、本実施形態では、左図柄表示領域２０８ａ、中図柄表示領域２０８ｂ、および右図柄表示領域２０８ｃのそれぞれに表示する装飾図柄に次ぐ４つ目の装飾図柄として第４図柄を設けている。この第４図柄は、特図１用としての特図１用第４図柄２１９、および特図２用としての特図２用第４図柄２２１の２つを設けており、演出表示領域２０８ｄ（例えば下部）に表示する。第４図柄は、変動／停止を表示するものであり、例えば黒色は停止表示を示し、グレー色は変動表示を示す。
【０２０９】
普図表示装置２１０は、普図の表示を行うための表示装置であり、本実施例では７セグメントＬＥＤによって構成する。第１特図表示装置２１２および第２特図表示装置２１４は、特図の表示を行うための表示装置であり、本実施例では７セグメントＬＥＤによって構成する。
【０２１０】
普図保留ランプ２１６は、保留している普図変動遊技（詳細は後述）の数を示すためのランプであり、本実施例では、普図変動遊技を所定数（例えば、２つ）まで保留することを可能としている。第１特図保留ランプ２１８および第２特図保留ランプ２２０は、保留している特図変動遊技（詳細は後述）の数を示すためのランプであり、本実施例では、特図変動遊技を所定数（例えば、４つ）まで保留することを可能としている。高確中ランプ２２２は、遊技状態が大当りが発生し易い高確率状態であること、または高確率状態になることを示すためのランプであり、遊技状態を大当りが発生し難い低確率状態から高確率状態にする場合に点灯し、高確率状態から低確率状態にする場合に消灯する。
【０２１１】
また、この演出装置２０６の周囲には、一般入賞口２２６と、普図始動口２２８と、第１特図始動口２３０と、第２特図始動口２３２と、可変入賞口２３４と、を配設している。
【０２１２】
一般入賞口２２６は、本実施例では遊技盤２００に複数配設しており、この一般入賞口２２６への入球を所定の球検出センサ（図示省略）が検出した場合（一般入賞口２２６に入賞した場合）、払出装置１５２を駆動し、所定の個数（例えば、１０個）の球を賞球として上皿１２６に排出する。上皿１２６に排出した球は遊技者が自由に取り出すことが可能であり、これらの構成により、入賞に基づいて賞球を遊技者に払い出すようにしている。
【０２１３】
なお、一般入賞口２２６に入球した球は、パチンコ機１００の裏側に誘導した後、遊技島側に排出する。本実施例では、入賞の対価として遊技者に払い出す球を「賞球」、遊技者に貸し出す球を「貸球」と区別して呼ぶ場合があり、「賞球」と「貸球」を総称して「球（遊技球）」と呼ぶ。
【０２１４】
普図始動口２２８は、ゲートやスルーチャッカーと呼ばれる、遊技領域１２４の所定の領域を球が通過したか否かを判定するための装置で構成しており、本実施例では遊技盤２００の右側に１つ配設している。普図始動口２２８を通過した球は一般入賞口２２６に入球した球と違って、遊技島側に排出することはない。球が普図始動口２２８を通過したことを所定の玉検出センサが検出した場合、パチンコ機１００は、普図表示装置２１０による普図変動遊技を開始する。
【０２１５】
第１特図始動口２３０は、本実施例では遊技盤２００の中央に１つだけ配設している。この第１特図始動口２３０への入球を所定の球検出センサが検出した場合、払出装置１５２を駆動し、所定の個数（例えば、３個）の球を賞球として上皿１２６に排出するとともに、第１特図表示装置２１２による特図変動遊技を開始する。なお、第１特図始動口２３０に入球した球は、パチンコ機１００の裏側に誘導した後、遊技島側に排出する。
【０２１６】
第２特図始動口２３２は、電動チューリップ（電チュー）と呼ばれ、本実施例では遊技盤２００の右側に１つだけ配設している。この第２特図始動口２３２は、左右に開閉自在な羽根２３２ａを備え、羽根２３２ａの閉鎖中は球の入球が不可能であり、普図変動遊技に当選し、普図表示装置２１０が当たり図柄を停止表示した場合に羽根２３２ａが所定の時間間隔、所定の回数で開閉する。第２特図始動口２３２への入球を所定の球検出センサが検出した場合、払出装置１５２を駆動し、所定の個数（例えば、４個）の球を賞球として上皿１２６に排出するとともに、第２特図表示装置２１４による特図変動遊技を開始する。なお、第２特図始動口２３２に入球した球は、パチンコ機１００の裏側に誘導した後、遊技島側に排出する。
【０２１７】
可変入賞口２３４は、大入賞口またはアタッカーと呼ばれ、本実施例では遊技盤２００の中央部下方に１つ、右部下方に１つの計２つ配設している。この可変入賞口２３４は、開閉自在な扉部材２３４ａを備え、扉部材２３４ａの閉鎖中は球の入球が不可能であり、特図変動遊技に当選して特図表示装置２１２、２１４が大当たり図柄を停止表示した場合に扉部材２３４ａが所定の時間間隔（例えば、開放時間２９秒、閉鎖時間１．５秒）、所定の回数（例えば１５回）で開閉する。
【０２１８】
可変入賞口２３４への入球を所定の球検出センサが検出した場合、払出装置１５２を駆動し、所定の個数（例えば、１５個）の球を賞球として上皿１２６に排出する。なお、可変入賞口２３４に入球した球は、パチンコ機１００の裏側に誘導した後、遊技島側に排出する。
【０２１９】
さらに、これらの入賞口や始動口の近傍には、風車と呼ばれる円盤状の打球方向変換部材２３６や、遊技釘２３８を複数個、配設していると共に、内レール２０４の最下部には、いずれの入賞口や始動口にも入賞しなかった球をパチンコ機１００の裏側に誘導した後、遊技島側に排出するためのアウト口２４０を設けている。
【０２２０】
このパチンコ機１００は、遊技者が上皿１２６に貯留している球を発射レールの発射位置に供給し、遊技者の球発射ハンドル１３４の操作量に応じた強度で発射モータを駆動し、発射杆１４６および発射槌１４８によって外レール２０２、内レール２０４を通過させて遊技領域１２４に打ち出す。そして、遊技領域１２４の上部に到達した球は、打球方向変換部材２３６や遊技釘２３８等によって進行方向を変えながら下方に落下し、入賞口（一般入賞口２２６、可変入賞口２３４）や始動口（第１特図始動口２３０、第２特図始動口２３２）に入賞するか、いずれの入賞口や始動口にも入賞することなく、または普図始動口２２８を通過するのみでアウト口２４０に到達する。
【０２２１】
上述の打球方向変換部材２３６や遊技釘２３８などの遊技球が接触可能な部品が、遊技領域に配置されると共に発射された遊技球が接触可能な遊技部品である。
【０２２２】
＜演出装置２０６＞
次に、パチンコ機１００の演出装置２０６について説明する。演出装置２０６は、第１副制御部４００や第２副制御部５００により駆動制御される。
【０２２３】
この演出装置２０６の前面側には、遊技球の転動可能な領域にワープ装置２４２およびステージ２４４を配設している。また、演出装置２０６の背面側には、装飾図柄表示装置２０８を配設している。すなわち、演出装置２０６において、装飾図柄表示装置２０８は、ワープ装置２４２、ステージ２４４の後方に位置することとなる。
【０２２４】
ワープ装置２４２は、演出装置２０６の左上方に設けたワープ入口２４２ａに入った遊技球を演出装置２０６の前面下方のステージ２４４にワープ出口２４２ｂから排出する。
【０２２５】
ステージ２４４は、ワープ出口２４２ｂから排出された球や、遊技盤２００の遊技釘２３８などによって乗り上げた球などが転動可能である。転動領域であるステージ２４４上で、受入孔２４４ｂに進入した遊技球は放出部である放出孔２４４ａから放出され、放出した球が第１特図始動口２３０へ入球し易くなる場合を設けている。
【０２２６】
図３８（ａ）は、図３７に示した遊技盤２００を裏面から見た略示背面図であり、図３８（ｂ）は、図３８（ｂ）のＡ−Ａ断面図である。
【０２２７】
遊技盤２００の裏側には、本体１０４側と接続するコネクタ７０６ａ、７０６ｂ、７０６ｃのほか、一般入賞口２２６、普図始動口２２８、第１特図始動口２３０、第２特図始動口２３２、可変入賞口２３４、アウト口２４０などからつながる球通路や、球検出センサ（普図始動口２２８のセンサも含む）や、羽根２３２ａを駆動するソレノイド２３２ｂや、扉部材２３４ａを駆動するソレノイド２３４ｂや、可変入賞口２３４を構成するアタッカーユニットなどを設けている。本件では、遊技領域１２４から前側（遊技者側）が表側であり（図３８（ｂ）の太線部よりも右側）、遊技領域１２４よりも後ろ側が裏側である。なお、遊技領域から前側は、遊技領域を含むものであってもよく、遊技領域よりも後ろ側は、遊技領域を含まないものであってもよい。また、その逆であってもよい。なお、遊技盤２００の裏面から前側（遊技者側）が表側であってもよく、遊技盤２００の裏面よりも後ろ側が裏側であってもよい。
【０２２８】
また、遊技盤２００の裏側には、静電気対策部品１７００を設けてもよい。静電気対策部品１７００は、第２特図始動口２３２、可変入賞口２３４、演出可動体２２４、一般入賞口２２６、タンクレール１５４などの静電気が発生しやすい部位と接続可能となっていてもよい。さらに、静電気対策部品１７００は、コネクタ７０６ａ、７０６ｂ、７０６ｃと左右方向反対側に設けられているため、静電気の影響を受けにくい場合がある。
【０２２９】
図３９は、図３８（ａ）に示した遊技盤２００の裏面に基板を配置した状態を示す略示背面図である。
【０２３０】
遊技盤２００の裏面には、図３８（ａ）に示した状態に加え、遊技全般の制御処理を行う主制御部３００を構成する主基板１５６を収納する主基板ケース１５８、主制御部３００が生成した処理情報に基づいて演出に関する制御処理を行う第１副制御部４００を構成する第１副基板１６０を収納する第１副基板ケース１６２、第１副制御部４００が生成した処理情報に基づいて演出に関する制御処理を行う第２副制御部５００を構成する第２副基板１６４を収納する第２副基板ケース１６６を設けている。
【０２３１】
図４０は、図３９に示した遊技盤２００の裏面に裏カバーを配置した状態を示す略示背面図である。
【０２３２】
遊技盤２００の裏面には、図３９に示した状態に加え、裏カバー１２００を設けている。図４０では、裏カバー１２００（塗りつぶされている領域）は、第１副基板ケース１６２、第２副基板ケース１６６および主基板ケース１５８の一部を覆うようにしているが、裏カバー１２００は、第１副基板ケース１６２、第２副基板ケース１６６および主基板ケース１５８の全部を覆うものであってもよい。
【０２３３】
本体１０４に遊技盤２００が取り付けられた状態であると、本体１０４に設けた部品が、裏カバー１２００の一部に接触してその動きを阻害するため、遊技盤２００が取り付けられた本体１０４を外枠１０２から開放した状態では裏カバー１２００を開放することができない。すなわち、遊技盤２００を本体１０４から取り外さないかぎり、裏カバー１２００を開放することができない。
【０２３４】
なお、図４０に示した例では、遊技盤２００の裏面に裏カバー１２００を設けているが、本体１０４の表面に裏カバー１２００が設けられていてもよい。
【０２３５】
なお、裏カバー１２００は、遊技盤２００を本体１０４から取り外さなくても、開放可能なものである場合がある。
【０２３６】
＜制御部＞
次に、図４１を用いて、このパチンコ機１００の制御部の回路構成について詳細に説明する。なお、同図は制御部の回路ブロック図を示したものである。
【０２３７】
パチンコ機１００の制御部は、大別すると、遊技の中枢部分を制御する主制御部３００と、主制御部３００が送信するコマンド信号（以下、単に「コマンド」と呼ぶ）に応じて主に演出の制御を行う第１副制御部４００と、第１副制御部４００より送信されたコマンドに基づいて各種機器を制御する第２副制御部５００と、主制御部３００が送信するコマンドに応じて主に遊技球の払い出しに関する制御を行う払出制御部６００と、遊技球の発射制御を行う発射制御部６３０と、パチンコ機１００に供給される電源を制御する電源制御部６６０と、によって構成している。
【０２３８】
＜主制御部＞
まず、パチンコ機１００の主制御部３００について説明する。
【０２３９】
主制御部３００は、主制御部３００の全体を制御する基本回路３０２を備えており、この基本回路３０２には、ＣＰＵ３０４と、制御プログラムや各種データを記憶するためのＲＯＭ３０６と、一時的にデータを記憶するためのＲＡＭ３０８と、各種デバイスの入出力を制御するためのＩ／Ｏ３１０と、時間や回数等を計測するためのカウンタタイマ３１２と、プログラム処理の異常を監視するＷＤＴ３１４を搭載している。なお、ＲＯＭ３０６やＲＡＭ３０８については他の記憶装置を用いてもよく、この点は後述する第１副制御部４００についても同様である。この基本回路３０２のＣＰＵ３０４は、水晶発振器３１６ｂが出力する所定周期のクロック信号をシステムクロックとして入力して動作する。
【０２４０】
また、基本回路３０２には、水晶発振器３１６ａが出力するクロック信号を受信する度に０〜６５５３５の範囲で数値を変動させるハードウェア乱数カウンタとして使用しているカウンタ回路（乱数値生成回路）３１８（この回路には２つのカウンタを内臓しているものとする）と、所定の球検出センサ、例えば各始動口、入賞口、可変入賞口を通過する遊技球を検出するセンサや、前面枠扉開放センサや内枠開放センサや下皿満タンセンサを含む各種センサ３２０が出力する信号を受信し、増幅結果や基準電圧との比較結果をカウンタ回路３１８および基本回路３０２に出力するためのセンサ回路３２２と、所定の図柄表示装置、例えば第１特図表示装置２１２や第２特図表示装置２１４の表示制御を行うための駆動回路３２４と、所定の図柄表示装置、例えば普図表示装置２１０の表示制御を行うための駆動回路３２６と、各種状態表示部３２８（例えば、普図保留ランプ２１６、第１特図保留ランプ２１８、第２特図保留ランプ２２０、高確中ランプ２２２等）の表示制御を行うための駆動回路３３０と、所定の可動部材、例えば第２特図始動口２３２の羽根部材２３２ａや可変入賞口２３４の扉部材２３４ａ等を開閉駆動する各種ソレノイド３３２を制御するための駆動回路３３４を接続している。
【０２４１】
なお、第１特図始動口２３０に球が入賞したことを球検出センサ３２０が検出した場合には、センサ回路３２２は球を検出したことを示す信号をカウンタ回路３１８に出力する。この信号を受信したカウンタ回路３１８は、第１特図始動口２３０に対応するカウンタのそのタイミングにおける値をラッチし、ラッチした値を、第１特図始動口２３０に対応する内蔵のカウンタ値記憶用レジスタに記憶する。また、カウンタ回路３１８は、第２特図始動口２３２に球が入賞したことを示す信号を受信した場合も同様に、第２特図始動口２３２に対応するカウンタのそのタイミングにおける値をラッチし、ラッチした値を、第２特図始動口２３２に対応する内蔵のカウンタ値記憶用レジスタに記憶する。
【０２４２】
さらに、基本回路３０２には、情報出力回路３３６を接続しており、主制御部３００は、この情報出力回路３３６を介して、外部のホールコンピュータ（図示省略）等が備える情報入力回路３５０にパチンコ機１００の遊技情報（例えば、遊技状態）を出力する。
【０２４３】
また、主制御部３００には、電源制御部６６０から主制御部３００に供給している電源の電圧値を監視する電圧監視回路３３８を設けており、この電圧監視回路３３８は、電源の電圧値が所定の値（本実施例では９ｖ）未満である場合に電圧が低下したことを示す低電圧信号を基本回路３０２に出力する。
【０２４４】
また、主制御部３００には、電源が投入されると起動信号（リセット信号）を出力する起動信号出力回路（リセット信号出力回路）３４０を設けており、ＣＰＵ３０４は、この起動信号出力回路３４０から起動信号を入力した場合に、遊技制御を開始する。
【０２４５】
また、主制御部３００は、第１副制御部４００にコマンドを送信するための出力インタフェースと、払出制御部６００にコマンドを送信するための出力インタフェースをそれぞれ備えており、この構成により、第１副制御部４００および払出制御部６００との通信を可能としている。なお、主制御部３００と第１副制御部４００および払出制御部６００との情報通信は一方向の通信であり、主制御部３００は第１副制御部４００および払出制御部６００にコマンド等の信号を送信できるように構成しているが、第１副制御部４００および払出制御部６００からは主制御部３００にコマンド等の信号を送信できないように構成している。
【０２４６】
＜副制御部＞
次に、パチンコ機１００の第１副制御部４００について説明する。第１副制御部４００は、主に主制御部３００が送信したコマンド等に基づいて第１副制御部４００の全体を制御する基本回路４０２を備えており、この基本回路４０２には、ＣＰＵ４０４と、制御プログラムや各種演出データを記憶するためのＲＯＭ４０６と、一時的にデータを記憶するためのＲＡＭ４０８と、各種デバイスの入出力を制御するためのＩ／Ｏ４１０と、時間や回数等を計測するためのカウンタタイマ４１２を搭載している。この基本回路４０２のＣＰＵ４０４は、水晶発振器４１４が出力する所定周期のクロック信号をシステムクロックとして入力して動作する。なお、ＲＯＭ４０６は、制御プログラムと各種演出データとを別々のＲＯＭに記憶させてもよい。
【０２４７】
また、基本回路４０２には、スピーカ１２０（およびアンプ）の制御を行うための音源ＩＣ４１６と、各種ランプ４１８（例えば、チャンスボタンランプ１３８）の制御を行うための駆動回路４２０と、チャンスボタン１３６の押下を検出するチャンスボタン検出センサ４２６と、チャンスボタン検出センサ４２６からの検出信号を基本回路４０２に出力するセンサ回路４２８と、を接続している。
【０２４８】
次に、パチンコ機１００の第２副制御部５００について説明する。第２副制御部５００は、第１副制御部４００が送信した制御コマンドを入力インタフェースを介して受信し、この制御コマンドに基づいて装飾図柄表示装置２０８の表示制御を行う。
【０２４９】
＜払出制御部、発射制御部、電源制御部＞
次に、パチンコ機１００の払出制御部６００、発射制御部６３０、電源制御部６６０について説明する。
【０２５０】
払出制御部６００は、主に主制御部３００が送信したコマンド等の信号に基づいて払出装置１５２の払出モータ６０２を制御すると共に、払出センサ６０４が出力する制御信号に基づいて賞球または貸球の払い出しが完了したか否かを検出すると共に、インタフェース部６０６を介して、パチンコ機１００とは別体で設けられたカードユニット６０８との通信を行う。
【０２５１】
発射制御部６３０は、払出制御部６００が出力する、発射許可または停止を指示する制御信号や、球発射ハンドル１３４内に設けた発射強度出力回路が出力する、遊技者による球発射ハンドル１３４の操作量に応じた発射強度を指示する制御信号に基づいて、発射杆１４６および発射槌１４８を駆動する発射モータ６３２の制御や、上皿１２６から発射装置１１０に球を供給する球送り装置６３４の制御を行う。
【０２５２】
電源制御部６６０は、パチンコ機１００に外部から供給される交流電源を直流化し、所定の電圧に変換して主制御部３００、第１副制御部４００等の各制御部や払出装置１５２等の各装置に供給する。さらに、電源制御部６６０は、外部からの電源が断たれた後も所定の部品（例えば主制御部３００のＲＡＭ３０８等）に所定の期間（例えば１０日間）電源を供給するための蓄電回路（例えば、コンデンサ）を備えている。なお、本実施形態では、電源制御部６６０から払出制御部６００と第２副制御部５００に所定電圧を供給し、払出制御部６００から主制御部３００と第２副制御部５００と発射制御部６３０に所定電圧を供給しているが、各制御部や各装置に他の電源経路で所定電圧を供給してもよい。
【０２５３】
＜遊技盤と本体との接続＞
図４２は、遊技盤２００に設けた構成と本体１０４に設けた構成との接続状態を示すブロック図である。
【０２５４】
上述したように、遊技盤２００側には、第１副制御基板１６０、第２副制御基板１６４および主基板１５６を設けており、また、本体１０４側には、スピーカ、照明基板、ボタンユニット、可動物などを含む本体側演出装置１２０１、電源基板１８２および払出基板１７０を設けている。第一副制御基板１６０は、照明基板、可動物などを含む遊技盤側演出装置１２０２を制御する。
【０２５５】
遊技盤２００が本体１０４とコネクタ接続（例えばフローティングコネクタによる接続）することによって、
第１副制御基板１６０が本体側演出装置１２０１と接続されて、
（Ａ）第１副制御基板１６０から本体側演出装置１２０１へ演出データが送信され、
（Ｂ）本体側演出装置１２０１から第１副制御基板１６０へ各種センサの検知結果が送信され、
第１副制御基板１６０が電源基板１８２と接続されて、
（Ｃ）電源基板１８２から第１副制御基板１６０へ電源供給され、
第２副制御基板１６４が電源基板１８２と接続されて、
（Ｄ）電源基板１８２から第２副制御基板１６４へ電源供給され、
主基板１５６が電源基板１８２と接続されて、
（Ｅ）電源基板１８２から主基板１５６へ電源供給され、
主基板１５６が払出基板１７０と接続されて、
（Ｆ）主基板１５６から払出基板１７０へ、主に、払出数や外部端子盤へ送るデータが送信され、
（Ｇ）払出基板１７０から主基板１５６へ、払出系のエラーに関するデータが送信される。
【０２５６】
コネクタ（例えばフローティングコネクタ）と各基板や各装置とは直接接続されているわけではなく、中継基板などの基板を介して接続されている。
【０２５７】
なお、コネクタ（例えばフローティングコネクタ）と各基板や各装置とは直接接続されている場合もある。
【０２５８】
本例と後述するコネクタ７０６ａ、７０６ｂ、７０６ｃ、とコネクタ７０７ａ、７０７ｂ、７０７ｃとの関係について記載する。（Ａ）〜（Ｄ）は後述するコネクタ７０６ｂと７０７ｂ、７０６ｃと７０７ｃが接続されることにより少なくとも実行可能な状態となり、（Ｅ）〜（Ｇ）は後述するコネクタ７０６ａとコネクタ７０７ａが接続されることにより少なくとも実行可能な状態となる。なお、コネクタ７０６ｂと７０７ｂの接続のみで少なくとも実行可能な状態となるものがあってもよく、コネクタ７０６ｃと７０７ｃの接続のみで少なくとも実行可能な状態となるものがあってもよい（例えば、コネクタ７０６ｂと７０７ｂが接続されることにより（Ａ）が少なくとも実行可能な状態となり、コネクタ７０６ｃとコネクタ７０７ｃが接続されることにより（Ｂ）〜（Ｄ）が少なくとも実行可能な状態となるなど）。また、コネクタ７０６ｂと７０７ｂおよびコネクタ７０６ｃと７０７ｃの両方のコネクタが接続された場合のみ（Ａ）〜（Ｄ）が少なくとも実行可能な状態となってもよい。また、コネクタ７０６ｂと７０７ｂおよびコネクタ７０６ｃと７０７ｃの両方が接続された場合のみ実行可能な状態となるものと、コネクタ７０６ｂと７０７ｂおよびコネクタ７０６ｃと７０７ｃのうちのいずれか１組のコネクタが接続された場合に少なくとも実行可能な状態となるものの両方を備えるものであってもよい（例えば、コネクタ７０６ｂと７０７ｂおよびコネクタ７０６ｃと７０７ｃの両方のコネクタが接続された場合のみ（Ａ）〜（Ｂ）が少なくとも実行可能な状態で、コネクタ７０６ｃと７０７ｃが接続されると（Ｃ）（Ｄ）が少なくとも実行可能な状態となるなど）。
【０２５９】
＜コネクタ接続の構成＞
ここで、本発明に係るコネクタ接続の構成の一例について説明する。
【０２６０】
＜＜第８の実施例＞＞
図４３は、本発明に係るコネクタ接続の構成の第８の実施例を示す斜視図である。
【０２６１】
また、図４４（ａ）は、図４３に示したコネクタ接続の構成を上方から見た平面図であり、図４４（ｂ）は、（ａ）に示したＡ−Ａ断面図である。
【０２６２】
この第８の実施例では、第一の部品である基板７００に設けた第一のコネクタ７００ａと第二の部品である基板７０１に設けた第二のコネクタ７０１ａとを接続する構成を示す。
【０２６３】
第一のコネクタ７００ａは、その当接面７００ａｓにて基板７００ｃに接し、電気的に接続されて実装される。また、基板７００ｃは、コネクタ取り付け手段であるコネクタ接続部７００ｂを介して基板７００に接し、電気的に接続されて実装される。すなわち、第一のコネクタ７００ａは、基板７００ｃおよびコネクタ接続部７００ｂを介して、基板７００に電気的に接続されて実装される。
【０２６４】
第二のコネクタ７０１ａは、その当接面７０１ａｓにて基板７０１ｃに接し、電気的に接続されて実装される。また、基板７０１ｃは、コネクタ取り付け手段であるコネクタ接続部７０１ｂを介して基板７０１に接し、電気的に接続されて実装される。すなわち、第二のコネクタ７０１ａは、基板７０１ｃおよびコネクタ接続部７０１ｂを介して、基板７０１に電気的に接続されて実装される。なお、第一のコネクタおよび第二のコネクタの両方は、コネクタ接続部のみを介して、基板に電気的に接続されて実装されるものであってもよい。なお、第一のコネクタおよび第二のコネクタのうちの一方のコネクタは、コネクタ接続部のみを介して、基板に電気的に接続されて実装されるものであってもよく、他方のコネクタは、少なくともコネクタ接続部を介して、基板に電気的に接続されて実装されるものであってもよい。また、その逆でもよい。なお、第一のコネクタおよび第二のコネクタの両方のコネクタは、コネクタ接続部および基板の両方のみを介して、基板に電気的に接続されて実装されるものであってもよい。なお、第一のコネクタおよび第二のコネクタのうちの一方のコネクタは、コネクタ接続部および基板の両方のみを介して、基板に電気的に接続されて実装されるものであってもよく、他方のコネクタは、少なくともコネクタ接続部および基板を介して、基板に電気的に接続されて実装されるものであってもよい。また、その逆でもよい。なお、他の実施例に示す第一のコネクタおよび第二のコネクタについても同様である。
【０２６５】
この構成において、第一のコネクタ７００ａと第二のコネクタ７０１ａとを比較すると、第一のコネクタ７００ａの基板７００に対する突出具合よりも、第二のコネクタ７０１ａの基板７０１に対する突出具合の方がより突出しており、破損機会にさらされ易く、第一のコネクタ７００ａよりも第二のコネクタ７０１ａの方が破損可能性が高いことがわかる。
【０２６６】
第一のコネクタ７００ａよりも第二のコネクタ７０１ａの方が破損可能性が高いことから、第二のコネクタ７０１ａを検査して正常であれば、第一のコネクタ７００ａも正常であり、第一のコネクタ７００ａをさらに検査する手間が不要となる場合がある。
【０２６７】
＜＜第９の実施例＞＞
図４５は、本発明に係るコネクタ接続の構成の第９の実施例を示す斜視図である。
【０２６８】
ぱちんこ機１００は、本体１０４の前面に遊技盤２００を備える。遊技盤２００の前面には遊技領域１２４を設け、遊技領域１２４の中央には液晶表示装置２０８を設けている。
【０２６９】
遊技領域１２４の下側には、複数の遊技球が貯留可能で且つ発射装置へと遊技球を案内させる通路が設けられている上皿１２６と、上皿１２６に貯留しきれない遊技球を貯留する下皿１２８と、遊技者の操作によって上皿１２６に貯留された遊技球を下皿１２８へと排出させる球抜ボタン１３０と、遊技者の操作によって下皿１２８に貯留された遊技球を不図示の遊技球収集容器（俗称、ドル箱）へと排出させる球排出レバー１３２と、遊技者の操作によって発射装置へと案内された遊技球を遊技盤２００の遊技領域１２４へと打ち出す球発射ハンドル１３４と、遊技者の操作によって液晶表示装置２０８などの各種演出装置の演出態様に変化を与えるチャンスボタン１３６と、遊技店に設置されたカードユニット（ＣＲユニット）に対して球貸し指示を行う球貸操作ボタン１４０と、カードユニットに対して遊技者の残高の返却指示を行う返却操作ボタン１４２と、を備える。
【０２７０】
遊技領域１２４には、不図示の釘、アタッカー、始動口などの部品を、図３や図３７などに示した構成と同様に備える場合がある。
【０２７１】
図４６は、図４５に示したぱちんこ機１００の遊技盤２００を開いた状態を示す斜視図である。図４６においても、図４５と同様に、遊技領域１２４に備えた釘、アタッカー、始動口などの部品の図示を省略している。
【０２７２】
また、図４７は、図４６のぱちんこ機１００の遊技盤２００を閉じた状態の正面図である。
【０２７３】
また、図４８は、図４７のＢ−Ｂ断面図であり、（ａ）は遊技盤２００を取り外した状態を示す図であり、（ｂ）は遊技盤２００の一端を、遊技盤２００を回転支持する本体１０４の支持部１０４ｄに取り付け、遊技盤２００を開いた状態を示す図であり、（ｃ）は遊技盤２００を閉じ、遊技盤２００を本体１０４の収容部１０４ｅに収容した状態を示す図である。
【０２７４】
図４８において、遊技盤２００の図における下側が、遊技領域１２４を設けている側である。また、遊技盤２００の第二のコネクタ２００ａを設けた側の反対側が、遊技領域１２４を設けている側である。
【０２７５】
この第９の実施例では、第一の部品である本体１０４に設けた第一のコネクタ１０４ａと第二の部品である遊技盤２００に設けた第二のコネクタ２００ａとを接続する構成を示す。
【０２７６】
第一のコネクタ１０４ａは、その当接面１０４ａｓにて基板１０４ｃに接し、電気的に接続されて実装される。また、基板１０４ｃは、コネクタ取り付け手段であるコネクタ接続部１０４ｂを介して本体１０４に接し、電気的に接続されて実装される。すなわち、第一のコネクタ１０４ａは、基板１０４ｃおよびコネクタ接続部１０４ｂを介して、本体１０４に電気的に接続されて実装される。
【０２７７】
第二のコネクタ２００ａは、その当接面２００ａｓにて基板２００ｃに接し、電気的に接続されて実装される。また、基板２００ｃは、コネクタ取り付け手段であるコネクタ接続部２００ｂを介して遊技盤２００に接し、電気的に接続されて実装される。すなわち、第二のコネクタ２００ａは、基板２００ｃおよびコネクタ接続部２００ｂを介して、遊技盤２００に電気的に接続されて実装される。
【０２７８】
本体１０４は、遊技盤２００の一端を回転支持する支持部１０４ｄと、遊技盤２００を収容する収容部１０４ｅを有する。支持部１０４ｄは挿入された遊技盤２００の一端を外れないように押さえる突出部１０４ｃを有しており、この支持部１０４ｄに一端を挿入した遊技盤２００は、その一端を軸に回転して開閉可能としている。遊技盤２００を閉じると、その遊技盤２００は本体１０４の収容部１０４ｅに収容される。
【０２７９】
この遊技盤２００を閉じる動作によって第一のコネクタ１０４ａと第二のコネクタ２００ａとが押し付けられて接続する。遊技盤２００を開くと、第一のコネクタ１０４ａと第二のコネクタ２００ａとの接続は解除される。
【０２８０】
この構成において、第一のコネクタ１０４ａと第二のコネクタ２００ａとを比較すると、第一のコネクタ１０４ａの本体１０４に対する突出具合よりも、第二のコネクタ２００ａの遊技盤２００に対する突出具合の方がより突出しており、破損機会にさらされ易く、第一のコネクタ１０４ａよりも第二のコネクタ２００ａの方が破損可能性が高いことがわかる。
【０２８１】
第一のコネクタ１０４ａよりも第二のコネクタ２００ａの方が破損可能性が高いことから、第二のコネクタ２００ａを検査して正常であれば、第一のコネクタ１０４ａも正常であり、第一のコネクタ１０４ａをさらに検査する手間が不要となる場合がある。
【０２８２】
＜＜第１０の実施例＞＞
図４９は、本発明に係るコネクタ接続の構成の第３の実施例を示す図であって、図４８の断面図に相当する図であり、（ａ）は遊技盤２００の一端を、遊技盤２００を回転支持する本体１０４の支持部１０４ｄに取り付け、遊技盤２００を開いた状態を示す図であり、（ｂ）は遊技盤２００を閉じ、遊技盤２００を本体１０４の収容部１０４ｅに収容した状態を示す図である。
【０２８３】
図５０は、図４９のコネクタ部分を拡大して示す図である。
【０２８４】
図４９および図５０において、遊技盤２００の図における下側が、遊技領域１２４を設けている側である。また、遊技盤２００の第一のコネクタ２００ａ２および第三のコネクタ２００ａ１を設けた側の反対側が、遊技領域１２４を設けている側である。
【０２８５】
この第１０の実施例では、第一の部品である遊技盤２００に設けた第一のコネクタ２００ａ２と第二の部品である本体１０４に設けた第二のコネクタ１０４ａ２とを接続するとともに、第一の部品である遊技盤２００に設けた第三のコネクタ２００ａ１と第二の部品である本体１０４に設けた第四のコネクタ１０４ａ１とを接続する構成を示す。
【０２８６】
第一のコネクタ２００ａ２は、その当接面２００ａ２ｓにて基板２００ｃ２に接し、電気的に接続されて実装される。また、基板２００ｃ２は、コネクタ取り付け手段であるコネクタ接続部２００ｂ２を介して遊技盤２００に接し、電気的に接続されて実装される。すなわち、第一のコネクタ２００ａ２は、基板２００ｃ２およびコネクタ接続部２００ｂ２を介して、遊技盤２００に電気的に接続されて実装される。
【０２８７】
第二のコネクタ１０４ａ２は、その当接面１０４ａ２ｓにて基板１０４ｃ２に接し、電気的に接続されて実装される。また、基板１０４ｃ２は、コネクタ取り付け手段であるコネクタ接続部１０４ｂ２を介して本体１０４に接し、電気的に接続されて実装される。すなわち、第二のコネクタ１０４ａ２は、基板１０４ｃ２およびコネクタ接続部１０４ｂ２を介して、本体１０４に電気的に接続されて実装される。
【０２８８】
第三のコネクタ２００ａ１は、その当接面２００ａ１ｓにて基板２００ｃ１に接し、電気的に接続されて実装される。また、基板２００ｃ１は、コネクタ取り付け手段であるコネクタ接続部２００ｂ１を介して遊技盤２００に接し、電気的に接続されて実装される。すなわち、第三のコネクタ２００ａ１は、基板２００ｃ１およびコネクタ接続部２００ｂ１を介して、遊技盤２００に電気的に接続されて実装される。
【０２８９】
第四のコネクタ１０４ａ１は、その当接面１０４ａ１ｓにて基板１０４ｃ１に接し、電気的に接続されて実装される。また、基板１０４ｃ１は、コネクタ取り付け手段であるコネクタ接続部１０４ｂ１を介して本体１０４に接し、電気的に接続されて実装される。すなわち、第四のコネクタ１０４ａ１は、基板１０４ｃ１およびコネクタ接続部１０４ｂ１を介して、本体１０４に電気的に接続されて実装される。
【０２９０】
本体１０４は、遊技盤２００の一端を回転支持する支持部１０４ｄと、遊技盤２００を収容する収容部１０４ｅを有する。支持部１０４ｄは挿入された遊技盤２００の一端を外れないように押さえる突出部１０４ｃを有しており、この支持部１０４ｄに一端を挿入した遊技盤２００は、その一端を軸に回転して開閉可能としている。遊技盤２００を閉じると、その遊技盤２００は本体１０４の収容部１０４ｅに収容される。
【０２９１】
この遊技盤２００を閉じる動作によって第一のコネクタ２００ａ２と第二のコネクタ１０４ａ２とが押し付けられて接続するとともに第三のコネクタ２００ａ１と第四のコネクタ１０４ａ１とが押し付けられて接続する。遊技盤２００を開くと、第一のコネクタ２００ａ２と第二のコネクタ１０４ａ２との接続、および第三のコネクタ２００ａ１と第四のコネクタ１０４ａ１との接続は解除される。
【０２９２】
本実施例では、第三のコネクタと第四のコネクタが接続された後に、第一のコネクタと第二のコネクタが接続される。なお、その逆であってもよい。また、第三のコネクタと第四のコネクタの接続は、第一のコネクタと第二のコネクタとの接続と同時であってもよい。また、本実施例では、第一のコネクタと第二のコネクタの接続が解除された後に、第三のコネクタと第四のコネクタの接続が解除される。なお、その逆であってもよい。また、第三のコネクタと第四のコネクタの接続解除は、第一のコネクタと第二のコネクタとの接続解除と同時であってもよい。
【０２９３】
ここで、支持部１０４ｄから各コネクタまでの距離を考えると、支持部１０４ｄから第一のコネクタ２００ａ２および第二のコネクタ１０４ａ２までの距離Ｌ１（図４９（ｂ）参照）は、支持部１０４ｄから第三のコネクタ２００ａ１および第四のコネクタ１０４ａ１までの距離Ｌ２（図４９（ｂ）参照）よりも短い。この場合、遊技盤２００を閉じたときに、最初に接触するのは第一のコネクタ２００ａ２と第二のコネクタ１０４ａ２とであり、次に接触するのが第三のコネクタ２００ａ１と第四のコネクタ１０４ａ１とである。最初に接触する場合、遊技盤２００と本体１０４とのぐらつきも大きく、閉じる勢い等もあり、破損可能性が高い。これに対して、第三のコネクタ２００ａ１と第四のコネクタ１０４ａ１とは、第一のコネクタ２００ａ２と第二のコネクタ１０４ａ２との接触、接続が進み、遊技盤２００と本体１０４とのぐらつきや閉じる勢い等が抑えられた状態で接触するため、第三のコネクタ２００ａ１および第四のコネクタ１０４ａ１は、第一のコネクタ２００ａ２および第二のコネクタ１０４ａ２よりも破損可能性が低い。
【０２９４】
なお、支持部１０４ｄから第一のコネクタ２００ａ２および第二のコネクタ１０４ａ２までの距離を、支持部１０４ｄから第三のコネクタ２００ａ１と第四のコネクタ１０４ａ１までの距離よりも長い構成であってもよく、この場合、第三のコネクタ２００ａ１および第四のコネクタ１０４ａ１は、第一のコネクタ２００ａ２および第二のコネクタ１０４ａ２よりも破損可能性が高い。
【０２９５】
また、第一の部品である遊技盤２００の所定の面を、第一のコネクタ２００ａ２の当接面２００ａ２ｓと平行であり、遊技盤２００における第一のコネクタ２００ａ２の実装面と逆の面で当接面２００ａ２ｓから最も遠い面（例えば遊技盤２００の表面）としたとき、この所定の面から、第一のコネクタ２００ａ２における第二のコネクタ１０４ａ２と接触する接触部（遊技盤２００を閉じようとしたときに始めに接触する箇所でもよいし、遊技盤２００を閉じようとしたときに始めに接触する電極箇所でもよい。）まで、の高さをＨ１（図５０参照）とし、
また、第二の部品である本体１０４の所定の面を、第二のコネクタ１０４ａ２の当接面１０４ａ２ｓと平行であり、本体１０４における第二のコネクタ１０４ａ２の実装面と逆の面で当接面１０４ａ２ｓから最も遠い面（例えば本体１０４の裏面）としたとき、この所定の面から、第二のコネクタ１０４ａ２における第一のコネクタ２００ａ２と接触する接触部（遊技盤２００を閉じようとしたときに始めに接触する箇所でもよいし、遊技盤２００を閉じようとしたときに始めに接触する電極箇所でもよい。）まで、の高さをＨ２（図５０参照）とし、
また、第一の部品である遊技盤２００の所定の面を、第三のコネクタ２００ａ１の当接面２００ａ１ｓと平行であり、遊技盤２００における第三のコネクタ２００ａ１の実装面と逆の面で当接面２００ａ１ｓから最も遠い面（例えば遊技盤２００の表面）としたとき、この所定の面から、第三のコネクタ２００ａ１における第四のコネクタ１０４ａ１と接触する接触部（遊技盤２００を閉じようとしたときに始めに接触する箇所でもよいし、遊技盤２００を閉じようとしたときに始めに接触する電極箇所でもよい。）まで、の高さをＨ３（図５０参照）とし、
また、第二の部品である本体１０４の所定の面を、第四のコネクタ１０４ａ１の当接面１０４ａ１ｓと平行であり、本体１０４における第四のコネクタ１０４ａ１の実装面と逆の面で当接面１０４ａ１ｓから最も遠い面（例えば本体１０４の裏面）としたとき、この所定の面から、第四のコネクタ１０４ａ１における第三のコネクタ２００ａ１と接触する接触部（遊技盤２００を閉じようとしたときに始めに接触する箇所でもよいし、遊技盤２００を閉じようとしたときに始めに接触する電極箇所でもよい。）まで、の高さをＨ４（図５０参照）とすると、支持部１０４ｄから各コネクタまでの距離が同じであれば、この高さが高いコネクタの方が、破損可能性が高い。
【０２９６】
本実施例では、遊技盤に設けられた隣り合うコネクタにおいて、少なくとも第一のコネクタの高さは、第三のコネクタの高さと異なる。さらに第一のコネクタの高さは、第三のコネクタの高さよりも高い。なお、その逆であってもよく、同じ高さであってもよい。
【０２９７】
また、本実施例では、本体に設けられた隣り合うコネクタにおいて、少なくとも第二のコネクタの高さは、第四のコネクタの高さと異なる。さらに第四のコネクタの高さは、第二のコネクタの高さよりも高い。なお、その逆であってもよく、同じ高さであってもよい。
【０２９８】
したがって、この例では、第一のコネクタ２００ａ２と第二のコネクタ１０４ａ２とでは、第二のコネクタ１０４ａ２の方が突出し、高さが高い（Ｈ１＜Ｈ２）ので、第二のコネクタ１０４ａ２が最も破損可能性が高いことがわかる。
【０２９９】
このことから、第二のコネクタ１０４ａ２を検査して正常であれば、第一のコネクタ２００ａ２、第三のコネクタ２００ａ１および第四のコネクタ１０４ａ１も正常であり、これらをさらに検査する手間が不要となる場合がある。
【０３００】
なお、第一の部品（例えば遊技盤２００）に設けたコネクタの高さの基準となる第一の部品の所定面としては、この第一の部品と第二の部品（例えば本体１０４）とを組み付けて対応するコネクタ同士を接続したときに、この第一の部品が第二の部品と当接する面としてもよい。第一の部品に設けたコネクタのうち、この所定面を基準として、より第二の部品側に突出しているコネクタほど破損可能性が高い。
【０３０１】
同様に、第二の部品（例えば本体１０４）に設けたコネクタの高さの基準となる第二の部品の所定面としては、この第二の部品と第一の部品（例えば遊技盤２００）とを組み付けて対応するコネクタ同士を接続したときに、この第二の部品が第一の部品と当接する面としてもよい。第二の部品に設けたコネクタのうち、この所定面を基準として、より第一の部品側に突出しているコネクタほど破損可能性が高い。
【０３０２】
＜＜第１１の実施例＞＞
図５１は、本発明に係るコネクタ接続の構成の第４の実施例を示す斜視図であり、ぱちんこ機１００の遊技盤２００を開いた状態を示す図である。
【０３０３】
また、図５２は、図５１のぱちんこ機１００についての、図４８に相当する断面図であり、（ａ）は遊技盤２００の一端を、遊技盤２００を回転支持する本体１０４の支持部１０４ｄに取り付け、遊技盤２００を開いた状態を示す図であり、（ｂ）は遊技盤２００を閉じ、遊技盤２００を本体１０４の収容部１０４ｅに収容した状態を示す図である。
【０３０４】
図５２において、遊技盤２００の図における下側が、遊技領域１２４を設けている側である。また、遊技盤２００の第四のコネクタ２００ａ４および第二のコネクタ２００ａ３を設けた側の反対側が、遊技領域１２４を設けている側である。
【０３０５】
また、図５３（ａ）は、図５１のぱちんこ機１００の遊技盤２００を外した本体１０４の正面図であり、図５３（ｂ）は、図５１のぱちんこ機１００の本体１０４から外した遊技盤２００の背面図であり、図５３（ｃ）は、（ｂ）に示した一転鎖線の円Ｄで囲った箇所を拡大して示す図である。
【０３０６】
この第１１の実施例では、第一の部品である本体１０４に設けた第一のコネクタ１０４ａ３と第二の部品である遊技盤２００に設けた第二のコネクタ２００ａ３とを接続するとともに、第一の部品である本体１０４に設けた第三のコネクタ１０４ａ４と第二の部品である遊技盤２００に設けた第四のコネクタ２００ａ４とを接続する構成を示す。
【０３０７】
第一のコネクタ１０４ａ３は、その当接面１０４ａ３ｓにて基板１０４ｃ３に接し、電気的に接続されて実装される。また、基板１０４ｃ３は、コネクタ取り付け手段であるコネクタ接続部１０４ｂ３を介して本体１０４に接し、電気的に接続されて実装される。すなわち、第一のコネクタ１０４ａ３は、基板１０４ｃ３およびコネクタ接続部１０４ｂ３を介して、本体１０４に電気的に接続されて実装される。
【０３０８】
第二のコネクタ２００ａ３は、その当接面２００ａ３ｓにて基板２００ｃ３に接し、電気的に接続されて実装される。また、基板２００ｃ３は、コネクタ取り付け手段であるコネクタ接続部２００ｂ３を介して遊技盤２００に接し、電気的に接続されて実装される。すなわち、第二のコネクタ２００ａ３は、基板２００ｃ３およびコネクタ接続部２００ｂ３を介して、遊技盤２００に電気的に接続されて実装される。
【０３０９】
第三のコネクタ１０４ａ４は、その当接面１０４ａ４ｓにて基板１０４ｃ４に接し、電気的に接続されて実装される。また、基板１０４ｃ４は、コネクタ取り付け手段であるコネクタ接続部１０４ｂ４を介して本体１０４に接し、電気的に接続されて実装される。すなわち、第三のコネクタ１０４ａ４は、基板１０４ｃ４およびコネクタ接続部１０４ｂ４を介して、本体１０４に電気的に接続されて実装される。
【０３１０】
第四のコネクタ２００ａ４は、その当接面２００ａ４ｓにて基板２００ｃ４に接し、電気的に接続されて実装される。また、基板２００ｃ４は、コネクタ取り付け手段であるコネクタ接続部２００ｂ４を介して遊技盤２００に接し、電気的に接続されて実装される。すなわち、第四のコネクタ２００ａ４は、基板２００ｃ４およびコネクタ接続部２００ｂ４を介して、遊技盤２００に電気的に接続されて実装される。
【０３１１】
本体１０４は、遊技盤２００の一端を回転支持する支持部１０４ｄと、遊技盤２００を収容する収容部１０４ｅを有する。支持部１０４ｄは挿入された遊技盤２００の一端を外れないように押さえる突出部１０４ｃを有しており、この支持部１０４ｄに一端を挿入した遊技盤２００は、その一端を軸に回転して開閉可能としている。遊技盤２００を閉じると、その遊技盤２００は本体１０４の収容部１０４ｅに収容される。
【０３１２】
この遊技盤２００を閉じる動作によって第一のコネクタ１０４ａ３と第二のコネクタ２００ａ３とが押し付けられて接続するとともに第三のコネクタ１０４ａ４と第四のコネクタ２００ａ４とが押し付けられて接続する。遊技盤２００を開くと、第一のコネクタ１０４ａ３と第二のコネクタ２００ａ３との接続、および第三のコネクタ１０４ａ４と第四のコネクタ２００ａ４との接続は解除される。
【０３１３】
本実施例では、第一のコネクタと第二のコネクタが接続された後に、第三のコネクタと第四のコネクタが接続される。なお、その逆であってもよい。また、第三のコネクタと第四のコネクタの接続は、第一のコネクタと第二のコネクタとの接続と同時であってもよい。また、本実施例では、第三のコネクタと第四のコネクタの接続が解除された後に、第一のコネクタと第二のコネクタの接続が解除される。なお、その逆であってもよい。また、第三のコネクタと第四のコネクタの接続解除は、第一のコネクタと第二のコネクタとの接続解除と同時であってもよい。なお、第１２の実施例についても同様である。
【０３１４】
本実施例では、遊技盤に設けられた隣り合うコネクタにおいて、少なくとも第一のコネクタの高さは、第三のコネクタの高さと異なる。さらに第三のコネクタの高さは、第一のコネクタの高さよりも高い。なお、その逆であってもよく、同じ高さであってもよい。
【０３１５】
また、本実施例では、本体に設けられた隣り合うコネクタにおいて、少なくとも第二のコネクタの高さは、第四のコネクタの高さと異なる。さらに第二のコネクタの高さは、第四のコネクタの高さよりも高い。なお、その逆であってもよく、同じ高さであってもよい。なお、第１２の実施例についても同様である。
【０３１６】
ここで、図５３（ｂ）および（ｃ）を参照すると、第二のコネクタ２００ａ３の接続面における長辺の長さ（接続相手のコネクタと同時に接触する辺の長さ、例えば一端の電極から他端の電極までの距離）Ｌ４は、第四のコネクタ２００ａ４の接続面における長辺の長さＬ３よりも短い。接続面の長辺の長さすなわち接続相手のコネクタと同時に接触する辺の長さが長いと、コネクタ同士を接続する際の接触、衝突の衝撃が分散され、破損しにくくなる場合がある。
【０３１７】
したがって、この例では、第二のコネクタ２００ａ３の接続面における長辺の長さは、第四のコネクタ２００ａ４の接続面における長辺の長さよりも短く、第一のコネクタ１０４ａ３と第二のコネクタ２００ａ３とでは接続面の長辺の長さは同じであり、また第一のコネクタ１０４ａ３と第二のコネクタ２００ａ３とでは、第二のコネクタ２００ａ３の方が突出し、高さが高いので、第二のコネクタ２００ａ３が最も破損可能性が高いことがわかる。また、支持部１０４ｄから各コネクタまでの距離を考慮しても、支持部１０４ｄから第一のコネクタ１０４ａ３および第二のコネクタ２００ａ３までの距離は、支持部１０４ｄから第三のコネクタ１０４ａ４と第四のコネクタ２００ａ４までの距離よりも短いので、このことからも第二のコネクタ２００ａ３が最も破損可能性が高いことがわかる。
【０３１８】
このことから、第二のコネクタ２００ａ３を検査して正常であれば、第一のコネクタ１０４ａ３、第三のコネクタ１０４ａ４および第四のコネクタ２００ａ４も正常であり、これらをさらに検査する手間が不要となる場合がある。
【０３１９】
＜＜第１２の実施例＞＞
図５４は、本発明に係るコネクタ接続の構成の第１２の実施例を示す図であって、図５２の断面図に相当する図であり、（ａ）は遊技盤２００の一端を、遊技盤２００を回転支持する本体１０４の支持部１０４ｄに取り付け、遊技盤２００を開いた状態を示す図であり、（ｂ）は遊技盤２００を閉じ、遊技盤２００を本体１０４の収容部１０４ｅに収容した状態を示す図であり、（ｃ）は遊技盤２００が支持部１０４ｄから外れた状態で遊技盤２００を閉じようとした状態を示す図である。
【０３２０】
図５５は、図５４のコネクタ部分を拡大して示す図である。
【０３２１】
図５４および図５５において、遊技盤２００の図における下側が、遊技領域１２４を設けている側である。また、遊技盤２００の遊技盤２００の第四のコネクタ２００ａ４および第二のコネクタ２００ａ３を設けた側の反対側が、遊技領域１２４を設けている側である。
【０３２２】
この第１２の実施例では、第一の部品である本体１０４に設けた第一のコネクタ１０４ａ３と第二の部品である遊技盤２００に設けた第二のコネクタ２００ａ３とを接続するとともに、第一の部品である本体１０４に設けた第三のコネクタ１０４ａ４と第二の部品である遊技盤２００に設けた第四のコネクタ２００ａ４とを接続する構成を示す。
【０３２３】
第一のコネクタ１０４ａ３は、その当接面１０４ａ３ｓにて基板１０４ｃ３に接し、電気的に接続されて実装される。また、基板１０４ｃ３は、コネクタ取り付け手段であるコネクタ接続部１０４ｂ３を介して本体１０４に接し、電気的に接続されて実装される。すなわち、第一のコネクタ１０４ａ３は、基板１０４ｃ３およびコネクタ接続部１０４ｂ３を介して、本体１０４に電気的に接続されて実装される。
【０３２４】
第二のコネクタ２００ａ３は、その当接面２００ａ３ｓにて基板２００ｃ３に接し、電気的に接続されて実装される。また、基板２００ｃ３は、コネクタ取り付け手段であるコネクタ接続部２００ｂ３を介して遊技盤２００に接し、電気的に接続されて実装される。すなわち、第二のコネクタ２００ａ３は、基板２００ｃ３およびコネクタ接続部２００ｂ３を介して、遊技盤２００に電気的に接続されて実装される。
【０３２５】
第三のコネクタ１０４ａ４は、その当接面１０４ａ４ｓにて基板１０４ｃ４に接し、電気的に接続されて実装される。また、基板１０４ｃ４は、コネクタ取り付け手段であるコネクタ接続部１０４ｂ４を介して本体１０４に接し、電気的に接続されて実装される。すなわち、第三のコネクタ１０４ａ４は、基板１０４ｃ４およびコネクタ接続部１０４ｂ４を介して、本体１０４に電気的に接続されて実装される。
【０３２６】
第四のコネクタ２００ａ４は、その当接面２００ａ４ｓにて基板２００ｃ４に接し、電気的に接続されて実装される。また、基板２００ｃ４は、コネクタ取り付け手段であるコネクタ接続部２００ｂ４を介して遊技盤２００に接し、電気的に接続されて実装される。すなわち、第四のコネクタ２００ａ４は、基板２００ｃ４およびコネクタ接続部２００ｂ４を介して、遊技盤２００に電気的に接続されて実装される。
【０３２７】
また、遊技盤２００の面のうち、第二のコネクタ２００ａ３や第四のコネクタ２００ａ４を設けた側の面には、部品１２０５を設けている。この部品１２０５の少なくとも一部は遊技盤２００と接触して取り付けられている場合がある。なお、部品１２０５の全部が遊技盤と接触して取り付けられていてもよく、部品１２０５の一部のみが遊技盤と接触して取り付けられていてもよい。
【０３２８】
本体１０４は、遊技盤２００の一端を回転支持する支持部１０４ｄと、遊技盤２００を収容する収容部１０４ｅを有する。支持部１０４ｄは挿入された遊技盤２００の一端を外れないように押さえる突出部１０４ｃを有しており、この支持部１０４ｄに一端を挿入した遊技盤２００は、その一端を軸に回転して開閉可能としている。遊技盤２００を閉じると、その遊技盤２００は本体１０４の収容部１０４ｅに収容される（図５４（ｂ）参照）。
【０３２９】
この遊技盤２００を閉じる動作によって第一のコネクタ１０４ａ３と第二のコネクタ２００ａ３とが押し付けられて接続するとともに第三のコネクタ１０４ａ４と第四のコネクタ２００ａ４とが押し付けられて接続する。遊技盤２００を開くと、第一のコネクタ１０４ａ３と第二のコネクタ２００ａ３との接続、および第三のコネクタ１０４ａ４と第四のコネクタ２００ａ４との接続は解除される。
【０３３０】
ここで、第二の部品である遊技盤２００の所定の面を、第二のコネクタ２００ａ３の当接面２００ａ３ｓと平行であり、遊技盤２００における第二のコネクタ２００ａ３の実装面と逆の面で当接面２００ａ３ｓから最も遠い面（例えば遊技盤２００の表面）としたとき、この所定の面から、第二のコネクタ２００ａ３における第一のコネクタ１０４ａ３と接触する接触部（遊技盤２００を閉じようとしたときに始めに接触する箇所でもよいし、遊技盤２００を閉じようとしたときに始めに接触する電極箇所でもよい。）まで、の高さをＨ１（図５５参照）とし、
また、第一の部品である本体１０４の所定の面を、第一のコネクタ１０４ａ３の当接面１０４ａ３ｓと平行であり、本体１０４における第一のコネクタ１０４ａ３の実装面と逆の面で当接面１０４ａ３ｓから最も遠い面（例えば本体１０４の裏面）としたとき、この所定の面から、第一のコネクタ１０４ａ３における第二のコネクタ２００ａ３と接触する接触部（遊技盤２００を閉じようとしたときに始めに接触する箇所でもよいし、遊技盤２００を閉じようとしたときに始めに接触する電極箇所でもよい。）まで、の高さをＨ２（図５５参照）とし、
また、第二の部品である遊技盤２００の所定の面を、第四のコネクタ２００ａ４の当接面２００ａ４ｓと平行であり、遊技盤２００における第四のコネクタ２００ａ４の実装面と逆の面で当接面２００ａ４ｓから最も遠い面（例えば遊技盤２００の表面）としたとき、この所定の面から、第四のコネクタ２００ａ４における第三のコネクタ１０４ａ４と接触する接触部（遊技盤２００を閉じようとしたときに始めに接触する箇所でもよいし、遊技盤２００を閉じようとしたときに始めに接触する電極箇所でもよい。）まで、の高さをＨ３（図５５参照）とし、
また、第一の部品である本体１０４の所定の面を、第三のコネクタ１０４ａ４の当接面１０４ａ４ｓと平行であり、本体１０４における第三のコネクタ１０４ａ４の実装面と逆の面で当接面１０４ａ４ｓから最も遠い面（例えば本体１０４の裏面）としたとき、この所定の面から、第三のコネクタ１０４ａ４における第四のコネクタ２００ａ４と接触する接触部（遊技盤２００を閉じようとしたときに始めに接触する箇所でもよいし、遊技盤２００を閉じようとしたときに始めに接触する電極箇所でもよい。）まで、の高さをＨ４（図５５参照）とし、
また、第二の部品である遊技盤２００の所定の面を、部品１２０５の上面と平行であり、遊技盤２００における部品１２０５の実装面と逆の面で部品１２０５の上面から最も遠い面（例えば遊技盤２００の表面）としたとき、この所定の面から、部品１２０５の上面まで、の高さをＨ５（図５５参照）としたとき、
Ｈ５＞Ｈ１且つＨ５＞Ｈ２且つＨ５＞Ｈ３且つＨ５＞Ｈ４である（部品１２０５が、第一のコネクタ１０４ａ３、第二のコネクタ２００ａ３、第三のコネクタ１０４ａ４および第四のコネクタ２００ａ４のいずれよりも突出している）場合がある。つまり、遊技盤に設けられた部品１２０５の高さは、遊技盤に設けられた第二のコネクタの高さよりも高く、遊技盤に設けられた部品１２０５の高さは、第四のコネクタの高さよりも高い。さらに、遊技盤に設けられた部品１２０５の高さは、本体に設けられた第一のコネクタの高さよりも高く、遊技盤に設けられた部品１２０５の高さは、本体に設けられた第三のコネクタの高さよりも高い。なお、部品１２０５は、本体に設けられた第一のコネクタおよび第三のコネクタのうちの少なくとも一方のコネクタよりも低くてもよい。また、少なくとも両方のコネクタの高さよりも低くてもよく、同じ高さであってもよい。なお、第一のコネクタおよび第三のコネクタの両方のコネクタの高さのみ部品１２０５の高さよりも高くてもよい。また、その逆であってもよい。なお、遊技盤に設けられた第二のコネクタおよび第四のコネクタの両方のコネクタの高さのみ部品１２０５の高さよりも低いものであってもよい。
【０３３１】
この場合、図５４（ｃ）に示すように、誤ったやり方で遊技盤２００を閉じたときに、部品１２０５が初めに本体１０４に接触し、第一のコネクタ１０４ａ３、第二のコネクタ２００ａ３、第三のコネクタ１０４ａ４および第四のコネクタ２００ａ４を保護することができる場合がある。
【０３３２】
なお、第一の部品（例えば本体１０４）に設けたコネクタの高さの基準となる第一の部品の所定面としては、この第一の部品と第二の部品（例えば遊技盤２００）とを組み付けて対応するコネクタ同士を接続したときに、この第一の部品が第二の部品と当接する面としてもよい。第一の部品に設けたコネクタのうち、この所定面を基準として、より第二の部品側に突出しているコネクタほど破損可能性が高い。
【０３３３】
同様に、第二の部品（例えば遊技盤２００）に設けたコネクタの高さの基準となる第二の部品の所定面としては、この第二の部品と第一の部品（例えば本体１０４）とを組み付けて対応するコネクタ同士を接続したときに、この第二の部品が第一の部品と当接する面としてもよい。第二の部品に設けたコネクタのうち、この所定面を基準として、より第一の部品側に突出しているコネクタほど破損可能性が高い。
【０３３４】
＜＜第１３の実施例＞＞
図５６は、本発明に係るコネクタ接続の構成の第１３の実施例を示す斜視図であり、ぱちんこ機１００の遊技盤２００を開いた状態を示す図である。
【０３３５】
また、図５７は、図５６のぱちんこ機１００の遊技盤２００を閉じた状態の正面図である。
【０３３６】
また、図５８は、図５６のぱちんこ機１００についての、図４８に相当する断面図であり、（ａ）は遊技盤２００の一端を、遊技盤２００を回転支持する本体１０４の支持部１０４ｄに取り付け、遊技盤２００を開いた状態を示す図であり、（ｂ）は遊技盤２００を閉じ初め、遊技盤２００のコネクタと本体１０４のコネクタとが接した状態を示す図であり、（ｃ）は遊技盤２００を閉じ、遊技盤２００を本体１０４の収容部１０４ｅに収容した状態を示す図である。
【０３３７】
図５８において、遊技盤２００の図における下側が、遊技領域１２４を設けている側である。また、遊技盤２００の第四のコネクタ２００ａ６および第二のコネクタ２００ａ５を設けた側の反対側が、遊技領域１２４を設けている側である。
【０３３８】
この第１３の実施例では、第一の部品である本体１０４に設けた第一のコネクタ１０４ａ５と第二の部品である遊技盤２００に設けた第二のコネクタ２００ａ５とを接続するとともに、第一の部品である本体１０４に設けた第三のコネクタ１０４ａ６と第二の部品である遊技盤２００に設けた第四のコネクタ２００ａ６とを接続する構成を示す。
【０３３９】
第一のコネクタ１０４ａ５は、その当接面１０４ａ５ｓにて基板１０４ｃ５に接し、電気的に接続されて実装される。また、基板１０４ｃ５は、コネクタ取り付け手段であるコネクタ接続部１０４ｂ５を介して本体１０４に接し、電気的に接続されて実装される。すなわち、第一のコネクタ１０４ａ５は、基板１０４ｃ５およびコネクタ接続部１０４ｂ５を介して、本体１０４に電気的に接続されて実装される。
【０３４０】
第二のコネクタ２００ａ５は、その当接面２００ａ５ｓにて基板２００ｃ５に接し、電気的に接続されて実装される。また、基板２００ｃ５は、コネクタ取り付け手段であるコネクタ接続部２００ｂ５を介して遊技盤２００に接し、電気的に接続されて実装される。すなわち、第二のコネクタ２００ａ５は、基板２００ｃ５およびコネクタ接続部２００ｂ５を介して、遊技盤２００に電気的に接続されて実装される。
【０３４１】
第三のコネクタ１０４ａ６は、その当接面１０４ａ６ｓにて基板１０４ｃ６に接し、電気的に接続されて実装される。また、基板１０４ｃ６は、コネクタ取り付け手段であるコネクタ接続部１０４ｂ６を介して本体１０４に接し、電気的に接続されて実装される。すなわち、第三のコネクタ１０４ａ６は、基板１０４ｃ６およびコネクタ接続部１０４ｂ６を介して、本体１０４に電気的に接続されて実装される。
【０３４２】
第四のコネクタ２００ａ６は、その当接面２００ａ６ｓにて基板２００ｃ６に接し、電気的に接続されて実装される。また、基板２００ｃ６は、コネクタ取り付け手段であるコネクタ接続部２００ｂ６を介して遊技盤２００に接し、電気的に接続されて実装される。すなわち、第四のコネクタ２００ａ６は、基板２００ｃ６およびコネクタ接続部２００ｂ６を介して、遊技盤２００に電気的に接続されて実装される。
【０３４３】
本体１０４は、遊技盤２００の一端を回転支持する支持部１０４ｄと、遊技盤２００を収容する収容部１０４ｅを有する。支持部１０４ｄは挿入された遊技盤２００の一端を外れないように押さえる突出部１０４ｃを有しており、この支持部１０４ｄに一端を挿入した遊技盤２００は、その一端を軸に回転して開閉可能としている。遊技盤２００を閉じると、その遊技盤２００は本体１０４の収容部１０４ｅに収容される。
【０３４４】
この遊技盤２００を閉じる動作によって第一のコネクタ１０４ａ５と第二のコネクタ２００ａ５とが押し付けられて接続するとともに第三のコネクタ１０４ａ６と第四のコネクタ２００ａ６とが押し付けられて接続する。遊技盤２００を開くと、第一のコネクタ１０４ａ５と第二のコネクタ２００ａ５との接続、および第三のコネクタ１０４ａ６と第四のコネクタ２００ａ６との接続は解除される。
【０３４５】
本実施例では、第一のコネクタと第二のコネクタが接続された後に、第三のコネクタと第四のコネクタが接続される。なお、その逆であってもよい。また、第三のコネクタと第四のコネクタの接続は、第一のコネクタと第二のコネクタとの接続と同時であってもよい。また、本実施例では、第三のコネクタと第四のコネクタの接続が解除された後に、第一のコネクタと第二のコネクタの接続が解除される。なお、その逆であってもよい。また、第三のコネクタと第四のコネクタの接続解除は、第一のコネクタと第二のコネクタとの接続解除と同時であってもよい。なお、第１４の実施例、第１５の実施例、第１６の実施例についても同様である。
【０３４６】
本実施例では、遊技盤に設けられた隣り合うコネクタにおいて、少なくとも第一のコネクタの高さは、第三のコネクタの高さと異なる。さらに第三のコネクタの高さは、第一のコネクタの高さよりも高い。なお、その逆であってもよく、同じ高さであってもよい。
【０３４７】
また、本実施例では、本体に設けられた隣り合うコネクタにおいて、少なくとも第二のコネクタの高さは、第四のコネクタの高さと異なる。さらに第二のコネクタの高さは、第四のコネクタの高さよりも高い。なお、その逆であってもよく、同じ高さであってもよい。なお、第１４の実施例、第１５の実施例、第１６の実施例についても同様である。
【０３４８】
また、図５６および図５７に示すように、この実施例では、本体１０４に遊技盤２００を収容したときに、遊技盤２００を固定する遊技盤固定部８００を本体１０４に設けている。
【０３４９】
遊技盤固定部８００は、遊技盤受部８０１と作動レバー部８０２とを有し、この遊技盤受部８０１と作動レバー部８０２との間に遊技盤２００を挿入して固定する。本実施例では、遊技盤２００の上端および下端を固定するように、上部と下部の２か所に遊技盤固定部８００を設けており、上部の遊技盤固定部８００は、遊技盤受部８０１が作動レバー部８０２の下側になる向きで本体１０４に取り付け、下部の遊技盤固定部８００は、遊技盤受部８０１が作動レバー部８０２の上側になる向きで、本体１０４に取り付けている。
【０３５０】
遊技盤受部８０１と作動レバー部８０２との間の開口は、上部の遊技盤固定部８００については遊技盤２００の上端に向いており、また下部の遊技盤固定部８００については遊技盤２００の下端に向いており、この開口に遊技盤２００の上端および下端が挿入されて遊技盤２００が本体１０４に収容される動きに伴い、遊技盤受部８０１および作動レバー部８０２は本体１０４側を軸に回動し、上部の遊技盤固定部８００の開口は下を向き、下部の遊技盤固定部８００の開口は上を向き（図１６参照）、これによって上部の遊技盤固定部８００と下部の遊技盤固定部８００とで遊技盤２００を上下から挟んで固定する。
【０３５１】
また、図５８に示すように、本体１０４には弾性部材８０３を設けている。弾性部材８０３について、図５８では、模式的にコイルばねで図示しているが、本発明はこれに限られるものではなく、板ばねやそのほか既知の各種ばねや、ゴムやそのほか如何なる部材であってもよい場合がある。また、弾性部材８０３は遊技盤固定部８００に含めてもよい場合があり、この場合、遊技盤受部８０１および作動レバー部８０２の回動に対して弾性部材８０３が付勢する場合がある。
【０３５２】
本実施例では、第三のコネクタと第四のコネクタが接続されたあとに、遊技盤が遊技盤固定部により接続される。なお、その逆であってもよい。また、第三のコネクタと第四のコネクタの接続は、遊技盤が遊技盤固定部により接続されるのと同時であってもよい。また、本実施例では、遊技盤が遊技盤固定部から解除されたあとに、第三のコネクタと第四のコネクタの接続が解除されている。なお、逆であってもよい。また、遊技盤が遊技盤固定部から解除されるのと同時に、第三のコネクタと第四のコネクタの接続が解除されてもよい。なお、第１４の実施例、第１５の実施例、第１６の実施例についても同様である。
【０３５３】
弾性部材８０３は、遊技盤２００を本体１０４に収容する際に、遊技盤２００と本体１０４とが離間する方向に付勢する。すなわち、弾性部材８０３は、遊技盤２００を本体１０４に収容する方向と逆の方向に付勢し、これによって、第一のコネクタ１０４ａ５と第二のコネクタ２００ａ５との接続時および第三のコネクタ１０４ａ６と第四のコネクタ２００ａ６との接続時の各コネクタへの衝撃を和らげて、これらの故障等を防ぐことができる場合がある。
【０３５４】
＜＜第１４の実施例＞＞
図５９は、本発明に係るコネクタ接続の構成の第１４の実施例を示すぱちんこ機１００についての、図４８に相当する断面図であり、（ａ）は遊技盤２００の一端を、遊技盤２００を回転支持する本体１０４の支持部１０４ｄに取り付け、遊技盤２００を開いた状態を示す図であり、（ｂ）は遊技盤２００を閉じ初め、遊技盤２００のコネクタと本体１０４のコネクタとが接した状態を示す図であり、（ｃ）は遊技盤２００を閉じ、遊技盤２００を本体１０４の収容部１０４ｅに収容した状態を示す図である。
【０３５５】
図５９において、遊技盤２００の図における下側が、遊技領域１２４を設けている側である。また、遊技盤２００の第四のコネクタ２００ａ６および第二のコネクタ２００ａ５を設けた側の反対側が、遊技領域１２４を設けている側である。
【０３５６】
図６０は、図５９のコネクタ部分を拡大して示す図である。
【０３５７】
また、図６１（ａ）は、図５９のぱちんこ機１００の遊技盤２００を外した本体１０４の正面図であり、図６１（ｂ）は、図５９のぱちんこ機１００の本体１０４から外した遊技盤２００の背面図である。
【０３５８】
この第１４の実施例では、第一の部品である本体１０４に設けた第一のコネクタ１０４ａ５と第二の部品である遊技盤２００に設けた第二のコネクタ２００ａ５とを接続するとともに、第一の部品である本体１０４に設けた第三のコネクタ１０４ａ６と第二の部品である遊技盤２００に設けた第四のコネクタ２００ａ６とを接続する構成を示す。
【０３５９】
第一のコネクタ１０４ａ５は、その当接面１０４ａ５ｓにて基板１０４ｃ５に接し、電気的に接続されて実装される。また、基板１０４ｃ５は、コネクタ取り付け手段であるコネクタ接続部１０４ｂ５’を介して本体１０４に接し、電気的に接続されて実装される。すなわち、第一のコネクタ１０４ａ５は、基板１０４ｃ５およびコネクタ接続部１０４ｂ５’を介して、本体１０４に電気的に接続されて実装される。
【０３６０】
第二のコネクタ２００ａ５は、その当接面２００ａ５ｓにて基板２００ｃ５に接し、電気的に接続されて実装される。また、基板２００ｃ５は、コネクタ取り付け手段であるコネクタ接続部２００ｂ５’を介して遊技盤２００に接し、電気的に接続されて実装される。すなわち、第二のコネクタ２００ａ５は、基板２００ｃ５およびコネクタ接続部２００ｂ５’を介して、遊技盤２００に電気的に接続されて実装される。
【０３６１】
第三のコネクタ１０４ａ６は、その当接面１０４ａ６ｓにて基板１０４ｃ６に接し、電気的に接続されて実装される。また、基板１０４ｃ６は、コネクタ取り付け手段であるコネクタ接続部１０４ｂ６’を介して本体１０４に接し、電気的に接続されて実装される。すなわち、第三のコネクタ１０４ａ６は、基板１０４ｃ６およびコネクタ接続部１０４ｂ６’を介して、本体１０４に電気的に接続されて実装される。
【０３６２】
第四のコネクタ２００ａ６は、その当接面２００ａ６ｓにて基板２００ｃ６に接し、電気的に接続されて実装される。また、基板２００ｃ６は、コネクタ取り付け手段であるコネクタ接続部２００ｂ６’を介して遊技盤２００に接し、電気的に接続されて実装される。すなわち、第四のコネクタ２００ａ６は、基板２００ｃ６およびコネクタ接続部２００ｂ６’を介して、遊技盤２００に電気的に接続されて実装される。
【０３６３】
なお、本実施例では、コネクタ接続部１０４ｂ５’とコネクタ接続部１０４ｂ６’は一体であって同一の部品である。また、コネクタ接続部２００ｂ５’とコネクタ接続部２００ｂ６’は一体であって同一の部品である。なお、コネクタ接続部１０４ｂ５’とコネクタ接続部１０４ｂ６’のみが一体であって同一の部品であり、コネクタ接続部２００ｂ５’とコネクタ接続部２００ｂ６’は、異なる部品であってもよい。また、その逆であってもよい。
【０３６４】
本体１０４は、遊技盤２００の一端を回転支持する支持部１０４ｄと、遊技盤２００を収容する収容部１０４ｅを有する。支持部１０４ｄは挿入された遊技盤２００の一端を外れないように押さえる突出部１０４ｃを有しており、この支持部１０４ｄに一端を挿入した遊技盤２００は、その一端を軸に回転して開閉可能としている。遊技盤２００を閉じると、その遊技盤２００は本体１０４の収容部１０４ｅに収容される。
【０３６５】
この遊技盤２００を閉じる動作によって第一のコネクタ１０４ａ５と第二のコネクタ２００ａ５とが押し付けられて接続するとともに第三のコネクタ１０４ａ６と第四のコネクタ２００ａ６とが押し付けられて接続する。遊技盤２００を開くと、第一のコネクタ１０４ａ５と第二のコネクタ２００ａ５との接続、および第三のコネクタ１０４ａ６と第四のコネクタ２００ａ６との接続は解除される。
【０３６６】
また、図５９、図６０に示すように、本体１０４には弾性部材８０３を設けている。弾性部材８０３について、図５９、図６０では、模式的にコイルばねで図示しているが、本発明はこれに限られるものではなく、板ばねやそのほか既知の各種ばねや、ゴムやそのほか如何なる部材であってもよい場合がある。また、弾性部材８０３は遊技盤固定部８００に含めてもよい場合があり、この場合、遊技盤受部８０１および作動レバー部８０２の回動に対して弾性部材８０３が付勢する場合がある。
【０３６７】
弾性部材８０３は、遊技盤２００を本体１０４に収容する際に、遊技盤２００と本体１０４とが離間する方向に付勢する。すなわち、弾性部材８０３は、遊技盤２００を本体１０４に収容する方向と逆の方向に付勢し、これによって、第一のコネクタ１０４ａ５と第二のコネクタ２００ａ５との接続時および第三のコネクタ１０４ａ６と第四のコネクタ２００ａ６との接続時の各コネクタへの衝撃を和らげて、これらの故障等を防ぐことができる場合がある。
【０３６８】
ここで、第二の部品である遊技盤２００の所定の面を、第四のコネクタ２００ａ６の当接面２００ａ６ｓと平行であり、遊技盤２００における第四のコネクタ２００ａ６の実装面と逆の面で当接面２００ａ６ｓから最も遠い面（例えば遊技盤２００の表面）としたとき、この所定の面から、第四のコネクタ２００ａ６における第三のコネクタ１０４ａ６と接触する接触部（遊技盤２００を閉じようとしたときに始めに接触する箇所でもよいし、遊技盤２００を閉じようとしたときに始めに接触する電極箇所でもよい。）まで、の高さをＨ３（図６０参照）とし、
また、第一の部品である本体１０４の所定の面を、第三のコネクタ１０４ａ６の当接面１０４ａ６ｓと平行であり、本体１０４における第三のコネクタ１０４ａ６の実装面と逆の面で当接面１０４ａ６ｓから最も遠い面（例えば本体１０４の裏面）としたとき、この所定の面から、第三のコネクタ１０４ａ６における第四のコネクタ２００ａ６と接触する接触部（遊技盤２００を閉じようとしたときに始めに接触する箇所でもよいし、遊技盤２００を閉じようとしたときに始めに接触する電極箇所でもよい。）まで、の高さをＨ４（図６０参照）とし、
また、第二の部品である遊技盤２００の所定の面を、第二のコネクタ２００ａ５の当接面２００ａ５ｓと平行であり、遊技盤２００における第二のコネクタ２００ａ５の実装面と逆の面で当接面２００ａ５ｓから最も遠い面（例えば遊技盤２００の表面）としたとき、この所定の面から、第二のコネクタ２００ａ５における第一のコネクタ１０４ａ５と接触する接触部（遊技盤２００を閉じようとしたときに始めに接触する箇所でもよいし、遊技盤２００を閉じようとしたときに始めに接触する電極箇所でもよい。）まで、の高さをＨ１（図６０参照）とし、
また、第一の部品である本体１０４の所定の面を、第一のコネクタ１０４ａ５の当接面１０４ａ５ｓと平行であり、本体１０４における第一のコネクタ１０４ａ５の実装面と逆の面で当接面１０４ａ５ｓから最も遠い面（例えば本体１０４の裏面）としたとき、この所定の面から、第一のコネクタ１０４ａ５における第二のコネクタ２００ａ５と接触する接触部（遊技盤２００を閉じようとしたときに始めに接触する箇所でもよいし、遊技盤２００を閉じようとしたときに始めに接触する電極箇所でもよい。）まで、の高さをＨ２（図６０参照）とすると、支持部１０４ｄから各コネクタまでの距離が同じであれば、この高さが高いコネクタの方が、破損可能性が高い。
【０３６９】
したがって、この例では、第一のコネクタ１０４ａ５と第二のコネクタ２００ａ５とでは、第一のコネクタ１０４ａ５の方が突出し、高さが高い（Ｈ１＜Ｈ２）ので、第一のコネクタ１０４ａ５が最も破損可能性が高いことがわかる。
【０３７０】
このことから、第一のコネクタ１０４ａ５を検査して正常であれば、第二のコネクタ２００ａ５、第三のコネクタ１０４ａ６および第四のコネクタ２００ａ６も正常であり、これらをさらに検査する手間が不要となる場合がある。
【０３７１】
なお、第二の部品（例えば遊技盤２００）に設けたコネクタの高さの基準となる第二の部品の所定面としては、この第二の部品と第一の部品（例えば本体１０４）とを組み付けて対応するコネクタ同士を接続したときに、この第二の部品が第一の部品と当接する面としてもよい。第二の部品に設けたコネクタのうち、この所定面を基準として、より第一の部品側に突出しているコネクタほど破損可能性が高い。
【０３７２】
同様に、第一の部品（例えば本体１０４）に設けたコネクタの高さの基準となる第一の部品の所定面としては、この第一の部品と第二の部品（例えば遊技盤２００）とを組み付けて対応するコネクタ同士を接続したときに、この第一の部品が第二の部品と当接する面としてもよい。第一の部品に設けたコネクタのうち、この所定面を基準として、より第二の部品側に突出しているコネクタほど破損可能性が高い。
【０３７３】
＜＜第１５の実施例＞＞
図６２は、本発明に係るコネクタ接続の構成の第１５の実施例を示すぱちんこ機１００についての、図４８に相当する断面図であり、（ａ）は遊技盤２００の一端を、遊技盤２００を回転支持する本体１０４の支持部１０４ｄに取り付け、遊技盤２００を開いた状態を示す図であり、（ｂ）は遊技盤２００を閉じ初め、遊技盤２００のコネクタと本体１０４のコネクタとが接した状態を示す図であり、（ｃ）は遊技盤２００を閉じ、遊技盤２００を本体１０４の収容部１０４ｅに収容した状態を示す図である。
【０３７４】
図６２において、遊技盤２００の図における下側が、遊技領域１２４を設けている側である。また、遊技盤２００の第四のコネクタ２００ａ８および第二のコネクタ２００ａ７を設けた側の反対側が、遊技領域１２４を設けている側である。
【０３７５】
図６３は、図６２のコネクタ部分を拡大して示す図である。
【０３７６】
この第１５の実施例では、第一の部品である本体１０４に設けた第一のコネクタ１０４ａ７と第二の部品である遊技盤２００に設けた第二のコネクタ２００ａ７とを接続するとともに、第一の部品である本体１０４に設けた第三のコネクタ１０４ａ８と第二の部品である遊技盤２００に設けた第四のコネクタ２００ａ８とを接続する構成を示す。
【０３７７】
第一のコネクタ１０４ａ７は、その当接面１０４ａ７ｓにて基板１０４ｃ７に接し、電気的に接続されて実装される。また、基板１０４ｃ７は、コネクタ取り付け手段であるコネクタ接続部１０４ｂ７を介して本体１０４に接し、電気的に接続されて実装される。すなわち、第一のコネクタ１０４ａ７は、基板１０４ｃ７およびコネクタ接続部１０４ｂ７を介して、本体１０４に電気的に接続されて実装される。
【０３７８】
第二のコネクタ２００ａ７は、その当接面２００ａ７ｓにて基板２００ｃ７に接し、電気的に接続されて実装される。また、基板２００ｃ７は、コネクタ取り付け手段であるコネクタ接続部２００ｂ７を介して遊技盤２００に接し、電気的に接続されて実装される。すなわち、第二のコネクタ２００ａ７は、基板２００ｃ７およびコネクタ接続部２００ｂ７を介して、遊技盤２００に電気的に接続されて実装される。
【０３７９】
第三のコネクタ１０４ａ８は、その当接面１０４ａ８ｓにて基板１０４ｃ８に接し、電気的に接続されて実装される。また、基板１０４ｃ８は、コネクタ取り付け手段であるコネクタ接続部１０４ｂ８を介して本体１０４に接し、電気的に接続されて実装される。すなわち、第三のコネクタ１０４ａ８は、基板１０４ｃ８およびコネクタ接続部１０４ｂ８を介して、本体１０４に電気的に接続されて実装される。
【０３８０】
第四のコネクタ２００ａ８は、その当接面２００ａ８ｓにて基板２００ｃ８に接し、電気的に接続されて実装される。また、基板２００ｃ８は、コネクタ取り付け手段であるコネクタ接続部２００ｂ８を介して遊技盤２００に接し、電気的に接続されて実装される。すなわち、第四のコネクタ２００ａ８は、基板２００ｃ８およびコネクタ接続部２００ｂ８を介して、遊技盤２００に電気的に接続されて実装される。
【０３８１】
また、遊技盤２００の面のうち、第二のコネクタ２００ａ７や第四のコネクタ２００ａ７を設けた側の面には、部品１２０５を設けている。この部品１２０５の少なくとも一部は遊技盤２００と接触して取り付けられている場合がある。
【０３８２】
本体１０４は、遊技盤２００の一端を回転支持する支持部１０４ｄと、遊技盤２００を収容する収容部１０４ｅを有する。支持部１０４ｄは挿入された遊技盤２００の一端を外れないように押さえる突出部１０４ｃを有しており、この支持部１０４ｄに一端を挿入した遊技盤２００は、その一端を軸に回転して開閉可能としている。遊技盤２００を閉じると、その遊技盤２００は本体１０４の収容部１０４ｅに収容される。
【０３８３】
この遊技盤２００を閉じる動作によって第一のコネクタ１０４ａ７と第二のコネクタ２００ａ７とが押し付けられて接続するとともに第三のコネクタ１０４ａ８と第四のコネクタ２００ａ８とが押し付けられて接続する。遊技盤２００を開くと、第一のコネクタ１０４ａ７と第二のコネクタ２００ａ７との接続、および第三のコネクタ１０４ａ８と第四のコネクタ２００ａ８との接続は解除される。
【０３８４】
また、図６２、図６３に示すように、本体１０４には弾性部材８０３を設けている。弾性部材８０３について、図６２、図６３では、模式的にコイルばねで図示しているが、本発明はこれに限られるものではなく、板ばねやそのほか既知の各種ばねや、ゴムやそのほか如何なる部材であってもよい場合がある。また、弾性部材８０３は遊技盤固定部８００に含めてもよい場合があり、この場合、遊技盤受部８０１および作動レバー部８０２の回動に対して弾性部材８０３が付勢する場合がある。
【０３８５】
弾性部材８０３は、遊技盤２００を本体１０４に収容する際に、遊技盤２００と本体１０４とが離間する方向に付勢する。すなわち、弾性部材８０３は、遊技盤２００を本体１０４に収容する方向と逆の方向に付勢し、これによって、第一のコネクタ１０４ａ７と第二のコネクタ２００ａ７との接続時および第三のコネクタ１０４ａ８と第四のコネクタ２００ａ８との接続時の各コネクタへの衝撃を和らげて、これらの故障等を防ぐことができる場合がある。
【０３８６】
ここで、第二の部品である遊技盤２００の所定の面を、第四のコネクタ２００ａ８の当接面２００ａ８ｓと平行であり、遊技盤２００における第四のコネクタ２００ａ８の実装面と逆の面で当接面２００ａ８ｓから最も遠い面（例えば遊技盤２００の表面）としたとき、この所定の面から、第四のコネクタ２００ａ８における第三のコネクタ１０４ａ８と接触する接触部（遊技盤２００を閉じようとしたときに始めに接触する箇所でもよいし、遊技盤２００を閉じようとしたときに始めに接触する電極箇所でもよい。）まで、の高さをＨ３（図６３参照）とし、
また、第一の部品である本体１０４の所定の面を、第三のコネクタ１０４ａ８の当接面１０４ａ８ｓと平行であり、本体１０４における第三のコネクタ１０４ａ８の実装面と逆の面で当接面１０４ａ８ｓから最も遠い面（例えば本体１０４の裏面）としたとき、この所定の面から、第三のコネクタ１０４ａ８における第四のコネクタ２００ａ８と接触する接触部（遊技盤２００を閉じようとしたときに始めに接触する箇所でもよいし、遊技盤２００を閉じようとしたときに始めに接触する電極箇所でもよい。）まで、の高さをＨ４（図６３参照）とし、
また、第二の部品である遊技盤２００の所定の面を、第二のコネクタ２００ａ７の当接面２００ａ７ｓと平行であり、遊技盤２００における第二のコネクタ２００ａ７の実装面と逆の面で当接面２００ａ７ｓから最も遠い面（例えば遊技盤２００の表面）としたとき、この所定の面から、第二のコネクタ２００ａ７における第一のコネクタ１０４ａ７と接触する接触部（遊技盤２００を閉じようとしたときに始めに接触する箇所でもよいし、遊技盤２００を閉じようとしたときに始めに接触する電極箇所でもよい。）まで、の高さをＨ１（図６３参照）とし、
また、第一の部品である本体１０４の所定の面を、第一のコネクタ１０４ａ７の当接面１０４ａ７ｓと平行であり、本体１０４における第一のコネクタ１０４ａ７の実装面と逆の面で当接面１０４ａ７ｓから最も遠い面（例えば本体１０４の裏面）としたとき、この所定の面から、第一のコネクタ１０４ａ７における第二のコネクタ２００ａ７と接触する接触部（遊技盤２００を閉じようとしたときに始めに接触する箇所でもよいし、遊技盤２００を閉じようとしたときに始めに接触する電極箇所でもよい。）まで、の高さをＨ２（図６３参照）とすると、支持部１０４ｄから各コネクタまでの距離が同じであれば、この高さが高いコネクタの方が、破損可能性が高い。
【０３８７】
また、第二の部品である遊技盤２００の所定の面を、部品１２０５の上面と平行であり、遊技盤２００における部品１２０５の実装面と逆の面で部品１２０５の上面から最も遠い面（例えば遊技盤２００の表面）としたとき、この所定の面から、部品１２０５の上面まで、の高さをＨ５（図６３参照）としたとき、
Ｈ５＞Ｈ１且つＨ５＞Ｈ２且つＨ５＞Ｈ３且つＨ５＞Ｈ４である（部品１２０５が、第一のコネクタ１０４ａ７、第二のコネクタ２００ａ７、第三のコネクタ１０４ａ８および第四のコネクタ２００ａ８のいずれよりも突出している）場合がある。つまり、遊技盤に設けられた部品１２０５の高さは、遊技盤に設けられた第二のコネクタの高さよりも高く、遊技盤に設けられた部品１２０５の高さは、第四のコネクタの高さよりも高い。さらに、遊技盤に設けられた部品１２０５の高さは、本体に設けられた第一のコネクタの高さよりも高く、遊技盤に設けられた部品１２０５の高さは、本体に設けられた第三のコネクタの高さよりも高い。なお、部品１２０５は、本体に設けられた第一のコネクタおよび第三のコネクタのうちの少なくとも一方のコネクタよりも低くてもよい。また、少なくとも両方のコネクタの高さよりも低くてもよく、同じ高さであってもよい。なお、第一のコネクタおよび第三のコネクタの両方のコネクタの高さのみ部品１２０５の高さよりも高くてもよい。また、その逆であってもよい。なお、遊技盤に設けられた第二のコネクタおよび第四のコネクタの両方のコネクタの高さのみ部品１２０５の高さよりも低いものであってもよい。
【０３８８】
この場合であっても、本体１０４と遊技盤２００とが正しく取り付けられたとき（図６２（ｃ）参照）、部品１２０５の高さＨ５は、本体１０４と遊技盤２００との距離よりも低く、本体１０４と遊技盤２００との間の空間に少なくとも収納可能な場合がある。
【０３８９】
なお、第一の部品（例えば本体１０４）に設けたコネクタの高さの基準となる第一の部品の所定面としては、この第一の部品と第二の部品（例えば遊技盤２００）とを組み付けて対応するコネクタ同士を接続したときに、この第一の部品が第二の部品と当接する面としてもよい。第一の部品に設けたコネクタのうち、この所定面を基準として、より第二の部品側に突出しているコネクタほど破損可能性が高い。
【０３９０】
同様に、第二の部品（例えば遊技盤２００）に設けたコネクタの高さの基準となる第二の部品の所定面としては、この第二の部品と第一の部品（例えば本体１０４）とを組み付けて対応するコネクタ同士を接続したときに、この第二の部品が第一の部品と当接する面としてもよい。第二の部品に設けたコネクタのうち、この所定面を基準として、より第一の部品側に突出しているコネクタほど破損可能性が高い。
【０３９１】
図６４は、図６２のぱちんこ機１００の遊技盤２００を開いた状態を示す斜視図である。
【０３９２】
図６５は、図６４のパチンコ機１００を示す図であって、パチンコ機１００の概略正面図である。
【０３９３】
図６４および図６５の例では、図５６〜図６４の例と異なり、遊技盤固定部８００が設けられていない。本体に遊技盤固定部が設けられている場合、遊技盤は遊技盤固定部により固定されているため、盤の荷重は遊技盤固定部にかかる。一方で、本実施例のように遊技盤固定部がない場合は、コネクタ（例えば、第一のコネクタ、第二のコネクタ、第三のコネクタ、第四のコネクタなど）に荷重がかかるため、コネクタがより壊れやすい状況となる。遊技盤固定部が設けられていない以外は、図５６〜図６４と同様であるため、説明は省略する。
【０３９４】
＜＜第１６の実施例＞＞
図６６は、本発明に係るパチンコ機１００の第１６の実施例の具体的構成の一例を示す正面図である。
【０３９５】
本体１０４に遊技盤２００を取り付ける際には、遊技盤２００の一端を、遊技盤２００を回転支持する本体１０４の支持部１０４ｄに取り付け、遊技盤２００を回動させて閉じる。
【０３９６】
本体１０４には、遊技盤２００を閉じて収容したときに、遊技盤２００を固定する遊技盤固定部８００を設けている。
【０３９７】
図６７は、図６６に示したパチンコ機１００を示す図であり、（ａ）はパチンコ機１００における、前面枠扉１０６を開いて遊技盤２００を取り外した状態の本体１０４を示す斜視図であり、（ｂ）は遊技盤２００の背面図である。
【０３９８】
本体１０４は、遊技盤２００の一端を回転支持する支持部１０４ｄと、遊技盤２００を収容する収容部１０４ｅを有する。支持部１０４ｄは挿入された遊技盤２００の一端を外れないように押さえる突出部１０４ｃを有しており、この支持部１０４ｄに一端を挿入した遊技盤２００は、その一端を軸に回転して開閉可能としている。遊技盤２００を閉じると、その遊技盤２００は本体１０４の収容部１０４ｅに収容される。
【０３９９】
この遊技盤２００を閉じる動作によって、本体１０４側のコネクタ７０７ａと遊技盤２００側のコネクタ７０６ａとが押し付けられて接続し、本体１０４側のコネクタ７０７ｂと遊技盤２００側のコネクタ７０６ｂとが押し付けられて接続し、本体１０４側のコネクタ７０７ｃと遊技盤２００側のコネクタ７０６ｃとが押し付けられて接続する。遊技盤２００を開くと、コネクタ７０７ａとコネクタ７０６ａとの接続、コネクタ７０７ｂとコネクタ７０６ｂとの接続、およびコネクタ７０７ｃとコネクタ７０６ｃとの接続は解除される。
【０４００】
本実施例においては、コネクタ７０６ａとコネクタ７０７ａが接続された後に、コネクタ７０６ｂとコネクタ７０７ｂが接続される。さらに、コネクタ７０６ｂとコネクタ７０７ｂが接続された後に、コネクタ７０６ｃとコネクタ７０７ｃが接続される。なお、３組のコネクタの接続順は上記に限らない。また、３組のコネクタが同時に接続されてもよい。なお、３組のコネクタのうちの少なくとも２組が同時に接続され、残りの１組が、同時に接続される２組よりも先に接続されてもよい。またその逆でもよい。
【０４０１】
本実施例においては、コネクタ７０６ｃとコネクタ７０７ｃの接続が解除された後に、コネクタ７０６ｂとコネクタ７０７ｂの接続が解除される。さらに、コネクタ７０６ｂとコネクタ７０７ｂの接続が解除された後に、コネクタ７０６ａとコネクタ７０７ａの接続が解除される。なお、３組のコネクタの解除順は上記に限らない。また、３組のコネクタの接続が同時に解除されてもよい。なお、３組のコネクタのうちの少なくとも２組の接続が同時に解除され、残りの１組の接続が、同時に解除される２組の接続よりも先に解除されてもよい。またその逆でもよい。なお、以降の実施例においても同様であってもよい。
【０４０２】
遊技盤２００を閉じると、本体１０４に取り付けてある遊技盤固定部８００によって、遊技盤２００は本体１０４に固定される。なお、図６７（ａ）においては、作動レバー部８０２の面が遊技者側に向いた状態を図示している。
【０４０３】
なお、フローティングコネクタとは、位置を固定されたコネクタと、この位置を固定されたコネクタと相対する接続面に可動域を有するコネクタとの組み合わせを呼ぶ場合があるが、ここでは、可動域を有するコネクタをフローティングコネクタと呼ぶ場合がある。
【０４０４】
本実施例では、例えば遊技盤２００側のコネクタ７０６ａ、７０６ｂおよび７０６ｃを固定されたコネクタにし、本体１０４側のコネクタ７０７ａ、７０７ｂおよび７０７ｃをフローティングコネクタにする場合がある。この場合、フローティングコネクタの可動域によりコネクタを接続しにくい場合がある。そこで、本実施例では、詳しくは後述する案内部および被案内部によって安定したコネクタ接続を可能とする場合がある。
【０４０５】
なお、本実施例では、第一の部品（遊技盤２００）に主基坂１５６、第１の副基板１６０および第２の副基板１６４を設けている。また、第二の部品（本体１０４）に払出制御基板１７０、発射基板１７４および電源基板１８２を設けている。各コネクタは、これらの基板どうしの接続を行う場合があり、コネクタ接続が正常に行われていない場合、これらの基板のうち複数の基板に跨る制御の動作が正常に行われているか否かで、コネクタ接続の不具合か基板の不具合かを切り分けることができ、また、コネクタ接続の不具合であれば、案内部の異常であることを推測することもできる場合がある。
【０４０６】
本実施例では、コネクタ７０６ａの右側に設けられたコネクタ７０５ａと主基板１５６に設けられたコネクタ７０２ａａとコネクタ７０２ａｂが不図示のコネクタ（例えば、コネクタ付のハーネス、フローティングコネクタなど）で接続されている。また、コネクタ７０６ｂの上側に設けられたコネクタ７０４ａと第２の副基板１６４に設けられたコネクタ７０３ａｂが不図示のコネクタ（例えば、コネクタ付のハーネス、フローティングコネクタなど）で接続されている。また、コネクタ７０６ｃの上側に設けられたコネクタ７０４ｂと第２の副基板１６４に設けられたコネクタ７０３ａａとコネクタ７０３ｂが不図示のコネクタ（例えば、コネクタ付のハーネス、フローティングコネクタなど）で接続されている。なお、第２の副基板１６４が１枚の基板であり、コネクタ７０３ａａ、コネクタ７０３ａｂ、コネクタ７０３ｂは同一の基板上に設けられていてもよい。なお、第２の副基板１６４が複数の基板により構成されている場合、コネクタ７０３ａａ、コネクタ７０３ａｂ、コネクタ７０３ｂは、すべて異なる基板上に設けられていてもよく、３つのコネクタのうちの少なくとも１つが異なる基板上に設けられていてもよく、３つのコネクタのうちの１つのみが異なる基板上に設けられていてもよい。また、第２の副基板１６４が複数の基板から構成されている場合、すべての基板にコネクタ７０３ａａ、コネクタ７０３ａｂ、コネクタ７０３ｂのうちのいずれか１つまたは１つ以上が設けられていてもよく、コネクタ７０３ａａ、コネクタ７０３ａｂ、コネクタ７０３ｂのいずれも設けられていない基板があってもよい。
【０４０７】
例えば、液晶表示に不具合があった場合でも、打出や払出が行われている場合はコネクタの電気的接続が異常であり、案内部が壊れてしまっている可能性がある。一方で、同様の状況でも打出や払出もされない場合には、電源基板に不具合が発生している可能性がある。
【０４０８】
図６８は、図６６に示した遊技盤２００を本体１０４に収容する様子を示す図であって、（ａ）は遊技盤２００の一端を、遊技盤２００を回転支持する本体１０４の支持部１０４ｄに取り付け、遊技盤２００を開いた状態を示す図であり、（ｂ）は遊技盤２００を閉じ、遊技盤２００を本体１０４の収容部１０４ｅに収容した状態を示す図である。
【０４０９】
図６９は、図６８に示した支持部１０４ｄの近傍を示す斜視図である。
【０４１０】
本実施例では、ぱちんこ機１００の主基板を７０２で示し、副基板を７０３で示している。
【０４１１】
主基板７０２に接続されたコネクタ７０２ａは、例えばハーネスによってコネクタ７０５ａと接続される。また、副基板７０３に接続されたコネクタ７０３ａは、例えばハーネスによってコネクタ７０４ａと接続され、副基板７０３に接続されたコネクタ７０３ｂは、例えばハーネスによってコネクタ７０４ｂと接続される。
【０４１２】
コネクタ７０５ａとコネクタ７０６ａとは例えば後述の基板７０５のプリント配線にて接続され、コネクタ７０４ａとコネクタ７０６ｂとは例えば後述の基板７０４のプリント配線にて接続され、コネクタ７０４ｂとコネクタ７０６ｃとは例えば後述の基板７０４のプリント配線にて接続される。
【０４１３】
本体１０４は、遊技盤２００の一端を回転支持する支持部１０４ｄと、遊技盤２００を収容する収容部１０４ｅを有する。支持部１０４ｄは挿入された遊技盤２００の一端を外れないように押さえる突出部１０４ｃを有しており、この支持部１０４ｄに一端を挿入した遊技盤２００は、その一端を軸に回転して開閉可能としている。遊技盤２００を閉じると、その遊技盤２００は本体１０４の収容部１０４ｅに収容される。
【０４１４】
この遊技盤２００を閉じる動作によって、本体１０４側のコネクタ７０７ａと遊技盤２００側のコネクタ７０６ａとが押し付けられて接続し、本体１０４側のコネクタ７０７ｂと遊技盤２００側のコネクタ７０６ｂとが押し付けられて接続し、本体１０４側のコネクタ７０７ｃと遊技盤２００側のコネクタ７０６ｃとが押し付けられて接続する。遊技盤２００を開くと、コネクタ７０７ａとコネクタ７０６ａとの接続、コネクタ７０７ｂとコネクタ７０６ｂとの接続、およびコネクタ７０７ｃとコネクタ７０６ｃとの接続は解除される。
【０４１５】
遊技盤２００を閉じると、本体１０４に取り付けてある遊技盤固定部８００によって、遊技盤２００は本体１０４に固定される。なお、図６７（ａ）においては、作動レバー部８０２の面が遊技者側に向いた状態を図示している。
【０４１６】
図７０は、本体１０４側のコネクタと遊技盤２００側のコネクタの詳細を示す斜視図であり、（ａ）は遊技盤２００側のコネクタの周辺構成を分解した状態を示す図であり、（ｂ）は遊技盤２００側のコネクタの周辺構成を組み立てた状態を示す図である。また、図７１（ａ）は図７０（ａ）の背面斜視図であり、図７１（ｂ）は図７０（ｂ）の背面斜視図である。
【０４１７】
コネクタ７０６ａは、当接面７０６ａｓを基板７０５に当接させて例えば半田によって接続して実装する。コネクタ７０６ｂは、当接面７０６ｂｓを基板７０４に当接させて例えば半田によって接続して実装する。コネクタ７０６ｃは、当接面７０６ｃｓを基板７０４に当接させて例えば半田によって接続して実装する。
【０４１８】
互いに接続されるコネクタ７０６ａとコネクタ７０７ａとはフローティングコネクタであってもよいし、そうでなくてもよい。本実施例では、フローティングコネクタとする。コネクタ７０７ａは、本体１０４に取り付けられた状態において、接続相手のコネクタ７０６ａとの接続面と少なくとも平行な面内で、接続位置のずれを吸収可能なようにフローティング（移動可能）としている。
【０４１９】
互いに接続されるコネクタ７０６ｂとコネクタ７０７ｂとはフローティングコネクタであってもよいし、そうでなくてもよい。本実施例では、フローティングコネクタとする。コネクタ７０７ｂは、本体１０４に取り付けられた状態において、接続相手のコネクタ７０６ｂとの接続面と少なくとも平行な面内で、接続位置のずれを吸収可能なようにフローティング（移動可能）としている。
【０４２０】
互いに接続されるコネクタ７０６ｃとコネクタ７０７ｃとはフローティングコネクタであってもよいし、そうでなくてもよい。本実施例では、フローティングコネクタとする。コネクタ７０７ｃは、本体１０４に取り付けられた状態において、接続相手のコネクタ７０６ｃとの接続面と少なくとも平行な面内で、接続位置のずれを吸収可能なようにフローティング（移動可能）としている。
【０４２１】
コネクタ７０７ａ、コネクタ７０７ｂおよびコネクタ７０７ｃは、そのフローティング機構の故にフローティングではないコネクタと比べて破損しやすい場合がある。また、コネクタ７０６ａ、コネクタ７０６ｂおよびコネクタ７０６ｃの端子部分は電極が例えば同であるのに対して、その周辺を例えば黒色にしておけば、その周辺色の変色で、破損の進行を視認可能な場合がある。
【０４２２】
コネクタ７０６ａを実装した基板７０５、並びにコネクタ７０６ｂおよびコネクタ７０６ｃを実装した基板７０４は、ドロワベース７０８に固定され、その後、遊技盤２００に取り付けられる。
【０４２３】
コネクタ７０６ａ、コネクタ７０６ｂおよびコネクタ７０６ｃは、フローティングではないので、破損しにくい。また、コネクタ７０６ａ、コネクタ７０６ｂおよびコネクタ７０６ｃは、一般にハウジングと呼ばれ、金属製の枠に覆われているので、破損しにくい。
【０４２４】
コネクタ７０７ａは、当接面７０７ａｓを本体１０４に当接させて例えば半田によって接続して実装する。コネクタ７０７ｂは、当接面７０７ｂｓを本体１０４に当接させて例えば半田によって接続して実装する。コネクタ７０７ｃは、当接面７０７ｃｓを本体１０４に当接させて例えば半田によって接続して実装する。このとき、コネクタ７０７ａは図示しないコネクタ接続部によって、その高さを高くしている。
【０４２５】
以上のように構成することによって、コネクタ７０７ａを最も破損しやすい構成とすることができ、コネクタの検査時にはすべてのコネクタを検査せずとも、コネクタ７０７ａを検査すればよい場合がある。
【０４２６】
また、複数のコネクタにおいては、そのすべての中で最も破損しやすいもののみを検査するようにしてもよいし、複数のコネクタの中のいくつかだけを対象にしてそのいくつかの中で最も破損しやすいものの検査により、他のコネクタの破損状態を知ることができる場合がある。
【０４２７】
また、コネクタは、その長辺が長い方が接続時の衝撃が分散して破損しにくいが、意図的に破損しやすいように長辺が短いコネクタを用意し、その破損を確認することによって、他のコネクタの破損状態を知り得るように構成することができるが、この場合、長辺が短いコネクタは安価であることから、安価な構成で他のコネクタの破損状態を知り得る場合がある。
【０４２８】
図７２は、本体１０４に取り付ける遊技盤固定具８００の詳細を示す図であり、（ａ）は遊技盤固定具８００の開口を下に向けた状態を示す斜視図であり、（ｂ）は遊技盤固定具８００の作動レバー部８０２の面側から見た正面図である。
【０４２９】
図７３は、図７２に示した遊技盤固定具８００の分解斜視図である。
【０４３０】
遊技盤固定具８００は、遊技盤受部８０１を成す２枚の板部材８０１ａおよび８０１ｂと、作動レバー部８０２と、弾性部材８０３と、基台８０４と、
係止爪８０５ｃを有する係止部材８０５と、を有して構成される。
【０４３１】
基台８０４は、平板部材の両脇を図中手前側に屈曲させて、中央を背板８０４ａとし、両脇を脇部８０４ｂとしている。背板８０４ａは本体１０４に固定する。
【０４３２】
作動レバー部８０２の両側には板部材８０１ａおよび板部材８０１ｂを配置し、軸８０７を、板部材８０１ｂの貫通孔８０１ｂａ、作動レバー部８０２の８０２ａ、板部材８０１ａの貫通孔８０１ａａの順で貫通し、作動レバー部８０２と板部材８０１ａおよび板部材８０１ｂとがずれないように固定する。
【０４３３】
軸８０６は、基台８０４の貫通孔８０４ｄ、板部材８０１ｂの貫通孔８０１ｂｂ、作動レバー部８０２の８０２ｂ、板部材８０１ａの貫通孔８０１ａｂ、基台８０４の貫通孔８０４ｆの順に貫通し、一体化した板部材８０１ｂ、作動レバー部８０２および板部材８０１ａが、基台８０４に対して回動可能になるように軸支する。
【０４３４】
軸８０８は、板部材８０１ｂの貫通孔８０１ｂｃ、板部材８０１ａの貫通孔８０１ａｃ、の順で貫通する。
【０４３５】
軸８０９は、基台８０４の貫通孔８０４ｃ、係止部８０５の貫通孔８０５ｂ、基台８０４の貫通孔８０４ｅの順で貫通し、係止部８０５が、基台８０４に対して回動可能になるように軸支する。係止部８０５は上部に操作部８０５ａを有する。
【０４３６】
弾性部材８０３は、本例では板ばねであり、所定形状に湾曲させたほぼ中央部を、基台８０４の背板８０４ａに固定する。弾性部材８０３の下側は背板８０４ａに当接する。係止部８０５は、平板部材の両脇を図中下側に屈曲させ、その上面に対してその下側から、弾性部材８０３の上側が当接する。
【０４３７】
基台８０４は、軸８０８が入り込む凹部８０４ｇ、８０４ｈを有する。また、係止部８０５の係止爪８０５ｃは、詳しくは後述するように、軸８０８を係止する。
【０４３８】
図７４は、遊技盤２００を本体１０４に収容し、遊技盤固定具８００によって固定する動作を説明する図であって、（ａ）は、遊技盤固定具８００の開口に遊技盤２００が挿入された状態を示す側面図であり、（ａ）’は、（ａ）の状態における、図７２（ｂ）のＦ−Ｆ位置での側断面図であり、（ｂ）は、（ａ）に続く状態であって遊技盤２００の収容が進んだ状態を示す側面図であり、（ｂ）’は、（ｂ）の状態における、図７２（ｂ）のＦ−Ｆ位置での側断面図であり、（ｃ）は、（ｂ）に続く状態であって遊技盤２００の収容が完了した状態を示す側面図であり、（ｃ）’は、（ｃ）の状態における、図７２（ｂ）のＦ−Ｆ位置での側断面図である。
【０４３９】
なお、図７４において、本体１０４の図示を省略しているが、図中右側にある本体１０４に遊技盤固定具８００が取り付けられている。
【０４４０】
遊技盤２００の本体１０４への収容時には、遊技盤固定具８００の開口すなわち遊技盤受部８０１と作動レバー部８０２との間の開口に遊技盤２００が挿入され、この遊技盤２００が遊技盤受部８０１を本体１０４側に押す。
【０４４１】
図７４（ａ）、（ａ）’に示すように、遊技盤２００を収容していないときには、弾性部材８０３に付勢されて、係止部８０５は、その操作部８０５ａが背板８０４ａとほぼ垂直な位置にある。
【０４４２】
図７４（ｂ）、（ｂ）’に示すように、遊技盤２００を収容しようと遊技盤２００で遊技盤受部８０１を押すと、軸８０８が係止爪８０５ｃを押し、弾性部材８０３の弾性力に反して、操作部８０５ａの先端が下がるように係止部８０５を回動させる。
【０４４３】
図７４（ｃ）、（ｃ）’に示すように、さらに遊技盤２００を押し込むと、係止爪８０５ｃのくぼみに軸８０８が嵌り、弾性部材８０３の弾性力によって、操作部８０５ａの先端が上がるように係止部８０５を回動させ、図７４（ａ）、（ａ）’と同じ位置に位置する。このとき軸８０８は係止爪８０５ｃに係止され、これによって遊技盤受部８０１および作動レバー部８０２が固定され、遊技盤受部８０１と作動レバー部８０２との間の開口に挿入された遊技盤２００が固定される。
【０４４４】
遊技盤２００の固定を解除する際には、図７４（ｃ）、（ｃ）’に示す状態において、操作部８０５ａの先端を押し下げる。この操作により、係止爪８０５ｃが軸８０８から外れ、遊技盤受部８０１および作動レバー部８０２は自由に動き、遊技盤２００を遊技者側に引き出すことが可能になる。
【０４４５】
＜＜第１７の実施例＞＞
図７５は、本発明に係るパチンコ機１００の第１７の実施例を示す図であって、パチンコ機１００の遊技盤２００に取り付けられる部品の例を示す分解斜視図である。
【０４４６】
遊技盤２００は、遊技者側に遊技領域１２４を形成する板状部材である遊技板７０９に対して、各種部品が取り付けられて成る。
【０４４７】
遊技板７０９の表側（遊技者側）には遊技領域１２４が形成され、裏側（島側）には遊技領域１２４を転動してきた遊技球が通過する球通路７１０を設けている。また、遊技板７０９の裏側には、フローティングコネクタであるコネクタ７０６ａ、７０６ｂ、７０６ｃを設けている。
【０４４８】
遊技板７０９の裏側には、各種演出を行う演出手段７１１や、例えば小判の打ち上げといった演出を行う演出手段７１２や、例えばシャッター（遮蔽手段）の開閉といった演出を行う演出手段７１３や、主基板１５６を収納する主基板ケース１５８や、第１副基板１６０を収納する第１副基板ケース１６２や、第２副基板１６４を収納する第２副基板ケース１６６や、液晶表示装置２０８などの部品が取り付けられている。これらは、遊技盤２００に取り付けられる部品である。
【０４４９】
本実施例では、演出手段７１１は、遊技板７０９の裏側に取り付けられているものであり、演出手段７１２は、演出手段７１２の裏側に取り付けられているものであり、演出手段７１３は、演出手段７１２の裏側に取り付けられているものであり、液晶表示装置２０８は、演出手段７１３の裏側に取り付けられているものであり、主基板ケース１５８、第１副基板ケース１６２、および第２副基板ケース１６６は、液晶表示装置２０８の裏側に取り付けられているものである。
【０４５０】
なお、本件における「部品Ａが部品Ｂに取り付けられる」は、部品Ａの少なくとも一部が部品Ｂの少なくとも一部と接触するものを示していてもよく、部品Ａの一部のみが部品Ｂの一部のみと接触するものを示していてもよい。また、部品Ａの少なくとも一部が部品Ｂの全部と接触するものを示していてもよく、また、その逆であってもよい。さらに、部品Ａの全部が部品Ｂの全部と接触していることを示してもよい。
【０４５１】
図７６（ａ）、図７６（ｂ）、図７７（ａ）および図７７（ｂ）は、図７５に示した遊技盤２００を下方から見た底面図である。これらの図では下側が、遊技盤２００の表側（遊技者側）であって、遊技領域１２４が形成される側である。
【０４５２】
図７６（ａ）では、遊技盤２００の裏側に、さらに裏カバー７１４を設けた状態を示している。この裏カバー７１４も遊技盤２００に取り付けられる部品である。
【０４５３】
遊技盤２００の裏側には、球通路７１０を形成する裏通路ユニット７１６や、主基板ケース１５８を取り付ける際のベースとなる主基板ユニットベース７１５を設けている。これらも、遊技盤２００に取り付けられる部品である。
【０４５４】
遊技盤２００の裏側には、フローティングコネクタであるコネクタ７０６ａ、７０６ｂ、７０６ｃを設けている。
【０４５５】
図７６（ａ）に示す通り、遊技領域１２４（遊技盤２００の表面）から裏カバー７１４における最も後ろ側に突出した部位までの高さは、遊技領域１２４からコネクタ７０６ａにおける最も後ろ側に突出した部位までの高さよりも高い（遊技領域１２４（遊技盤２００の表面）を基準とした場合に、裏カバー７１４における最も後ろ側に突出した部位は、コネクタ７０６ａにおける最も後ろ側に突出した部位よりも突出している）。また、遊技領域１２４（遊技盤２００の表面）から裏カバー７１４における最も後ろ側に突出した部位までの高さは、遊技領域１２４からコネクタ７０６ｂにおける最も後ろ側に突出した部位までの高さよりも高い（遊技領域１２４（遊技盤２００の表面）を基準とした場合に、裏カバー７１４における最も後ろ側に突出した部位は、コネクタ７０６ｂにおける最も後ろ側に突出した部位よりも突出している）。さらに、遊技領域１２４（遊技盤２００の表面）から裏カバー７１４おける最も後ろ側に突出した部位までの高さは、遊技領域１２４からコネクタ７０６ｃにおける最も後ろ側に突出した部位までの高さよりも高い（遊技領域１２４（遊技盤２００の表面）を基準とした場合に、裏カバー７１４における最も後ろ側に突出した部位は、コネクタ７０６ｃにおける最も後ろ側に突出した部位よりも突出している）。
【０４５６】
図７６（ｂ）では、図７６（ａ）の状態から、主基板ケース１５８や主基板ユニットベース７１５を取り外した状態を示している。この状態で、例えば小判の打ち上げといった演出を行う演出手段７１２や、例えばシャッター（遮蔽手段）の開閉といった演出を行う演出手段７１３が見える。主基板ケース１５８や主基板ユニットベース７１５を取り外した場合であっても、最も後ろ側に突出した部品は裏カバー７１４であり、図７６（ａ）と同様であるので、説明は省略する。主基板ケース１５８は、裏カバー７１４により、少なくとも一部（例えば、図６７のコネクタ７０２ａａ、コネクタ７０２ａｂなどを含む複数のコネクタ（図４０の塗りつぶされている領域）が覆われるように設けられており、外力による接続解除やコネクタへの不正を防ぐことができる場合がある。
【０４５７】
図７７（ａ）では、図７６（ｂ）の状態から、裏カバー７１４、主基板ケース１５８および主基板ユニットベース７１５を取り外した状態を示している。
【０４５８】
図７７（ａ）に示す通り、遊技領域１２４（遊技盤２００の表面）から第２副基板ケース１６６における最も後ろ側に突出した部位までの高さは、遊技領域１２４からコネクタ７０６ａにおける最も後ろ側に突出した部位までの高さよりも高い（遊技領域１２４を基準とした場合に、第２副基板ケース１６６における最も後ろ側に突出した部位は、コネクタ７０６ａにおける最も後ろ側に突出した部位よりも突出している）。また、遊技領域１２４（遊技盤２００の表面）から第２副基板ケース１６６における最も後ろ側に突出した部位までの高さは、遊技領域１２４からコネクタ７０６ｂにおける最も後ろ側に突出した部位までの高さよりも高い（遊技領域１２４（遊技盤２００の表面）を基準とした場合に、第２副基板ケース１６６における最も後ろ側に突出した部位は、コネクタ７０６ｂにおける最も後ろ側に突出した部位よりも突出している）。さらに、遊技領域１２４（遊技盤２００の表面）から第２副基板ケース１６６における最も後ろ側に突出した部位までの高さは、遊技領域１２４からコネクタ７０６ｃにおける最も後ろ側に突出した部位までの高さよりも高い（遊技領域１２４（遊技盤２００の表面）を基準とした場合に、第２副基板ケース１６６における最も後ろ側に突出した部位は、コネクタ７０６ｃにおける最も後ろ側に突出した部位よりも突出している）。
【０４５９】
図７７（ｂ）では、図７６（ａ）の状態から、裏カバー７１４を取り外した状態を示している。
【０４６０】
図７７（ｂ）に示す通り、遊技領域１２４（遊技盤２００の表面）から主基板ケース１５８における最も後ろ側に突出した部位までの高さは、遊技領域１２４からコネクタ７０６ａにおける最も後ろ側に突出した部位までの高さよりも高い（遊技領域１２４（遊技盤２００の表面）を基準とした場合に、主基板ケース１５８における最も後ろ側に突出した部位は、コネクタ７０６ａにおける最も後ろ側に突出した部位よりも突出している）。また、遊技領域１２４（遊技盤２００の表面）から主基板ケース１５８における最も後ろ側に突出した部位までの高さは、遊技領域１２４からコネクタ７０６ｂにおける最も後ろ側に突出した部位までの高さよりも高い（遊技領域１２４（遊技盤２００の表面）を基準とした場合に、主基板ケース１５８における最も後ろ側に突出した部位は、コネクタ７０６ｂにおける最も後ろ側に突出した部位よりも突出している）。さらに、遊技領域１２４（遊技盤２００の表面）から主基板ケース１５８における最も後ろ側に突出した部位までの高さは、遊技領域１２４からコネクタ７０６ｃにおける最も後ろ側に突出した部位までの高さよりも高い（遊技領域１２４（遊技盤２００の表面）を基準とした場合に、主基板ケース１５８における最も後ろ側に突出した部位は、コネクタ７０６ｃにおける最も後ろ側に突出した部位よりも突出している）。
【０４６１】
図７８は、図７５に示した遊技盤２００を組み付けて、コネクタ７０６ａ、７０６ｂ、７０６ｃを取り外した状態を示す図であって、遊技盤２００の裏側から見た斜視図である。
【０４６２】
コネクタ７０６ａ、７０６ｂ、７０６ｃは、詳しくは後述するように、ドロワベース７０８に固定され、その後、遊技盤２００に取り付けられる。
【０４６３】
図７９は、ドロワベース７０８に固定されたコネクタの構成を示す図であって、（ａ）は斜視図であり、（ｂ）は（ａ）の底面図である。
【０４６４】
また、図８０は、ドロワベース７０８に固定されたコネクタの構成を示す図であって、（ａ）は図７９（ａ）の正面図であり、（ｂ）は図７９（ａ）の背面図である。図８０（ｂ）に示すドロワベース７０８の背面の一部が、少なくとも遊技盤２００の裏面の少なくとも一部と接触している。なお、ドロワベース７０８の背面の全部が遊技盤２００の裏面の少なくとも一部と接触していてもよく、またその逆でもよい。また、ドロワベース７０８の背面の全部が遊技盤２００の裏面の全部と接触していてもよい。なお、ドロワベース７０８の背面の一部のみが、少なくとも遊技盤２００の裏面の一部のみと接触していてもよい。
【０４６５】
コネクタ７０６ａは、基板７０５に当接させて例えば半田によって接続して実装する。コネクタ７０６ｂは、基板７０４に当接させて例えば半田によって接続して実装する。コネクタ７０６ｃは、基板７０４に当接させて例えば半田によって接続して実装する。
【０４６６】
コネクタ７０６ａを実装した基板７０５、並びにコネクタ７０６ｂおよびコネクタ７０６ｃを実装した基板７０４は、ドロワベース７０８に固定され、その後、遊技盤２００に取り付けられる。基板７０４の厚さと基板７０５の厚さは同じである。なお、基板７０４の厚さと基板７０５の厚さは異なるものであってもよく、基板７０４の厚さは基板７０５の厚さよりも厚くてもよい。また、その逆であってもよい。
【０４６７】
図７９（ｂ）を参照して分かるように、コネクタ７０６ａ、コネクタ７０６ｂ、コネクタ７０６ｃそれぞれ自体の高さは同じであるが、基板７０４は基板７０５よりも高さＡだけ高く、ドロワベース７０８に固定されており、これにより、コネクタ７０６ｂおよびコネクタ７０６ｃは、コネクタ７０６ａよりも高さＡだけ高く配置されている。なお、コネクタ７０６ａ、コネクタ７０６ｂ、コネクタ７０６ｃの高さは、すべて異なるものであってもよい。例えばコネクタ７０６ａで例示すると、コネクタ７０６ａの高さは、コネクタ７０６ｂおよびコネクタ７０６ｃの両方のコネクタの高さよりも高く、コネクタ７０６ｂおよびコネクタ７０６ｃのうちの一方のコネクタの高さは、他方のコネクタの高さよりも高くてもよい。また、コネクタ７０６ａの高さは、コネクタ７０６ｂおよびコネクタ７０６ｃのうちの一方のコネクタの高さよりも高く、他方のコネクタの高さよりも低くてもよく、その逆であってもよい。コネクタ７０６ｂおよびコネクタ７０６ｃについても同様であるため、説明を省略する。
【０４６８】
本発明は、コネクタ７０６ａとコネクタ７０６ｂで適用するものであってもよく、コネクタ７０６ｂとコネクタ７０６ｃで適用するものであってもよく、コネクタ７０６ａとコネクタ７０６ｃで適用するものであってもよく、コネクタ７０６ａとコネクタ７０６ｂとコネクタ７０６ｃで適用するものであってもよい。
【０４６９】
＜＜第１８の実施例＞＞
図８１は、本発明に係るパチンコ機１００の第１８の実施例を示す図であって、本発明に係るコネクタの構成を示す斜視図である。
【０４７０】
図８２は、図８１に示したコネクタを示す図であって、（ａ）は右側面図であり、（ｂ）は正面図であり、（ｃ）は左側面図であり、（ｄ）は、（ｂ）のＡ−Ａ側面図であり、（ｅ）は、（ｂ）のＢ−Ｂ側面図である。
【０４７１】
本実施例のコネクタ７２０は、本発明に係るコネクタの一例を代表して記載するものであって、他の実施例におけるコネクタも同様の構造である場合がある。
【０４７２】
コネクタ７２０は、外枠７２０ａ内に複数の端子であるピン７２０ｂやピン７２０ｃやピン７２０ｃａを少なくとも有する場合がある。
【０４７３】
ピン７２０ｂは、外枠７２０ａ内の一方の片側に整列して配置され、ピン７２０ｃは、外枠７２０ａ内の他方の片側に整列して配置される。ピン７２０ｃが配列されている側においては、ピン７２０ｃの両外側にピン７２０ｃａを配置している。
【０４７４】
複数のピン７２０ｂの高さはすべて同じであり、複数のピン７２０ｃの高さはすべて同じであり、複数のピン７２０ｃａの高さはすべて同じであり、ピン７２０ｂとピン７２０ｃａの高さは同じであり、ピン７２０ｃは、ピン７２０ｂとピン７２０ｃａよりも低い場合がある。なお、ピン７２０ｃは、ピン７２０ｂとピン７２０ｃａよりも高くてもよい。なお、ピン７２０ｃと本ピン７２０ｂが同じ高さであり、ピン７２０ｃの高さは、ピン７２０ｃａよりも高くてもよく、その逆であってもよい。また、ピン７２０ｃ、ピン７２０ｂ、ピン７２０ｃａは、すべて異なる高さであってもよい。例えば、ピン７２０ｃの高さ＞ピン７２０ｂの高さ＞ピン７２０ｃａの高さであってもよく、そのほか、各ピンの高さの関係は、いかなる組み合わせであってもよい。
実施例では、両端に設けられたピンの高さが内側に設けられたピンの高さよりも高い。なお、その逆であってもよい。
【０４７５】
なお、同じ列のピンの高さは、異なる高さのものを含むものであってもよく、一部のピンの高さが同じものがあってもよく、すべてのピンの高さが異なるものであってもよい。また、異なる列のピンの長さは、すべて同一であってもよく、少なくとも一つ以上のピンが異なっていてもよく、
ピンの配置が複数の列をなす場合に、すべて図８２（ｄ）に示す配置（複数のピンのうちの一部のピンの高さが異なる）になっていてもよく、すべて図８２（ｅ）に示す配置（すべてのピンが同一の高さ）になっていてもよく、図８２（ｄ）に示す配置と図８２（ｅ）に示す配置の組み合わせ（一方は同じ高さのピンのみが配置されており、他方は異なる高さのピンが配置されている）になっていてもよい。
【０４７６】
＜＜第１９の実施例＞＞
図８３は、本発明に係るパチンコ機１００の第１９の実施例を示す図であって、パチンコ機１００の本体１０４に取り付けられるコネクタの例を示す図であり、（ａ）は本体１０４の正面を示す斜視図であり、（ｂ）は（ａ）のコネクタ部分（円Ａで囲んだ部分）を拡大して示す斜視図である。
【０４７７】
図８４（ａ）は、図８３に示したパチンコ機１００の正面図であり、図８４（ｂ）は図８４（ａ）のｃ−ｃ断面図であり、（ｃ）は図８４（ｂ）のコネクタ７０７ａ、７０７ｂ、７０７ｃの近傍を拡大して示す図である。
【０４７８】
本体１０４の表側（遊技者側）には、コネクタ７０７ａ、７０７ｂ、７０７ｃを設けている。
【０４７９】
コネクタ７０７ａ、７０７ｂおよび７０７ｃは、図７９等に示したコネクタ７０６ａ、７０６ｂおよび７０６ｃと異なり、基板に実装されているものではなく、取付部７２１にネジ止めされる。コネクタ７０７ａ、７０７ｂおよび７０７ｃは、例えば、電極と反対側に不図示のハーネスが延伸しており、このハーネスを介して、本体１０４に搭載している部品との電気的接続がされる。なお、コネクタ７０７ａ、７０７ｂおよび７０７ｃが基板に実装されていてもよく、コネクタ７０６ａ、７０６ｂおよび７０６ｃが基板に実装されず、例えば、電極と反対側に不図示のハーネスが延伸しており、このハーネスを介して、遊技盤２００に搭載している部品との電気的接続がされるようにしてもよい。また、本体に設けられたコネクタ（コネクタ７０７ａ、７０７ｂおよび７０７ｃなど）及び遊技盤に設けられたコネクタ（コネクタ７０６ａ、７０６ｂおよび７０６など）の両方が基板に実装されていてもよく、本体に設けられたコネクタ（コネクタ７０７ａ、７０７ｂおよび７０７ｃなど）及び遊技盤に設けられたコネクタ（コネクタ７０６ａ、７０６ｂおよび７０６など）の両方が基板に実装されていなくてもよい。
【０４８０】
この例では、図８４（ｂ）に示すように、コネクタ７０７ａ、コネクタ７０７ｂ、コネクタ７０７ｃそれぞれ自体の高さは同じ（図８４（ｃ）に示すコネクタ７０７ａの高さａ＝コネクタ７０７ｂの高さｂ＝コネクタ７０７ｃの高さｃ）であるが、ドロワベース（コネクタ接続面）７０７ｄにコネクタ自体が固定されており、これにより、コネクタ７０７ｂおよびコネクタ７０７ｃは、コネクタ７０７ａよりも高さＸ（Ｘ＝（Ａ−Ｂ）＝（Ａ−Ｃ））だけ高く配置されている。本実施例では、ドロワベースの裏面を基準に高さを定義したが、本体の裏面で最も後側に突出した面を基準に高さを定義してもよい。なお、コネクタ７０７ａ、コネクタ７０７ｂ、コネクタ７０７ｃの高さは、すべて異なるものであってもよい。例えばコネクタ７０７ａで例示すると、コネクタ７０７ａの高さは、コネクタ７０７ｂおよびコネクタ７０７ｃの両方のコネクタの高さよりも低く、コネクタ７０７ｂおよびコネクタ７０７ｃのうちの一方のコネクタの高さは、他方のコネクタの高さよりも低くてもよい。また、コネクタ７０７ａの高さは、コネクタ７０７ｂおよびコネクタ７０７ｃのうちの一方のコネクタの高さよりも低く、他方のコネクタの高さよりも高くてもよく、その逆であってもよい。コネクタ７０７ｂおよびコネクタ７０７ｃについても同様であるため、説明を省略する。
【０４８１】
また、図８４（ｂ）に示すように、本体１０４には、コネクタ７０７ａ、７０７ｂおよび７０７ｃの最も突出している部位のいずれよりも高い（遊技盤２００側に突出している）部品が搭載されている場合がある。このコネクタよりも高い部品としては、例えば、不図示の発射装置や、カバーや、球通路（例えば払出装置から上皿への通路）や、遊技盤固定部材などがある。
【０４８２】
なお、上記構造のコネクタ７０７ａ、コネクタ７０７ｂおよびコネクタ７０７ｃは遊技盤２００側に設けるコネクタであってもよい。
【０４８３】
図８５は、図８３に示したコネクタを取り外した状態を示す斜視図である。
【０４８４】
コネクタ７０７ａ、７０７ｂおよび７０７ｃのそれぞれは、貫通孔７２３を有し、ネジ７２２によって、取付部７２１のネジ穴７２４にネジ止めされる。
【０４８５】
図８６は、コネクタ７０７ａ、７０７ｂおよび７０７ｃの形状の一例をコネクタ７２５で示す図であり、（ａ）は斜視図であり、（ｂ）は正面図であり、（ｃ）は左側面図であり、（ｄ）は平面図である。
【０４８６】
このコネクタ７２５は、本発明に係るコネクタの一例を代表して記載するものであって、他の実施例におけるコネクタも同様の構造である場合がある。
【０４８７】
コネクタ７２５は、シダの葉上の支柱７２５ａを有し、支柱７２５ａの枝葉部分に電極７２５ｂおよび７２５ｃを配置して成る。
【０４８８】
＜＜第２０の実施例＞＞
図８７は、第２０の実施例として、図８６に示したコネクタがフローティングコネクタである場合の動作について説明する正面図であり、（ａ）はコネクタ７２５を示す図であり、（ｂ）はコネクタ７２５が取り付けられる孔７２４がネジ７２２よりも大きな円である場合の孔７２４を示す図であり、（ｃ）は（ｂ）の場合においてネジ７２２が孔７２４の中央にある場合の図であり、（ｄ）は（ｂ）の場合においてネジ７２２が孔７２４の左側にある場合の図であり、（ｅ）は（ｂ）の場合においてネジ７２２が孔７２４の右側にある場合の図であり、（ｆ）はコネクタ７２５が取り付けられる孔７２４がネジ７２２よりも大きな横長の楕円である場合の孔７２４を示す図であり、（ｇ）は（ｆ）の場合においてネジ７２２が孔７２４の中央にある場合の図であり、（ｈ）は（ｆ）の場合においてネジ７２２が孔７２４の左側にある場合の図であり、（ｉ）はコネクタ７２５が取り付けられる孔７２４がネジ７２２よりも大きな縦長の楕円である場合の孔７２４を示す図であり、（ｊ）は（ｉ）の場合においてネジ７２２が孔７２４の中央にある場合の図であり、（ｋ）は（ｉ）の場合においてネジ７２２が孔７２４の上側にある場合の図である。
【０４８９】
孔７２４がネジ７２２よりも大きい分、コネクタ７２５は上下左右に移動可能である。孔７２４が円（例えば真円）である場合には、移動可能幅は縦横ともに同じであり、孔７２４が楕円である場合には、楕円の長辺の向きに対する移動可能幅が、楕円の短辺の向きに対する移動可能幅よりも大きい。なお、孔の形状は、円や楕円以外の形状であってもよく、円以外の形状である場合、最も長い移動可能幅と最も短い移動可能幅は異なる場合がある。
【０４９０】
＜＜第２１の実施例＞＞
図８８は、第２１の実施例として、本発明に係るメス側のコネクタがフローティングコネクタである場合の動作について説明する図であり、（ａ）はコネクタ７３０が枠部材７３１の中央にある場合の側面図であり、（ｂ）は（ａ）の状態においてコネクタ７３０が枠部材７３１の中央にある場合の平面図であり、（ｃ）は（ａ）の状態においてコネクタ７３０が枠部材７３１の奥側にある場合の平面図であり、（ｄ）は（ａ）の状態においてコネクタ７３０が枠部材７３１の手前側にある場合の平面図であり、（ｅ）はコネクタ７３０が枠部材７３１の左側にある場合の側面図であり、（ｆ）は（ｅ）の状態においてコネクタ７３０が枠部材７３１の中央にある場合の平面図であり、（ｇ）は（ｅ）の状態においてコネクタ７３０が枠部材７３１の奥側にある場合の平面図であり、（ｈ）は（ｅ）の状態においてコネクタ７３０が枠部材７３１の手前側にある場合の平面図であり、（ｉ）はコネクタ７３０が枠部材７３１の右側にある場合の側面図であり、（ｊ）は（ｉ）の状態においてコネクタ７３０が枠部材７３１の中央にある場合の平面図であり、（ｋ）は（ｉ）の状態においてコネクタ７３０が枠部材７３１の奥側にある場合の平面図であり、（ｌ）は（ｉ）の状態においてコネクタ７３０が枠部材７３１の手前側にある場合の平面図である。
【０４９１】
枠部材７３１に嵌ったコネクタ７３０と枠部材７３１との間には、コネクタ７３０が移動可能なギャップを設けている。本実施例では、遊技者から（本体を正面から）見て横方向（本体を正面から見たとき）の移動可能幅が、遊技者から見て縦方向の移動可能幅よりも大きい。なお、逆であってもよく、同じであってもよい。
【０４９２】
＜＜第２２の実施例＞＞
図８９（ａ）、（ｂ）、（ｃ）、（ｄ）、図９０（ａ）、（ｂ）、（ｃ）は、第２２の実施例として、本発明に係るコネクタの配置の例について説明する図である。
【０４９３】
図８９（ａ）の例について説明する。
【０４９４】
図８９（ａ）の上側には平面図を示し、下側には側面図を示す。
【０４９５】
コネクタ７３７とコネクタ７３８の電極面積は同じであり、コネクタ７３７とコネクタ７３８の高さは同じである。つまり、コネクタ７３７とコネクタ７３８は同じコネクタである。
【０４９６】
コネクタ７３７とコネクタ７３８は基板７３６上に配置され、基板７３６はコネクタ接続部７３５上に配置される。コネクタ接続部７３５はテーパを有し、コネクタ７３７側が低くなっている。
【０４９７】
コネクタ接続部７３５は遊技盤２００の上部端側７４０と下部端側７３９との間に配置される。また、コネクタ接続部７３５の裏面の少なくとも一部は、遊技盤２００の裏面７４１の少なくとも一部と接触した状態で固定される。なお、コネクタ接続部７３５の裏面の少なくとも一部は、遊技盤２００の裏面７４１の全部と接触した状態で固定されてもよい。なお、コネクタ接続部７３５の裏面の全部は、遊技盤２００の裏面７４１の少なくとも一部と接触した状態で固定されてもよく、全部と接触した状態で固定されてもよく、一部のみと接触した状態で固定されてもよい。
【０４９８】
コネクタ接続部７３５の裏面と遊技盤２００の裏面７４１が接触する部位と、コネクタ７３７と基板７３６（あるいはコネクタ接続部７３５の表面）が接触する部位とが成す角度は第一の角度θ１であり、コネクタ接続部７３５の裏面と遊技盤２００の裏面７４１が接触する部位と、コネクタ７３８と基板７３６（あるいはコネクタ接続部７３５の表面）が接触する部位とが成す角度は第二の角度θ２である。この例ではθ１＝θ２であるが、θ１＜θ２であってもよく、θ１＞θ２であってもよい。
【０４９９】
コネクタ７３７とコネクタ７３８は、上部端側７４０と下部端側７３９との間に横並びで配置される。コネクタ７３７の図中の上部短辺は、上部端側７４０に対して平行な位置に少なくとも設けられている。また、コネクタ７３７の図中の下部短辺は、下部端側７３９に対して平行な位置に少なくとも設けられている。コネクタ７３８の図中の上部短辺は、上部端側７４０に対して平行な位置に少なくとも設けられている。また、コネクタ７３８の図中の下部短辺は、下部端側７３９に対して平行な位置に少なくとも設けられている。コネクタ７３７は、コネクタ７３８を上部端側７４０と平行に左方向へ移動したときに一致する位置に設けられており、コネクタ７３７の図中の上部短辺は、コネクタ７３８の図中の上部短辺と一直線上になるように設けられており、コネクタ７３７の長辺のいずれもは、コネクタ７３８の長辺のいずれとも一直線上にならないように設けられている。コネクタ７３７の図中の上部短辺は、コネクタ７３８の図中の上部短辺と下部端側７３９に対して平行な位置に少なくとも設けられている。
【０５００】
基板７３６あるいはコネクタ接続部７３５の図中の左端からコネクタ７３８までの距離をＡとし、
基板７３６あるいはコネクタ接続部７３５の図中の右端からコネクタ７３７までの距離をＢとし、
基板７３６あるいはコネクタ接続部７３５の図中の上端からコネクタ７３８までの距離をａとし、
基板７３６あるいはコネクタ接続部７３５の図中の上端からコネクタ７３７までの距離をａ’とし、
基板７３６あるいはコネクタ接続部７３５の図中の下端からコネクタ７３８までの距離をｂとし、
基板７３６あるいはコネクタ接続部７３５の図中の下端からコネクタ７３７までの距離をｂ’とし、
コネクタ７３８からコネクタ７３７までの距離をＣとしたとき、
この例ではａ＝ｂであるが、ａ＞ｂの場合もあり、ａ＜ｂの場合もあり、
この例ではａ’＝ｂ’であるが、ａ’＞ｂ’の場合もあり、ａ’＜ｂ’の場合もあり、
この例ではＡ＝Ｂであるが、Ａ＞Ｂの場合もあり、Ａ＜Ｂの場合もあり、
この例ではＡ＝Ｂ＞Ｃであるが、Ａ＝Ｂ＜Ｃの場合もあり、Ａ＝Ｂ＝Ｃの場合もある。
【０５０１】
この例ではａ＝ａ’であるが、ａ＞ａ’の場合もあり、ａ＜ａ’の場合もある。
【０５０２】
この例ではｂ＝ｂ’であるが、ｂ＞ｂ’の場合もあり、ｂ＜ｂ’の場合もある。
【０５０３】
図８９（ｂ）の例について説明する。
【０５０４】
図８９（ｂ）の上側には平面図を示し、下側には側面図を示す。
【０５０５】
コネクタ７３７とコネクタ７３８の電極面積は同じであり、コネクタ７３７とコネクタ７３８の高さは同じである。つまり、コネクタ７３７とコネクタ７３８は同じコネクタである。
【０５０６】
コネクタ７３７とコネクタ７３８は基板７３６上に配置され、基板７３６はコネクタ接続部７３５上に配置される。コネクタ接続部７３５はテーパを有する。コネクタ７３７はコネクタ７３８よりもテーパの低い側に配置される。
【０５０７】
コネクタ接続部７３５は遊技盤２００の上部端側７４０と下部端側７３９との間に配置される。また、コネクタ接続部７３５の裏面の少なくとも一部は、遊技盤２００の裏面７４１の少なくとも一部と接触した状態で固定される。なお、コネクタ接続部７３５の裏面の少なくとも一部は、遊技盤２００の裏面７４１の全部と接触した状態で固定されてもよい。なお、コネクタ接続部７３５の裏面の全部は、遊技盤２００の裏面７４１の少なくとも一部と接触した状態で固定されてもよく、全部と接触した状態で固定されてもよく、一部のみと接触した状態で固定されてもよい。
【０５０８】
コネクタ接続部７３５の裏面と遊技盤２００の裏面７４１が接触する部位と、コネクタ７３７と基板７３６（あるいはコネクタ接続部７３５の表面）が接触する部位とが成す角度は第一の角度θ１であり、コネクタ接続部７３５の裏面と遊技盤２００の裏面７４１が接触する部位と、コネクタ７３８と基板７３６（あるいはコネクタ接続部７３５の表面）が接触する部位とが成す角度は第二の角度θ２である。この例ではθ１＝θ２であるが、θ１＜θ２であってもよく、θ１＞θ２であってもよい。
【０５０９】
コネクタ７３７とコネクタ７３８は、上部端側７４０と下部端側７３９との間に縦並びで配置される。コネクタ７３７の図中の上部長辺は、上部端側７４０に対して平行な位置に少なくとも設けられている。また、コネクタ７３７の図中の下部長辺は、下部端側７３９に対して平行な位置に少なくとも設けられている。コネクタ７３８の図中の上部長辺は、上部端側７４０に対して平行な位置に少なくとも設けられている。また、コネクタ７３８の図中の下部長辺は、下部端側７３９に対して平行な位置に少なくとも設けられている。コネクタ７３７は、コネクタ７３８を上部端側７４０と垂直に上方向へ移動したときに一致しない位置に設けられており、コネクタ７３７の短辺のいずれもは、コネクタ７３８の短辺のいずれとも一直線上にならないように設けられており、コネクタ７３７の長辺のいずれもは、コネクタ７３８の長辺のいずれとも一直線上にならないように設けられている。コネクタ７３７の図中の上部長辺は、コネクタ７３８の図中の上部長辺と下部端側７３９に対して平行な位置に少なくとも設けられている。
【０５１０】
基板７３６あるいはコネクタ接続部７３５の図中の左端からコネクタ７３８までの距離をＡとし、
基板７３６あるいはコネクタ接続部７３５の図中の左端からコネクタ７３７までの距離をＡ’とし、
基板７３６あるいはコネクタ接続部７３５の図中の右端からコネクタ７３８までの距離をＢとし、
基板７３６あるいはコネクタ接続部７３５の図中の右端からコネクタ７３７までの距離をＢ’とし、
基板７３６あるいはコネクタ接続部７３５の図中の上端からコネクタ７３７までの距離をａとし、
基板７３６あるいはコネクタ接続部７３５の図中の下端からコネクタ７３８までの距離をｂとし、
コネクタ７３８からコネクタ７３７までの距離をｃとしたとき、
この例ではａ＝ｂであるが、ａ＞ｂの場合もあり、ａ＜ｂの場合もあり、
この例ではａ＝ｂ＞ｃであるが、ａ＝ｂ＜ｃの場合もあり、ａ＝ｂ＝ｃの場合もあり、
この例ではＡ＜Ｂであるが、Ａ＞Ｂの場合もあり、Ａ＝Ｂの場合もあり、
この例ではＡ’＞Ｂ’であるが、Ａ’＜Ｂ’の場合もあり、Ａ’＝Ｂ’の場合もある。
【０５１１】
この例ではＡ＜Ａ’であるが、Ａ＞Ａ’の場合もあり、Ａ＝Ａ’の場合もある。
【０５１２】
この例ではＢ＞Ｂ’であるが、Ｂ＜Ｂ’の場合もあり、Ｂ＝Ｂ’の場合もある。
【０５１３】
図８９（ｃ）の例について説明する。
【０５１４】
図８９（ｃ）の上側には平面図を示し、下側には側面図を示す。
【０５１５】
コネクタ７３７とコネクタ７３８の電極面積は同じであり、コネクタ７３７とコネクタ７３８の高さは同じである。つまり、コネクタ７３７とコネクタ７３８は同じコネクタである。
【０５１６】
コネクタ７３７とコネクタ７３８は基板７３６上に配置され、基板７３６はコネクタ接続部７３５上に配置される。コネクタ接続部７３５はテーパを有する。コネクタ７３７はコネクタ７３８よりもテーパの低い側に配置される。
【０５１７】
コネクタ接続部７３５は遊技盤２００の上部端側７４０と下部端側７３９との間に配置される。また、コネクタ接続部７３５の裏面の少なくとも一部は、遊技盤２００の裏面７４１の少なくとも一部と接触した状態で固定される。なお、コネクタ接続部７３５の裏面の少なくとも一部は、遊技盤２００の裏面７４１の全部と接触した状態で固定されてもよい。なお、コネクタ接続部７３５の裏面の全部は、遊技盤２００の裏面７４１の少なくとも一部と接触した状態で固定されてもよく、全部と接触した状態で固定されてもよく、一部のみと接触した状態で固定されてもよい。
【０５１８】
コネクタ接続部７３５の裏面と遊技盤２００の裏面７４１が接触する部位と、コネクタ７３７と基板７３６（あるいはコネクタ接続部７３５の表面）が接触する部位とが成す角度は第一の角度θ１であり、コネクタ接続部７３５の裏面と遊技盤２００の裏面７４１が接触する部位と、コネクタ７３８と基板７３６（あるいはコネクタ接続部７３５の表面）が接触する部位とが成す角度は第二の角度θ２である。この例ではθ１＝θ２であるが、θ１＜θ２であってもよく、θ１＞θ２であってもよい。
【０５１９】
コネクタ７３７とコネクタ７３８は、上部端側７４０と下部端側７３９との間に横並びで配置される。
【０５２０】
コネクタ７３７はコネクタ７３８よりも上部端側７４０に近い側に配置される。コネクタ７３７の図中の上部短辺は、上部端側７４０に対して平行な位置に少なくとも設けられている。また、コネクタ７３７の図中の下部短辺は、下部端側７３９に対して平行な位置に少なくとも設けられている。コネクタ７３８の図中の上部短辺は、上部端側７４０に対して平行な位置に少なくとも設けられている。また、コネクタ７３８の図中の下部短辺は、下部端側７３９に対して平行な位置に少なくとも設けられている。コネクタ７３７は、コネクタ７３８を上部端側７４０と水平に左方向へ移動したときに一致しない位置に設けられており、コネクタ７３７の短辺のいずれもは、コネクタ７３８の短辺のいずれとも一直線上にならないように設けられており、コネクタ７３７の長辺のいずれもは、コネクタ７３８の長辺のいずれとも一直線上にならないように設けられている。コネクタ７３７の図中の上部短辺は、コネクタ７３８の図中の上部短辺と下部端側７３９に対して平行な位置に少なくとも設けられている。
【０５２１】
基板７３６あるいはコネクタ接続部７３５の図中の左端からコネクタ７３８までの距離をＡとし、
基板７３６あるいはコネクタ接続部７３５の図中の右端からコネクタ７３７までの距離をＢとし、
基板７３６あるいはコネクタ接続部７３５の図中の上端からコネクタ７３８までの距離をａとし、
基板７３６あるいはコネクタ接続部７３５の図中の上端からコネクタ７３７までの距離をａ’とし、
基板７３６あるいはコネクタ接続部７３５の図中の下端からコネクタ７３８までの距離をｂとし、
基板７３６あるいはコネクタ接続部７３５の図中の下端からコネクタ７３７までの距離をｂ’とし、
コネクタ７３８からコネクタ７３７までの距離をＣとしたとき、
この例ではａ＝ｂであるが、ａ＞ｂの場合もあり、ａ＜ｂの場合もあり、
この例ではａ’＜ｂ’であるが、ａ’＞ｂ’の場合もあり、ａ’＝ｂ’の場合もあり、
この例ではＡ＝Ｂであるが、Ａ＞Ｂの場合もあり、Ａ＜Ｂの場合もあり、
この例ではＡ＝Ｂ＞Ｃであるが、Ａ＝Ｂ＜Ｃの場合もあり、Ａ＝Ｂ＝Ｃの場合もある。
【０５２２】
この例ではａ＞ａ’であるが、ａ＜ａ’の場合もあり、ａ＝ａ’の場合もある。
【０５２３】
この例ではｂ＜ｂ’であるが、ｂ＞ｂ’の場合もあり、ｂ＝ｂ’の場合もある。
【０５２４】
図８９（ｄ）の例について説明する。
【０５２５】
図８９（ｄ）の上側には平面図を示し、下側には側面図を示す。
【０５２６】
コネクタ７３７とコネクタ７３８の電極面積は同じであり、コネクタ７３７とコネクタ７３８の高さは同じである。つまり、コネクタ７３７とコネクタ７３８は同じコネクタである。
【０５２７】
コネクタ７３７とコネクタ７３８は基板７３６上に配置され、基板７３６はコネクタ接続部７３５上に配置される。コネクタ接続部７３５はテーパを有する。コネクタ７３７とコネクタ７３８はテーパの同じ位置に配置される。
【０５２８】
コネクタ接続部７３５は遊技盤２００の上部端側７４０と下部端側７３９との間に配置される。また、コネクタ接続部７３５の裏面の少なくとも一部は、遊技盤２００の裏面７４１の少なくとも一部と接触した状態で固定される。なお、コネクタ接続部７３５の裏面の少なくとも一部は、遊技盤２００の裏面７４１の全部と接触した状態で固定されてもよい。なお、コネクタ接続部７３５の裏面の全部は、遊技盤２００の裏面７４１の少なくとも一部と接触した状態で固定されてもよく、全部と接触した状態で固定されてもよく、一部のみと接触した状態で固定されてもよい。
【０５２９】
コネクタ接続部７３５の裏面と遊技盤２００の裏面７４１が接触する部位と、コネクタ７３７と基板７３６（あるいはコネクタ接続部７３５の表面）が接触する部位とが成す角度は第一の角度θ１であり、コネクタ接続部７３５の裏面と遊技盤２００の裏面７４１が接触する部位と、コネクタ７３８と基板７３６（あるいはコネクタ接続部７３５の表面）が接触する部位とが成す角度は第二の角度θ２である。この例ではθ１＝θ２であるが、、θ１＜θ２であってもよく、θ１＞θ２であってもよい。
【０５３０】
コネクタ７３７とコネクタ７３８は、上部端側７４０と下部端側７３９との間に縦並びで配置される。コネクタ７３７の図中の上部長辺は、上部端側７４０に対して平行な位置に少なくとも設けられている。また、コネクタ７３７の図中の下部長辺は、下部端側７３９に対して平行な位置に少なくとも設けられている。コネクタ７３８の図中の上部長辺は、上部端側７４０に対して平行な位置に少なくとも設けられている。また、コネクタ７３８の図中の下部長辺は、下部端側７３９に対して平行な位置に少なくとも設けられている。コネクタ７３７は、コネクタ７３８を上部端側７４０と垂直に上方向へ移動したときに一致する位置に設けられており、コネクタ７３７の短辺は、コネクタ７３８の短辺のいずれかと一直線上になるように設けられており、コネクタ７３７の長辺のいずれもは、コネクタ７３８の長辺のいずれとも一直線上にならないように設けられている。コネクタ７３７の図中の上部長辺は、コネクタ７３８の図中の上部長辺と下部端側７３９に対して平行な位置に少なくとも設けられている。
【０５３１】
コネクタ７３７およびコネクタ７３８は、テーパの中央よりも高い位置に配置される。
【０５３２】
基板７３６あるいはコネクタ接続部７３５の図中の左端からコネクタ７３８までの距離をＡとし、
基板７３６あるいはコネクタ接続部７３５の図中の左端からコネクタ７３７までの距離をＡ’とし、
基板７３６あるいはコネクタ接続部７３５の図中の右端からコネクタ７３８までの距離をＢとし、
基板７３６あるいはコネクタ接続部７３５の図中の右端からコネクタ７３７までの距離をＢ’とし、
基板７３６あるいはコネクタ接続部７３５の図中の上端からコネクタ７３７までの距離をａとし、
基板７３６あるいはコネクタ接続部７３５の図中の下端からコネクタ７３８までの距離をｂとし、
コネクタ７３８からコネクタ７３７までの距離をｃとしたとき、
この例ではａ＝ｂであるが、ａ＞ｂの場合もあり、ａ＜ｂの場合もあり、
この例ではａ＝ｂ＞ｃであるが、ａ＝ｂ＜ｃの場合もあり、ａ＝ｂ＝ｃの場合もあり、
この例ではＡ＜Ｂであるが、Ａ＞Ｂの場合もあり、Ａ＝Ｂの場合もあり、
この例ではＡ’＜Ｂ’であるが、Ａ’＞Ｂ’の場合もあり、Ａ’＝Ｂ’の場合もある。
【０５３３】
この例ではＡ＝Ａ’であるが、Ａ＞Ａ’の場合もあり、Ａ＜Ａ’の場合もある。
【０５３４】
この例ではＢ＝Ｂ’であるが、Ｂ＜Ｂ’の場合もあり、Ｂ＞Ｂ’の場合もある。
【０５３５】
図９０（ａ）の例について説明する。
【０５３６】
図９０（ａ）の上側には平面図を示し、下側には側面図を示す。
【０５３７】
コネクタ７３７とコネクタ７３８の電極面積は同じであり、コネクタ７３７とコネクタ７３８の高さは同じである。つまり、コネクタ７３７とコネクタ７３８は同じコネクタである。
【０５３８】
コネクタ７３７とコネクタ７３８は基板７３６上に配置され、基板７３６はコネクタ接続部７３５上に配置される。コネクタ接続部７３５はテーパを有する。コネクタ７３７はコネクタ７３８よりもテーパの低い側に配置される。
【０５３９】
コネクタ接続部７３５は遊技盤２００の上部端側７４０と下部端側７３９との間に配置される。また、コネクタ接続部７３５の裏面の少なくとも一部は、遊技盤２００の裏面７４１の少なくとも一部と接触した状態で固定される。なお、コネクタ接続部７３５の裏面の少なくとも一部は、遊技盤２００の裏面７４１の全部と接触した状態で固定されてもよい。なお、コネクタ接続部７３５の裏面の全部は、遊技盤２００の裏面７４１の少なくとも一部と接触した状態で固定されてもよく、全部と接触した状態で固定されてもよく、一部のみと接触した状態で固定されてもよい。
【０５４０】
コネクタ接続部７３５の裏面と遊技盤２００の裏面７４１が接触する部位と、コネクタ７３７と基板７３６（あるいはコネクタ接続部７３５の表面）が接触する部位とが成す角度は第一の角度θ１であり、コネクタ接続部７３５の裏面と遊技盤２００の裏面７４１が接触する部位と、コネクタ７３８と基板７３６（あるいはコネクタ接続部７３５の表面）が接触する部位とが成す角度は第二の角度θ２である。この例ではθ１＝θ２であるが、θ１＜θ２であってもよく、θ１＞θ２であってもよい。
【０５４１】
コネクタ７３７とコネクタ７３８は、上部端側７４０と下部端側７３９との間に横並びで配置される。なお、縦並びで配置されてもよい。コネクタ７３７の図中の上部長辺は、上部端側７４０に対して平行な位置に少なくとも設けられている。また、コネクタ７３７の図中の下部長辺は、下部端側７３９に対して平行な位置に少なくとも設けられている。コネクタ７３８の図中の上部短辺は、上部端側７４０に対して平行な位置に少なくとも設けられている。また、コネクタ７３８の図中の下部短辺は、下部端側７３９に対して平行な位置に少なくとも設けられている。コネクタ７３７は、コネクタ７３８を上部端側７４０と水平に左方向へ移動したときに一致しない位置に設けられており、コネクタ７３７の短辺のいずれもは、コネクタ７３８の長辺または短辺のいずれとも一直線上にならないように設けられており、コネクタ７３７の長辺のいずれもは、コネクタ７３８の長辺または短辺のいずれとも一直線上にならないように設けられている。コネクタ７３７の図中の上部長辺は、コネクタ７３８の図中の上部短辺と下部端側７３９に対して平行な位置に少なくとも設けられている。
【０５４２】
コネクタ７３７とコネクタ７３８は、互いの長辺の向きが一致しない角度で配置される。
【０５４３】
基板７３６あるいはコネクタ接続部７３５の図中の左端からコネクタ７３８までの距離をＡとし、
基板７３６あるいはコネクタ接続部７３５の図中の右端からコネクタ７３７までの距離をＢとし、
基板７３６あるいはコネクタ接続部７３５の図中の上端からコネクタ７３８までの距離をａとし、
基板７３６あるいはコネクタ接続部７３５の図中の上端からコネクタ７３７までの距離をａ’とし、
基板７３６あるいはコネクタ接続部７３５の図中の下端からコネクタ７３８までの距離をｂとし、
基板７３６あるいはコネクタ接続部７３５の図中の下端からコネクタ７３７までの距離をｂ’とし、
コネクタ７３８からコネクタ７３７までの距離をＣとしたとき、
この例ではａ＝ｂであるが、ａ＞ｂの場合もあり、ａ＜ｂの場合もあり、
この例ではａ’＝ｂ’であるが、ａ’＞ｂ’の場合もあり、ａ’＜ｂ’の場合もあり、
この例ではＡ＞Ｂであるが、Ａ＝Ｂの場合もあり、Ａ＜Ｂの場合もあり、
この例ではＡ＞Ｂ＝Ｃであるが、Ａ＞Ｂ＞Ｃの場合もあり、Ａ＞Ｃ＞Ｂの場合もあり、Ａ＝Ｃ＞Ｂの場合もあり、Ｃ＞Ａ＞Ｂの場合もある。
【０５４４】
この例ではａ＜ａ’であるが、ａ＞ａ’の場合もあり、ａ＝ａ’の場合もある。
【０５４５】
この例ではｂ＜ｂ’であるが、ｂ＞ｂ’の場合もあり、ｂ＝ｂ’の場合もある。
【０５４６】
図９０（ｂ）の例について説明する。
【０５４７】
図９０（ｂ）の上側には平面図を示し、下側には側面図を示す。
【０５４８】
コネクタ７３７とコネクタ７３８の高さは同じである。コネクタ７３７とコネクタ７３８の電極面積は異なり、互いの短辺の長さは同じであるが、長辺はコネクタ７３７の方が長い。なお、長辺の長いコネクタと短いコネクタは逆であってもよい。
【０５４９】
コネクタ７３７とコネクタ７３８は基板７３６上に配置され、基板７３６はコネクタ接続部７３５上に配置される。コネクタ接続部７３５はテーパを有する。コネクタ７３７とコネクタ７３８はテーパの高い側では同じ位置に配置されるが、コネクタ７３７の長辺が長い分、テーパの低い側ではコネクタ７３７の方がより低い位置に配置される。
【０５５０】
コネクタ接続部７３５は遊技盤２００の上部端側７４０と下部端側７３９との間に配置される。また、コネクタ接続部７３５の裏面の少なくとも一部は、遊技盤２００の裏面７４１の少なくとも一部と接触した状態で固定される。なお、コネクタ接続部７３５の裏面の少なくとも一部は、遊技盤２００の裏面７４１の全部と接触した状態で固定されてもよい。なお、コネクタ接続部７３５の裏面の全部は、遊技盤２００の裏面７４１の少なくとも一部と接触した状態で固定されてもよく、全部と接触した状態で固定されてもよく、一部のみと接触した状態で固定されてもよい。
【０５５１】
コネクタ接続部７３５の裏面と遊技盤２００の裏面７４１が接触する部位と、コネクタ７３７と基板７３６（あるいはコネクタ接続部７３５の表面）が接触する部位とが成す角度は第一の角度θ１であり、コネクタ接続部７３５の裏面と遊技盤２００の裏面７４１が接触する部位と、コネクタ７３８と基板７３６（あるいはコネクタ接続部７３５の表面）が接触する部位とが成す角度は第二の角度θ２である。この例ではθ１＝θ２であるが、θ１＜θ２であってもよく、θ１＞θ２であってもよい。
【０５５２】
コネクタ７３７とコネクタ７３８は、上部端側７４０と下部端側７３９との間に縦並びで配置される。なお、横並びで配置されてもよい。コネクタ７３７の図中の上部長辺は、上部端側７４０に対して平行な位置に少なくとも設けられている。また、コネクタ７３７の図中の下部長辺は、下部端側７３９に対して平行な位置に少なくとも設けられている。コネクタ７３８の図中の上部長辺は、上部端側７４０に対して平行な位置に少なくとも設けられている。また、コネクタ７３８の図中の下部長辺は、下部端側７３９に対して平行な位置に少なくとも設けられている。コネクタ７３７は、コネクタ７３８を上部端側７４０と垂直に上方向へ移動したときに図中の左側短辺同士が一致する位置に設けられており、コネクタ７３７の図中の左側短辺は、コネクタ７３８の図中の左側短辺と一直線上になるように設けられており、コネクタ７３７の図中の右側短辺は、コネクタ７３８の短辺のいずれとも一直線上にならないように設けられており、コネクタ７３７の長辺のいずれもは、コネクタ７３８の長辺のいずれとも一直線上にならないように設けられている。コネクタ７３７の図中の上部長辺は、コネクタ７３８の図中の上部長辺と下部端側７３９に対して平行な位置に少なくとも設けられている。
【０５５３】
なお、コネクタ７３７とコネクタ７３８の電極面積は異なり、互いの長辺の長さは同じであり、短辺はコネクタ７３７の方が長くてもよい。また、短辺の長いコネクタと短いコネクタは逆であってもよい。なお、コネクタ７３７とコネクタ７３８の電極面積は異なり、長辺の長さおよび短辺の長さは、コネクタ７３７の方が長くてもよい。また、長辺の長さおよび短辺の長さは、コネクタ７３８の方が長くてもよい。なお、コネクタ７３７とコネクタ７３８の電極面積は異なり、長辺の長さはコネクタ７３７の方が長く、短辺の長さは、コネクタ７３８の方が長くてもよい。逆であってもよい。
【０５５４】
基板７３６あるいはコネクタ接続部７３５の図中の左端からコネクタ７３８までの距離をＡとし、
基板７３６あるいはコネクタ接続部７３５の図中の左端からコネクタ７３７までの距離をＡ’とし、
基板７３６あるいはコネクタ接続部７３５の図中の右端からコネクタ７３８までの距離をＢとし、
基板７３６あるいはコネクタ接続部７３５の図中の右端からコネクタ７３７までの距離をＢ’とし、
基板７３６あるいはコネクタ接続部７３５の図中の上端からコネクタ７３７までの距離をａとし、
基板７３６あるいはコネクタ接続部７３５の図中の下端からコネクタ７３８までの距離をｂとし、
コネクタ７３８からコネクタ７３７までの距離をｃとしたとき、
この例ではａ＞ｂであるが、ａ＜ｂの場合もあり、ａ＝ｂの場合もあり、
この例ではａ＞ｂ＞ｃであるが、ａ＞ｂ＝ｃの場合もあり、ａ＞ｃ＞ｂの場合もあり、ａ＝ｃ＞ｂの場合もあり、ｃ＞ａ＞ｂの場合もあり、
この例ではＡ＜Ｂであるが、Ａ＞Ｂの場合もあり、Ａ＝Ｂの場合もあり、
この例ではＡ’＞Ｂ’であるが、Ａ’＜Ｂ’の場合もあり、Ａ’＝Ｂ’の場合もある。
【０５５５】
この例ではＡ＝Ａ’であるが、Ａ＜Ａ’の場合もあり、Ａ＞Ａ’の場合もある。
【０５５６】
この例ではＢ＞Ｂ’であるが、Ｂ＜Ｂ’の場合もあり、Ｂ＝Ｂ’の場合もある。
【０５５７】
図９０（ｃ）の例について説明する。
【０５５８】
図９０（ｃ）の上側には側面図を示し、下側には底面図を示す。
【０５５９】
コネクタ７４７とコネクタ７４８の高さは同じである。コネクタ７４７とコネクタ７４８の電極面積は同じである。つまり、コネクタ７４７とコネクタ７４８は同じコネクタである。
【０５６０】
コネクタ７４７とコネクタ７４８は基板７４６上に配置され、基板７４６はコネクタ接続部７４５上に配置される。コネクタ接続部７４５はテーパを有する。コネクタ７４８はコネクタ７４７よりもテーパの低い側に配置される。
【０５６１】
コネクタ接続部７４５は遊技盤２００の上部端側７５０と下部端側７４９との間に配置される。また、コネクタ接続部７４５の裏面の少なくとも一部は、遊技盤２００の裏面７５１の少なくとも一部と接触した状態で固定される。なお、コネクタ接続部７４５の裏面の少なくとも一部は、遊技盤２００の裏面７５１の全部と接触した状態で固定されてもよい。なお、コネクタ接続部７４５の裏面の全部は、遊技盤２００の裏面７５１の少なくとも一部と接触した状態で固定されてもよく、全部と接触した状態で固定されてもよく、一部のみと接触した状態で固定されてもよい。
【０５６２】
コネクタ接続部７４５の裏面と遊技盤２００の裏面７４１が接触する部位と、コネクタ７４７と基板７４６（あるいはコネクタ接続部７４５の表面）が接触する部位とが成す角度は第一の角度θ１であり、コネクタ接続部７４５の裏面と遊技盤２００の裏面７４１が接触する部位と、コネクタ７４８と基板７４６（あるいはコネクタ接続部７４５の表面）が接触する部位とが成す角度は第二の角度θ２である。θ１＝θ２の場合があり、θ１＜θ２の場合があり、θ１＞θ２の場合がある。
【０５６３】
コネクタ７４７とコネクタ７４８は、上部端側７５０と下部端側７４９との間に縦並びで配置される。なお、横並びで配置されてもよい。コネクタ７４７の図中の上部長辺は、上部端側７４０に対して平行な位置に少なくとも設けられている。また、コネクタ７４７の図中の下部長辺は、下部端側７４９に対して平行な位置に少なくとも設けられている。コネクタ７４８の図中の上部長辺は、上部端側７４０に対して平行な位置に少なくとも設けられている。また、コネクタ７４８の図中の下部長辺は、下部端側７４９に対して平行な位置に少なくとも設けられている。コネクタ７４７は、コネクタ７４８を上部端側７４０と垂直に上方向へ移動したときに一致しない位置に設けられており、コネクタ７４７の短辺のいずれもは、コネクタ７４８の短辺のいずれとも一直線上にならないように設けられており、コネクタ７４７の長辺のいずれもは、コネクタ７４８の長辺のいずれとも一直線上にならないように設けられている。コネクタ７４７の図中の上部長辺は、コネクタ７４８の図中の上部長辺と下部端側７４９に対して平行な位置に少なくとも設けられている。
【０５６４】
基板７４６あるいはコネクタ接続部７４５の図中の左端からコネクタ７４８までの距離をＡとし、
基板７４６あるいはコネクタ接続部７４５の図中の左端からコネクタ７４７までの距離をＡ’とし、
基板７４６あるいはコネクタ接続部７４５の図中の右端からコネクタ７４８までの距離をＢとし、
基板７４６あるいはコネクタ接続部７４５の図中の右端からコネクタ７４７までの距離をＢ’とし、
基板７４６あるいはコネクタ接続部７４５の図中の上端からコネクタ７４７までの距離をａとし、
基板７４６あるいはコネクタ接続部７４５の図中の下端からコネクタ７４８までの距離をｂとし、
コネクタ７４８からコネクタ７４７までの距離をｃとしたとき、
この例ではａ＞ｂであるが、ａ＜ｂの場合もあり、ａ＝ｂの場合もあり、
この例ではａ＞ｂ＞ｃであるが、ａ＞ｂ＝ｃの場合もあり、ａ＞ｃ＞ｂの場合もあり、ａ＝ｃ＞ｂの場合もあり、ｃ＞ａ＞ｂの場合もあり、
この例ではＡ＞Ｂであるが、Ａ＜Ｂの場合もあり、Ａ＝Ｂの場合もあり、
この例ではＡ’＜Ｂ’であるが、Ａ’＞Ｂ’の場合もあり、Ａ’＝Ｂ’の場合もある。
【０５６５】
この例ではＡ＞Ａ’であるが、Ａ＜Ａ’の場合もあり、Ａ＝Ａ’の場合もある。
【０５６６】
この例ではＢ＜Ｂ’であるが、Ｂ＞Ｂ’の場合もあり、Ｂ＝Ｂ’の場合もある。
【０５６７】
本実施例では、図８９（ａ）、（ｂ）、（ｃ）、（ｄ）、図９０（ａ）、（ｂ）係る各コネクタは、メス側のコネクタであり、（ｃ）に係る各コネクタは、オス側であったが、逆であってもよい。また、本実施例では、同じコネクタ接続部にオス側のコネクタのみ、または、メス側のコネクタのみが設けられているが、メス側のコネクタとオス側のコネクタの両方が同じコネクタ接続部に設けられるようにしてもよい。
【０５６８】
上記の図８９（ａ）、（ｂ）、（ｃ）、（ｄ）、図９０（ａ）、（ｂ）、（ｃ）に係る各コネクタは、それぞれ異なる基板に設けられるものでもよいし、基板に設けられないものでもよい。
【０５６９】
上記の図８９（ａ）、（ｂ）、（ｃ）、（ｄ）、図９０（ａ）、（ｂ）、（ｃ）に係る各コネクタは、さらに多くの数（３個以上）のコネクタを設けてもよい。コネクタの配置については、図８９（ａ）、（ｂ）、（ｃ）、（ｄ）、図９０（ａ）、（ｂ）、（ｃ）および本実施例の組み合わせであってもよい。
【０５７０】
上記の図８９（ａ）、（ｂ）、（ｃ）、（ｄ）、図９０（ａ）、（ｂ）、（ｃ）に係る各コネクタは、フローティングコネクタでもよいし、フローティングではないコネクタでもよい。
【０５７１】
＜＜第２３の実施例＞＞
ここで、第２３の実施例として、第一の高さや、第二の高さについて、図面を参照して説明する。
【０５７２】
図９１は、コネクタ８１０が実装された基板８１１が、コネクタ取り付け手段であるコネクタ接続部８１２ａを介して本体１０４または遊技盤２００などの部品に接して取り付けられている場合であって、コネクタ８１０が対向するコネクタと接触する接触部の面が、コネクタ接続部８１２ａの段差面よりも、対向するコネクタに近い場合を説明する概略側面図である。
【０５７３】
図９２は、コネクタ８１０が実装された基板８１１が、コネクタ取り付け手段であるコネクタ接続部８１２ａを介して本体１０４または遊技盤２００などの部品に接して取り付けられている場合であって、コネクタ８１０が対向するコネクタと接触する接触部の面が、コネクタ接続部８１２ａの段差面よりも、対向するコネクタから遠い場合を説明する概略側面図である。
【０５７４】
なお、コネクタ接続部８１２ａは、コネクタ取り付け手段であるコネクタ接続部のほかに、本体１０４または遊技盤２００などの部品も含むものである場合がある。
【０５７５】
図９１および図９２において、面Ｃ〜Ｊについては、例えば、
本体１０４に設けたコネクタ７０７ａ、７０７ｂ、７０７ｃに対しては、本体１０４の各面（例えば、表面、裏面）や、図８４（ｂ）、（ｃ）に示したドロワベース７０７ｄの各面（例えば、表面、裏面）や、本体１０４に設けた基板ケース（例えば、電源基板ケース、払出基板ケース、発射基板ケース）の各面（例えば、表面、裏面）や、本体１０４に設けた基板ケースを覆う裏カバーの各面（例えば、表面、裏面）である場合があり、
遊技盤２００に設けたコネクタ７０６ａ、７０６ｂ、７０６ｃに対しては、遊技盤２００の各面（例えば、表面（例えば、遊技領域１２４）、裏面）や、図７９に示した基板７０４の各面（例えば、表面、裏面）や、基板７０５の各面（例えば、表面、裏面）や、ドロワベース７０８の各面（例えば、表面、裏面）や、図７６、図７７に示した遊技盤２００に設けた部品（例えば、遊技板７０９、裏通路ユニット７１６、主基板ユニットベース７１５、主基板ケース１５８、裏カバー７１４、演出手段７１２、演出手段７１３、第２副基板ケース１６６）の各面（例えば、表面、裏面）である場合がある。
【０５７６】
図９１および９２において、
接続部Ａは、コネクタ８１０における、対向するコネクタと接触する接触部の面であり、
実装面Ｂは、基板８１１における、コネクタ８１０が実装された面であり、
実装面の裏面Ｃは、基板８１１における、コネクタ８１０が実装された面の裏面であり、
基板が固定されている面Ｃ’は、コネクタ接続部８１２ａにおける、基板８１１が固定されている面であり、
第一の面Ｄは、実装面の裏面Ｃとの段差がつけられた面であって、実装面の裏面Ｃから最も近い面であり、
第一の面Ｃと第二の面Ｆ以外の所定の面Ｅは、コネクタ８１０を中心にした左右両側のうち面Ｄおよび面Ｆと同じ側にあって、面Ｄと面Ｆとの間の高さの所定の面であり、
第二の面Ｆは、コネクタ８１０を中心にした左右両側のうち面Ｄおよび面Ｆと同じ側にあって、実装面の裏面Ｃから最も遠い面であり、
第三の面Ｇは、実装面の裏面Ｃとの段差がつけられた面であって、コネクタ８１０を中心にした左右両側のうち面Ｄと異なる側において、実装面の裏面Ｃから最も近い面であり、
また、この第三の面Ｇは、実装面の裏面Ｃとの段差がつけられた面であって、コネクタ８１０を中心にした左右両側のうち第四の面Ｉと同じ側において、面Ｉから最も遠い面であり、
第三の面Ｇと第四の面Ｉ以外の所定の面Ｈは、コネクタ８１０を中心にした左右両側のうち面Ｇおよび面Ｉと同じ側にあって、面Ｇと面Ｉとの間の高さの所定の面であり、
第四の面Ｉは、実装面の裏面Ｃとの段差がつけられた面であって、コネクタ８１０を中心にした左右両側のうち面Ｄと異なる側において、実装面の裏面Ｃから最も遠い面である。
【０５７７】
第五の面Ｊは、その少なくとも一部あるいは全部が、遊技盤２００または本体１０４などの部品と接触する面である。なお、第五の面Ｊは、遊技領域１２４（遊技盤２００の表面）であってもよく、遊技盤２００の裏面であってもよく、本体１００の裏面であってもよく、本体１００の表面であってもよく、本体または遊技盤に設けられたドロワベース（コネクタ接続面）の裏面であってもよく、本体または遊技盤に設けられたドロワベース（コネクタ接続面）の表面であってもよい。
【０５７８】
前記第一の高さや、前記第二の高さとしては、上記各面において、
・面Ａから面Ｂまでの高さ（図９１に示す丸付き数字の１、図９２に示す丸付き数字の１´）でもよいし、
・面Ａから面Ｃまでの高さ（図９１に示す丸付き数字の２、図９２に示す丸付き数字の２´）でもよいし、
・面Ａから面Ｃ’までの高さ（図９１に示す丸付き数字の２、図９２に示す丸付き数字の２´）でもよいし、
・面Ａから面Ｄまでの高さ（図９１に示す丸付き数字の７、図９２に示す丸付き数字の７´）でもよいし、
・面Ａから面Ｅまでの高さ（図９１に示す数字の８、図９２に示す数字の８´）でもよいし、
・面Ａから面Ｆまでの高さ（図９１に示す丸付き数字の９、図９２に示す丸付き数字の９´）でもよいし、
・面Ａから面Ｇまでの高さ（図９１に示す丸付き数字の３、図９２に示す丸付き数字の３´）でもよいし、
・面Ａから面Ｈまでの高さ（図９１に示す数字の４、図９２に示す数字の４´）でもよいし、
・面Ａから面Ｉまでの高さ（図９１に示す丸付き数字の５、図９２に示す丸付き数字の５´）でもよいし、
・面Ａから面Ｊまでの高さ（図９１に示す数字の１０または図９１に示す数字の６、図９２に示す丸付き数字の１０´または図９２に示す丸付き数字の６´）でもよい。
【０５７９】
図９３は、コネクタ８１０が実装された基板８１１が、コネクタ取り付け手段であるコネクタ接続部８１２ａを介して本体１０４または遊技盤２００などの部品に接して取り付けられている場合であって、コネクタ８１０が対向するコネクタと接触する接触部の面のうちの少なくとも一点が、コネクタ接続部８１２ａの段差面よりも、対向するコネクタから遠く、基板８１１とコネクタ接続部８１２ａの段差面とが所定の角度θを有する場合を説明する概略側面図である。
【０５８０】
図９４は、コネクタ８１０が実装された基板８１１が、コネクタ取り付け手段であるコネクタ接続部８１２ａを介して本体１０４または遊技盤２００などの部品に接して取り付けられている場合であって、コネクタ８１０が対向するコネクタと接触する接触部の面のうちの少なくとも一点が、コネクタ接続部８１２ａの段差面よりも、対向するコネクタに近く、基板８１１とコネクタ接続部８１２ａの段差面とが所定の角度θを有する場合を説明する概略側面図である。
【０５８１】
なお、コネクタ接続部８１２ａは、コネクタ取り付け手段であるコネクタ接続部のほかに、本体１０４または遊技盤２００などの部品も含むものである場合がある。
【０５８２】
また、角度θは、コネクタ８１０における、対向するコネクタと接触する接触部の面と、遊技盤２００と本体１０４とを取り付けたときに遊技盤２００の表面と平行な面とが成す角度である場合がある。
【０５８３】
図９３および図９４において、面Ｃ〜Ｊについては、例えば、
本体１０４に設けたコネクタ７０７ａ、７０７ｂ、７０７ｃに対しては、本体１０４の各面（例えば、表面、裏面）や、図８４（ｂ）、（ｃ）に示したドロワベース７０７ｄの各面（例えば、表面、裏面）や、本体１０４に設けた基板ケース（例えば、電源基板ケース、払出基板ケース、発射基板ケース）の各面（例えば、表面、裏面）や、本体１０４に設けた基板ケースを覆う裏カバーの各面（例えば、表面、裏面）である場合があり、
遊技盤２００に設けたコネクタ７０６ａ、７０６ｂ、７０６ｃに対しては、遊技盤２００の各面（例えば、表面（例えば、遊技領域１２４）、裏面）や、図７９に示した基板７０４の各面（例えば、表面、裏面）や、基板７０５の各面（例えば、表面、裏面）や、ドロワベース７０８の各面（例えば、表面、裏面）や、図７６、図７７に示した遊技盤２００に設けた部品（例えば、遊技板７０９、裏通路ユニット７１６、主基板ユニットベース７１５、主基板ケース１５８、裏カバー７１４、演出手段７１２、演出手段７１３、第２副基板ケース１６６）の各面（例えば、表面、裏面）である場合がある。
【０５８４】
図９３および９４において、
接続部Ａは、コネクタ８１０における、対向するコネクタと接触する接触部の面であり、
また、点Ａ’は、面Ａのうち、対向するコネクタに最も近い点であり、
実装面Ｂは、基板８１１における、コネクタ８１０が実装された面であり、
実装面の裏面Ｃは、基板８１１における、コネクタ８１０が実装された面の裏面であり、
基板が固定されている面Ｃ’は、コネクタ接続部８１２ａにおける、基板８１１が固定されている面であり、
第一の面Ｄは、実装面の裏面Ｃと、段差を有さず、鈍角である所定の角度θを成す面であり、
第二の面Ｅは、実装面の裏面Ｃとの段差がつけられた面であって、実装面の裏面Ｃから最も近い面であり、
第二の面Ｅと第三の面Ｇ以外の所定の面Ｆは、コネクタ８１０を中心にした左右両側のうち面Ｅおよび面Ｇと同じ側にあって、面Ｅと面Ｇとの間の高さの所定の面であり、
第三の面Ｇは、実装面の裏面Ｃとの段差がつけられた面であって、コネクタ８１０を中心にした左右両側のうち面Ｅおよび面Ｇと同じ側において、実装面の裏面Ｃから最も遠い面であり、
第四の面Ｈは、実装面の裏面Ｃとの段差がつけられた面であって、コネクタ８１０を中心にした左右両側のうち面Ｄと異なる側において、実装面の裏面Ｃから最も近い面であり、
また、この第四の面Ｈは、実装面の裏面Ｃとの段差がつけられた面であって、コネクタ８１０を中心にした左右両側のうち第五の面Ｊと同じ側において、面Ｊから最も遠い面であり、
第四の面Ｈと第五の面Ｊ以外の所定の面Ｉは、コネクタ８１０を中心にした左右両側のうち面Ｈおよび面Ｊと同じ側にあって、面Ｈと面Ｊとの間の高さの所定の面であり、
第五の面Ｊは、実装面の裏面Ｃとの段差がつけられた面であって、実装面の裏面Ｃから最も遠い面である。
【０５８５】
第六の面Ｋは、その少なくとも一部あるいは全部が、遊技盤２００または本体１０４などの部品と接触する面である。
【０５８６】
なお、第五の面Ｊは、遊技領域１２４（遊技盤２００の表面）であってもよく、遊技盤２００の裏面であってもよく、本体１００の裏面であってもよく、本体１００の表面であってもよく、本体または遊技盤に設けられたドロワベース（コネクタ接続面）の裏面であってもよく、本体または遊技盤に設けられたドロワベース（コネクタ接続面）の表面であってもよい。
【０５８７】
前記第一の高さや、前記第二の高さとしては、上記各面において、
・面Ａから面Ｂまでの高さ（図９３に示す丸付き数字の１´、図９４に示す丸付き数字の１）でもよいし、
・面Ａから面Ｃまでの高さ（図９３に示す丸付き数字の２´、図９４に示す丸付き数字の２）でもよいし、
・面Ａから面Ｃ’までの高さ（図９３に示す丸付き数字の２´、図９４に示す丸付き数字の２）でもよいし、
・点Ａ’から面Ｄまでの高さ（図９３に示す丸付き数字の７´、図９４に示す丸付き数字の７）でもよいし、
・点Ａ’から面Ｅまでの高さ（図９３に示す丸付き数字の８´、図９４に示す丸付き数字の８）でもよいし、
・点Ａ’から面Ｆまでの高さ（図９３に示す数字の９´、図９４に示す数字の９）でもよいし、
・点Ａ’から面Ｇまでの高さ（図９３に示す丸付き数字の１０´、図９４に示す丸付き数字の１０）でもよいし、
・点Ａ’から面Ｈまでの高さ（図９３に示す丸付き数字の５´、図９４に示す丸付き数字の３）でもよいし、
・点Ａ’から面Ｉまでの高さ（図９３に示す数字の４´、図９４に示す数字の４）でもよいし、
・点Ａ’から面Ｊまでの高さ（図９３に示す丸付き数字の３´、図９４に示す丸付き数字の５）でもよいし、
・点Ａ’から面Ｋまでの高さ（図９３に示す数字の１１´または図９３に示す数字の６´、図９４に示す数字の１１または図９４に示す数字の６）でもよい。
【０５８８】
この場合、コネクタが複数あることにより、第一のコネクタおよび第二のコネクタへ加わる力を分散させ、第一のコネクタと第二のコネクタの故障を防ぐことができる場合がある。
【０５８９】
遊技盤の表面（例えば、遊技領域１２４が設けられた面）に複数のコネクタのうちの第二のコネクタを少なくとも配置してもよい。
【０５９０】
また、遊技盤の表面（例えば、遊技領域１２４が設けられた面）に複数のコネクタのうちの第三のコネクタを少なくとも配置してもよい。
【０５９１】
また、遊技盤の表面（例えば、遊技領域１２４が設けられた面）に複数のコネクタのうちの第六のコネクタを少なくとも配置してもよい。
【０５９２】
遊技盤の裏面（例えば、遊技領域１２４が設けられた面の裏面、遊技盤における主基板や副基板が設けられている面）に複数のコネクタのうちの第二のコネクタを少なくとも配置してもよい。
【０５９３】
また、遊技盤の裏面（例えば、遊技領域１２４が設けられた面の裏面、遊技盤における主基板や副基板が設けられている面）に第三のコネクタを配置してもよい。
【０５９４】
また、遊技盤の裏面（例えば、遊技領域１２４が設けられた面の裏面、遊技盤における主基板や副基板が設けられている面）に第六のコネクタを配置してもよい。
【０５９５】
なお、遊技盤の表面（例えば、遊技領域１２４が設けられた面）には、コネクタを配置せず、遊技盤の裏面（例えば、遊技領域１２４が設けられた面の裏面、遊技盤における主基板や副基板が設けられている面）のみに複数のコネクタの全てが少なくとも配置されているようにしてもよい。また、この場合の複数のコネクタは、一または複数のフローティングコネクタを少なくとも含むことを示すにものであってもよく、複数のフローティングコネクタのみを示すものであってもよく、フローティングコネクタ以外のコネクタが複数あることを示すものであってもよく、一または複数のフローティングコネクタと一または複数のフローティングコネクタ以外のコネクタの両方が設けられていることを示すものであってもよい。
【０５９６】
なお、遊技盤の表面（例えば、遊技領域１２４が設けられた面）にはフローティングコネクタは設けられず、遊技盤の裏面（例えば、遊技領域１２４が設けられた面の裏面、遊技盤における主基板や副基板が設けられている面）にのみに一または複数のフローティングコネクタが設けられるようにしてもよい。なお、逆であってもよい。
【０５９７】
なお、他の実施例、実施形態についても同様である。
【０５９８】
＜＜第２４の実施例＞＞
図９５は、本発明に係る第２４の実施例のパチンコ機１００を示す図であり、本体１０４に遊技盤２００を取り付けた状態を示す斜視図である。
【０５９９】
本体１０４は、遊技盤２００の一端を回転支持する支持部１０４ｄと、遊技盤２００を収容する収容部１０４ｅを有する。支持部１０４ｄは挿入された遊技盤２００の一端を外れないように押さえる突出部１０４ｃを有しており、この支持部１０４ｄに一端を挿入した遊技盤２００は、その一端を軸に回転して開閉可能としている。遊技盤２００を閉じると、その遊技盤２００は本体１０４の収容部１０４ｅに収容される。
【０６００】
この遊技盤２００を閉じる動作によって、本体１０４側のコネクタ７０７ａと遊技盤２００側のコネクタ７０６ａとが押し付けられて接続し、本体１０４側のコネクタ７０７ｂと遊技盤２００側のコネクタ７０６ｂとが押し付けられて接続し、本体１０４側のコネクタ７０７ｃと遊技盤２００側のコネクタ７０６ｃとが押し付けられて接続する。遊技盤２００を開くと、コネクタ７０７ａとコネクタ７０６ａとの接続、コネクタ７０７ｂとコネクタ７０６ｂとの接続、およびコネクタ７０７ｃとコネクタ７０６ｃとの接続は解除される。
【０６０１】
なお、フローティングコネクタとは、位置を固定されたコネクタと、この位置を固定されたコネクタと相対する接続面に可動域を有するコネクタとの組み合わせを呼ぶ場合があるが、ここでは、可動域を有するコネクタをフローティングコネクタと呼ぶ場合がある。
【０６０２】
本実施例では、例えば遊技盤２００側のコネクタ７０６ａ、７０６ｂおよび７０６ｃを固定されたコネクタにし、本体１０４側のコネクタ７０７ａ、７０７ｂおよび７０７ｃをフローティングコネクタにする場合がある。この場合、フローティングコネクタの可動域によりコネクタを接続しにくい場合がある。そこで、本実施例では、詳しくは後述する案内部および被案内部によって安定したコネクタ接続を可能とする場合がある。
【０６０３】
なお、本実施例では、第一の部品（遊技盤２００）に主基坂１５６、第１の副基板１６０および第２の副基板１６４を設けている。また、第二の部品（本体１０４）に払出制御基板１７０、発射基板１７４および電源基板１８２を設けている。各コネクタは、これらの基板どうしの接続を行う場合があり、コネクタ接続が正常に行われていない場合、これらの基板のうち複数の基板に跨る制御の動作が正常に行われているか否かで、コネクタ接続の不具合か基板の不具合かを切り分けることができ、また、コネクタ接続の不具合であれば、案内部の異常であることを推測することもできる場合がある。
【０６０４】
例えば、液晶表示に不具合があった場合でも、打出や払出が行われている場合はコネクタの電気的接続が異常であり、案内部が壊れてしまっている可能性がある。一方で、同様の状況でも打出や払出もされない場合には、電源基板に不具合が発生している可能性がある。
【０６０５】
図９６は、第２４の実施例において、パチンコ機１００の外枠１０２から本体１０４を開いた状態を示す斜視図である。
【０６０６】
図９７は、図９６のパチンコ機１００において、コネクタ近傍を拡大して示す斜視図であり、（ａ）は本体１０４側のコネクタ近傍を示す図であり、（ｂ）は外枠１０２側のコネクタ近傍を示す図である。
【０６０７】
図９８は、図９６のパチンコ機１００において、コネクタ近傍を拡大して示す斜視図であり、（ａ）は外枠１０２側のコネクタに本体１０４側のコネクタが接続される様子を示す図であり、（ｂ）は外枠１０２側のコネクタに本体１０４側のコネクタを接続した状態を示す図である。
【０６０８】
外枠１０２側のコネクタ８５０の両側には、コネクタ接続がスムーズに行われるための位置決め用の突出部８５１を設けており、これに対向した本体１０４側のコネクタ８６０の両側には、突出部８５１に対応する孔８６１を設けている。
【０６０９】
さらに、本体１０４には位置決め部材８５２を設け、これに対向した外枠１０２には、位置決め部材８６２が上部を滑って収納される板金部材８５２を設けている。本実施例では、板金部材８５２が案内部であり、位置決め部材８６２が被案内部である。本実施例では、さらに、コネクタ接続の際に本体１０４の底部を案内する案内部として、コネクタ８５０の下に案内部８５２ａを設けている。
【０６１０】
本体１０４を外枠１０２に対して閉じると、コネクタ８５０とコネクタ８６０とが接続される。このとき、孔８６１に突出部８５１が嵌るとともに板金部材８５２上を位置決め部材８６２が滑って収納されることによって、コネクタ同士の位置決めがされる。
【０６１１】
なお、この例では突出部８５１は孔８６１から突出するように構成しているが、この孔８６１から突出した部分を、さらに他の部材（例えば遊技盤２００）の位置決めとして利用してもよい。
【０６１２】
開閉動作の際に動かない方の外枠１０２側のコネクタ８５０をフローティングコネクタにしてもよい場合があり、開閉動作の際に動く方の本体１０４側のコネクタ８６０をフローティングコネクタにしてもよい場合がある。
【０６１３】
ここで、開閉動作する本体１０４に、動かないコネクタ（固定のコネクタ）を配置し、動作しない外枠１０２に、動くコネクタ（フローティングコネクタ）を配置する場合があり、これは、遊技領域が広くなっていくことに伴い遊技盤が大きくなっているため、コネクタ用の基板を設置する余裕があることによる。
【０６１４】
なお、高音スピーカ１２０は前面枠扉１０６に収納されているが、低音スピーカ（不図示）は外枠１０２に設けられたスピーカボックス１２３に収納されている。従って、高音スピーカ１２０と低音スピーカ（スピーカボックス１２３に収納）では電源供給するコネクタが異なる。本実施例の場合、低音スピーカはコネクタ８５０、８６０を介して電源供給されている。このため、コネクタ８５０、８６０の電気的接続に異常がある場合は、低音スピーカから音が出力されなくなる、もしくはされにくくなる。これより、低音スピーカの出力の異常から、コネクタ８５０、８６０の電気的接続不良、しいては案内部である板金部材８５２や案内部８５２ａに不具合があることがわかるので、メンテナンス性を向上させることができる場合がある。
【０６１５】
図９９は、図９６のパチンコ機１００において、本体１０４のコネクタ８６０近傍を拡大して示す図であり、（ａ）は側面図であり、（ｂ）は正面図である。
【０６１６】
位置決め部材８６２の底面は本体１０４の底面と面一に構成しており、位置決め部材８６２の底面は先端の方が高い斜面としており、これにより、斜面を広くすることができ、本体１０４をスムーズに外枠１０２に取り付けることができる場合がある。
【０６１７】
図１００は、図９６のパチンコ機１００における外枠１０２を示す図であり、（ａ）は外枠１０２を上方から見た平面図であり、（ｂ）は（ａ）においてコネクタ８５０近傍が見えるように切り欠いて示す図である。
【０６１８】
図１０１は、図９６のパチンコ機１００における外枠１０２を示す図であり、（ａ）は外枠１０２を右横から見た側図であり、（ｂ）は（ａ）においてコネクタ８５０近傍が見えるように切り欠いて示す図である。
【０６１９】
図１００および図１０１を参照して分かるように、本実施例では、コネクタ８５０を覆うように、突出部８５１を突出させている。
【０６２０】
図１０２は、図９６のパチンコ機１００の外枠１０２に対して本体１０４を閉じていく状態を、本体１０４の側から見た斜視図である。
【０６２１】
図１０３（ａ）、（ｂ）、（ｃ）は、図２９のパチンコ機１００の外枠１０２に対して本体１０４を閉じていく状態を順に示す図であって、コネクタ近傍を拡大し、本体１０４の側から見た斜視図である。
【０６２２】
図１０４は、図９６のパチンコ機１００の外枠１０２に対して本体１０４を閉じていく状態を、外枠１０２の側から見た斜視図である。
【０６２３】
図１０５（ａ）、（ｂ）、（ｃ）は、図９６のパチンコ機１００の外枠１０２に対して本体１０４を閉じていく状態を順に示す図であって、コネクタ近傍を拡大し、外枠１０２の側から見た斜視図である。
【０６２４】
パチンコ機１００の外枠１０２に対して本体１０４を閉じていくと、まず、位置決め部材８６２と板金部材８５２とが接触する（図１０３（ａ）の符号Ｉ参照）。次に、支持部１０４ｄに近い側の突出部８５１と対応する孔８６１とが接触する（図１０３（ａ）の符号ＩＩ参照）。次に、支持部１０４ｄから遠い側の突出部８５１と対応する孔８６１とが接触する（図１０３（ａ）の符号ＩＩＩ参照）。次に、本体１０４の底部と案内部８５２ａとが接触する（図１０３（ａ）の符号ＩＶ参照）。最後にコネクタ８６０とコネクタ８５０とが接触して、コネクタ８６０とコネクタ８５０との接続が完了する。
【０６２５】
＜＜第２５の実施例＞＞
図１０６は、本発明に係るコネクタ接続の構成の第２５の実施例を示す図であって、図５２の断面図に相当する図であり、（ａ）は遊技盤２００の一端を、遊技盤２００を回転支持する本体１０４の支持部１０４ｄに取り付け、遊技盤２００を開いた状態を示す図であり、（ｂ）は遊技盤２００を閉じ、遊技盤２００を本体１０４の収容部１０４ｅに収容した状態を示す図であり、（ｃ）は遊技盤２００が支持部１０４ｄから外れた状態で遊技盤２００を閉じようとした状態を示す図である。
【０６２６】
図１０７は、図１０６のコネクタ部分を拡大して示す図である。
【０６２７】
図１０６および図１０７において、遊技盤２００の図における下側が、遊技領域１２４を設けている側である。また、遊技盤２００の遊技盤２００の第四のコネクタ２００ａ４および第二のコネクタ２００ａ３を設けた側の反対側が、遊技領域１２４を設けている側である。
【０６２８】
この第２５の実施例では、第一の部品である本体１０４に設けた第一のコネクタ１０４ａ３と第二の部品である遊技盤２００に設けた第二のコネクタ２００ａ３とを接続するとともに、第一の部品である本体１０４に設けた第三のコネクタ１０４ａ４と第二の部品である遊技盤２００に設けた第四のコネクタ２００ａ４とを接続する構成を示す。
【０６２９】
第一のコネクタ１０４ａ３は、その当接面１０４ａ３ｓにて基板１０４ｃ３に接し、電気的に接続されて実装される。また、基板１０４ｃ３は、コネクタ取り付け手段であるコネクタ接続部１０４ｂ３を介して本体１０４に接し、電気的に接続されて実装される。すなわち、第一のコネクタ１０４ａ３は、基板１０４ｃ３およびコネクタ接続部１０４ｂ３を介して、本体１０４に電気的に接続されて実装される。
【０６３０】
第二のコネクタ２００ａ３は、その当接面２００ａ３ｓにて基板２００ｃ３に接し、電気的に接続されて実装される。また、基板２００ｃ３は、コネクタ取り付け手段であるコネクタ接続部２００ｂ３を介して遊技盤２００に接し、電気的に接続されて実装される。すなわち、第二のコネクタ２００ａ３は、基板２００ｃ３およびコネクタ接続部２００ｂ３を介して、遊技盤２００に電気的に接続されて実装される。
【０６３１】
第三のコネクタ１０４ａ４は、その当接面１０４ａ４ｓにて基板１０４ｃ４に接し、電気的に接続されて実装される。また、基板１０４ｃ４は、コネクタ取り付け手段であるコネクタ接続部１０４ｂ４を介して本体１０４に接し、電気的に接続されて実装される。すなわち、第三のコネクタ１０４ａ４は、基板１０４ｃ４およびコネクタ接続部１０４ｂ４を介して、本体１０４に電気的に接続されて実装される。
【０６３２】
第四のコネクタ２００ａ４は、その当接面２００ａ４ｓにて基板２００ｃ４に接し、電気的に接続されて実装される。また、基板２００ｃ４は、コネクタ取り付け手段であるコネクタ接続部２００ｂ４を介して遊技盤２００に接し、電気的に接続されて実装される。すなわち、第四のコネクタ２００ａ４は、基板２００ｃ４およびコネクタ接続部２００ｂ４を介して、遊技盤２００に電気的に接続されて実装される。
【０６３３】
また、遊技盤２００の面のうち、第二のコネクタ２００ａ３や第四のコネクタ２００ａ４を設けた側の面には、部品１２０５を設けている。この部品１２０５の少なくとも一部は遊技盤２００の一部と少なくとも接触して取り付けられている場合がある。なお、この部品１２０５の少なくとも一部は、遊技盤２００の一部のみと少なくとも接触してもよい。なお、部品１２０５の全部は、遊技盤２００の一部のみと少なくとも接触して取り付けられていてもよい。また、遊技盤の全部であってもよい。
【０６３４】
また、本体１０４の面のうち、第一のコネクタ１０４ａ３や第三のコネクタ１０４ａ４を設けた側の面には、部品１２０６を設けている。この部品１２０６の少なくとも一部は本体１０４と接触して取り付けられている場合がある。なお、この部品１２０６の少なくとも一部は、遊技盤２００の一部のみと少なくとも接触してもよい。なお、部品１２０６の全部は、遊技盤２００の一部のみと少なくとも接触して取り付けられていてもよい。また、遊技盤の全部であってもよい。
【０６３５】
本体１０４は、遊技盤２００の一端を回転支持する支持部１０４ｄと、遊技盤２００を収容する収容部１０４ｅを有する。支持部１０４ｄは挿入された遊技盤２００の一端を外れないように押さえる突出部１０４ｃを有しており、この支持部１０４ｄに一端を挿入した遊技盤２００は、その一端を軸に回転して開閉可能としている。遊技盤２００を閉じると、その遊技盤２００は本体１０４の収容部１０４ｅに収容される（図１０６（ｂ）参照）。
【０６３６】
この遊技盤２００を閉じる動作によって第一のコネクタ１０４ａ３と第二のコネクタ２００ａ３とが押し付けられて接続するとともに第三のコネクタ１０４ａ４と第四のコネクタ２００ａ４とが押し付けられて接続する。遊技盤２００を開くと、第一のコネクタ１０４ａ３と第二のコネクタ２００ａ３との接続、および第三のコネクタ１０４ａ４と第四のコネクタ２００ａ４との接続は解除される。
【０６３７】
本実施例では、第一のコネクタと第二のコネクタが接続した後に、第三のコネクタと第四のコネクタが接続される。なお、その逆であってもよい。また、第三のコネクタと第四のコネクタの接続は、第一のコネクタと第二のコネクタとの接続と同時であってもよい。また、本実施例では、第三のコネクタと第四のコネクタの接続が解除された後に、第一のコネクタと第二のコネクタの接続が解除される、なお、その逆であってもよい。また、第三のコネクタと第四のコネクタの接続解除は、第一のコネクタと第二のコネクタとの接続解除と同時であってもよい。
【０６３８】
本実施例では、遊技盤に設けられた隣り合うコネクタにおいて、少なくとも第一のコネクタの高さは、第三のコネクタの高さと異なるものである。さらに第三のコネクタの高さは、第一のコネクタの高さよりも高いものである。なお、その逆であってもよく、同じ高さであってもよい。
【０６３９】
また、本実施例では、本体に設けられた隣り合うコネクタにおいて、少なくとも第二のコネクタの高さは、第四のコネクタの高さと異なるものである。さらに第二のコネクタの高さは、第四のコネクタの高さよりも高いものである。なお、その逆であってもよく、同じ高さであってもよい。
【０６４０】
ここで、第二の部品である遊技盤２００の所定の面を、第二のコネクタ２００ａ３の当接面２００ａ３ｓと平行であり、遊技盤２００における第二のコネクタ２００ａ３の実装面と逆の面で当接面２００ａ３ｓから最も遠い面（例えば遊技盤２００の表面）としたとき、この所定の面から、第二のコネクタ２００ａ３における第一のコネクタ１０４ａ３と接触する接触部（遊技盤２００を閉じようとしたときに始めに接触する箇所でもよいし、遊技盤２００を閉じようとしたときに始めに接触する電極箇所でもよい。）まで、の高さをＨ１（図１０７参照）とし、
また、第一の部品である本体１０４の所定の面を、第一のコネクタ１０４ａ３の当接面１０４ａ３ｓと平行であり、本体１０４における第一のコネクタ１０４ａ３の実装面と逆の面で当接面１０４ａ３ｓから最も遠い面（例えば本体１０４の裏面）としたとき、この所定の面から、第一のコネクタ１０４ａ３における第二のコネクタ２００ａ３と接触する接触部（遊技盤２００を閉じようとしたときに始めに接触する箇所でもよいし、遊技盤２００を閉じようとしたときに始めに接触する電極箇所でもよい。）まで、の高さをＨ２（図１０７参照）とし、
また、第二の部品である遊技盤２００の所定の面を、第四のコネクタ２００ａ４の当接面２００ａ４ｓと平行であり、遊技盤２００における第四のコネクタ２００ａ４の実装面と逆の面で当接面２００ａ４ｓから最も遠い面（例えば遊技盤２００の表面）としたとき、この所定の面から、第四のコネクタ２００ａ４における第三のコネクタ１０４ａ４と接触する接触部（遊技盤２００を閉じようとしたときに始めに接触する箇所でもよいし、遊技盤２００を閉じようとしたときに始めに接触する電極箇所でもよい。）まで、の高さをＨ３（図１０７参照）とし、
また、第一の部品である本体１０４の所定の面を、第三のコネクタ１０４ａ４の当接面１０４ａ４ｓと平行であり、本体１０４における第三のコネクタ１０４ａ４の実装面と逆の面で当接面１０４ａ４ｓから最も遠い面（例えば本体１０４の裏面）としたとき、この所定の面から、第三のコネクタ１０４ａ４における第四のコネクタ２００ａ４と接触する接触部（遊技盤２００を閉じようとしたときに始めに接触する箇所でもよいし、遊技盤２００を閉じようとしたときに始めに接触する電極箇所でもよい。）まで、の高さをＨ４（図１０７参照）とし、
また、第二の部品である遊技盤２００の所定の面を、部品１２０５の上面と平行であり、遊技盤２００における部品１２０５の実装面と逆の面で部品１２０５の上面から最も遠い面（例えば遊技盤２００の表面）としたとき、この所定の面から、部品１２０５の上面まで、の高さをＨ５（図１０７参照）とし、
また、第一の部品である本体１０４の所定の面を、部品１２０６の上面と平行であり、遊技盤２００における部品１２０６の実装面と逆の面で部品１２０６の上面から最も遠い面（例えば本体１０４の裏面）としたとき、この所定の面から、部品１２０６の上面まで、の高さをＨ６（図１０７参照）としたとき、
Ｈ５＞Ｈ１且つＨ５＞Ｈ２且つＨ５＞Ｈ３且つＨ５＞Ｈ４である（部品１２０５が、第一のコネクタ１０４ａ３、第二のコネクタ２００ａ３、第三のコネクタ１０４ａ４および第四のコネクタ２００ａ４のいずれよりも突出している）場合があり、Ｈ６＞Ｈ１且つＨ６＞Ｈ２且つＨ６＞Ｈ３且つＨ６＞Ｈ４である（部品１２０６が、第一のコネクタ１０４ａ３、第二のコネクタ２００ａ３、第三のコネクタ１０４ａ４および第四のコネクタ２００ａ４のいずれよりも突出している）場合があり、
この場合、図１０６（ｃ）に示すように、誤ったやり方で遊技盤２００を閉じたときに、部品１２０５と部品１２０６とが初めに接触し、第一のコネクタ１０４ａ３、第二のコネクタ２００ａ３、第三のコネクタ１０４ａ４および第四のコネクタ２００ａ４を保護することができる場合がある。
【０６４１】
なお、本体１０４側の部品１２０６は、第二のコネクタ２００ａ３および第四のコネクタ２００ａ４の両方よりも突出していなくてもよい。
【０６４２】
なお、本体１０４側の部品１２０６は、第二のコネクタ２００ａ３および第四のコネクタ２００ａ４のうちの少なくとも一方より突出していてもよい。
【０６４３】
なお、本体１０４側の部品１２０６は、第二のコネクタ２００ａ３および第四のコネクタ２００ａ４のうち一方より突出していなく、他方より突出していてもよい。
【０６４４】
なお、部品１２０５の高さＨ５と部品１２０６の高さＨ６は、Ｈ５＜Ｈ６でもよいし、Ｈ５＝Ｈ６でもよいし、Ｈ５＞Ｈ６でもよい。
【０６４５】
なお、第一の部品（例えば本体１０４）に設けたコネクタの高さの基準となる第一の部品の所定面としては、この第一の部品と第二の部品（例えば遊技盤２００）とを組み付けて対応するコネクタ同士を接続したときに、この第一の部品が第二の部品と当接する面としてもよい。第一の部品に設けたコネクタのうち、この所定面を基準として、より第二の部品側に突出しているコネクタほど破損可能性が高い。
【０６４６】
同様に、第二の部品（例えば遊技盤２００）に設けたコネクタの高さの基準となる第二の部品の所定面としては、この第二の部品と第一の部品（例えば本体１０４）とを組み付けて対応するコネクタ同士を接続したときに、この第二の部品が第一の部品と当接する面としてもよい。第二の部品に設けたコネクタのうち、この所定面を基準として、より第一の部品側に突出しているコネクタほど破損可能性が高い。
【０６４７】
＜＜第２６の実施例＞＞
図１０８は、本発明に係る第２６の実施例を示す図であって、（ａ）、（ｂ）および（ｃ）はコネクタと部品の配置の例を示すである。
【０６４８】
図１０８（ａ）の例について説明する。
【０６４９】
コネクタ２００ａ３は、その当接面２００ａ３ｓにて基板２００ｃ３に接し、電気的に接続されて実装される。また、基板２００ｃ３は、コネクタ取り付け手段であるコネクタ接続部２００ｂ３を介して遊技盤２００に接し、電気的に接続されて実装される。すなわち、第二のコネクタ２００ａ３は、基板２００ｃ３およびコネクタ接続部２００ｂ３を介して、遊技盤２００に電気的に接続されて実装される。
【０６５０】
コネクタ２００ａ４は、その当接面２００ａ４ｓにて基板２００ｃ４に接し、電気的に接続されて実装される。また、基板２００ｃ４は、コネクタ取り付け手段であるコネクタ接続部２００ｂ４を介して遊技盤２００に接し、電気的に接続されて実装される。すなわち、第四のコネクタ２００ａ４は、基板２００ｃ４およびコネクタ接続部２００ｂ４を介して、遊技盤２００に電気的に接続されて実装される。
【０６５１】
また、遊技盤２００の面のうち、第二のコネクタ２００ａ３や第四のコネクタ２００ａ４を設けた側の面には、部品１２０５を設けている。この部品１２０５の少なくとも一部は遊技盤２００と接触して取り付けられている場合がある。
【０６５２】
図１０８（ａ）に示すように、部品１２０５は、コネクタ２００ａ３およびコネクタ２００ａ４よりも遊技盤２００の第一の端側に設けられていてもよい。コネクタ接続部２００ｂ３とコネクタ接続部２００ｂ４とが一体であってもよい。部品１２０５は、コネクタ接続部２００ｂ３およびコネクタ接続部２００ｂ４よりも遊技盤２００の第一の端側に設けられていてもよい。なお、第二のコネクタおよび第四のコネクタよりも部品１２０５が第一の端側に設けられていればよく、部品２３０５よりも第一の端側に第二のコネクタおよび第四のコネクタと異なるコネクタが設けられていてもよい。また、第二のコネクタよりも内側に第四のコネクタと異なるコネクタが設けられていてもよく、第二のコネクタと第四のコネクタの間に第二および第四のコネクタと異なるコネクタが設けられていてもよい。なお、異なるコネクタは、フローティングコネクタであってもよく、フローティングコネクタ以外のコネクタであってもよい。
【０６５３】
図１０８（ｂ）の例について説明する。
【０６５４】
コネクタ２００ａ３は、その当接面２００ａ３ｓにて基板２００ｃ３に接し、電気的に接続されて実装される。また、基板２００ｃ３は、コネクタ取り付け手段であるコネクタ接続部２００ｂ３を介して遊技盤２００に接し、電気的に接続されて実装される。すなわち、第二のコネクタ２００ａ３は、基板２００ｃ３およびコネクタ接続部２００ｂ３を介して、遊技盤２００に電気的に接続されて実装される。なお、第二のコネクタよりも内側に第四のコネクタと異なるコネクタが設けられていてもよい。また、第四のコネクタに関しても同様である。なお、第二のコネクタよりも外側に第四のコネクタと異なるコネクタが設けられていてもよい。なお、第四のコネクタに関しても同様である。なお、異なるコネクタは、フローティングコネクタであってもよく、フローティングコネクタ以外のコネクタであってもよい。
【０６５５】
コネクタ２００ａ４は、その当接面２００ａ４ｓにて基板２００ｃ４に接し、電気的に接続されて実装される。また、基板２００ｃ４は、コネクタ取り付け手段であるコネクタ接続部２００ｂ４を介して遊技盤２００に接し、電気的に接続されて実装される。すなわち、第四のコネクタ２００ａ４は、基板２００ｃ４およびコネクタ接続部２００ｂ４を介して、遊技盤２００に電気的に接続されて実装される。
【０６５６】
また、遊技盤２００の面のうち、第二のコネクタ２００ａ３や第四のコネクタ２００ａ４を設けた側の面には、部品１２０５を設けている。この部品１２０５の少なくとも一部は遊技盤２００と接触して取り付けられている場合がある。
【０６５７】
図１０８（ｂ）に示すように、部品１２０５は、コネクタ２００ａ３とコネクタ２００ａ４の間に設けられていてもよい。部品１２０５は、コネクタ接続部２００ｂ３とコネクタ接続部２００ｂ４の間に設けられていてもよい。
【０６５８】
図１０８（ｃ）の例について説明する。
【０６５９】
コネクタ２００ａ３は、その当接面２００ａ３ｓにて基板２００ｃ３に接し、電気的に接続されて実装される。また、基板２００ｃ３は、コネクタ取り付け手段であるコネクタ接続部２００ｂ３を介して遊技盤２００に接し、電気的に接続されて実装される。すなわち、第二のコネクタ２００ａ３は、基板２００ｃ３およびコネクタ接続部２００ｂ３を介して、遊技盤２００に電気的に接続されて実装される。
【０６６０】
コネクタ２００ａ４は、その当接面２００ａ４ｓにて基板２００ｃ４に接し、電気的に接続されて実装される。また、基板２００ｃ４は、コネクタ取り付け手段であるコネクタ接続部２００ｂ４を介して遊技盤２００に接し、電気的に接続されて実装される。すなわち、第四のコネクタ２００ａ４は、基板２００ｃ４およびコネクタ接続部２００ｂ４を介して、遊技盤２００に電気的に接続されて実装される。
【０６６１】
また、遊技盤２００の面のうち、第二のコネクタ２００ａ３や第四のコネクタ２００ａ４を設けた側の面には、部品１２０５を設けている。この部品１２０５の少なくとも一部は遊技盤２００と接触して取り付けられている場合がある。
【０６６２】
図１０８（ｃ）に示すように、部品１２０５は、コネクタ２００ａ３およびコネクタ２００ａ４よりも遊技盤２００の第二の端側に設けられていてもよい。コネクタ接続部２００ｂ３とコネクタ接続部２００ｂ４とが一体であってもよい。部品１２０５は、コネクタ接続部２００ｂ３およびコネクタ接続部２００ｂ４よりも遊技盤２００の第二の端側に設けられていてもよい。
【０６６３】
なお、第二のコネクタおよび第四のコネクタよりも部品１２０５が第二の端側に設けられていればよく、部品２３０５よりも第二の端側に第二のコネクタおよび第四のコネクタと異なるコネクタが設けられていてもよい。また、第二のコネクタよりも内側に第四のコネクタと異なるコネクタが設けられていてもよく、第二のコネクタと第四のコネクタの間に第二および第四のコネクタと異なるコネクタが設けられていてもよい。なお、異なるコネクタは、フローティングコネクタであってもよく、フローティングコネクタ以外のコネクタであってもよい。
【０６６４】
なお、第２５の実施例を適用可能であってもよい。
【０６６５】
＜スロットマシンへの適用＞
本発明に係る遊技台は、「複数種類の図柄が施され、回転駆動される複数のリールと、リールの回転を指示するためのスタートレバーと、各々のリールに対応して設けられ、リールの回転を個別に停止させるための停止ボタンと、複数種類の役の内部当選の当否を抽選により判定する抽選手段（入賞役内部抽選）と、抽選手段の抽選結果に基づいてリールの回転の停止に関する停止制御を行うリール停止制御手段（リール停止制御処理）と、抽選手段の抽選結果に基づいて停止されたリールによって表示される図柄組合せが、内部当選した役に対応して予め定めた図柄組合せであるか否かの判定をする判定手段（入賞判定処理）と、図柄の停止態様が所定の入賞態様である場合、所定の入賞態様に対応する遊技媒体を払出す遊技媒体払出処理を行う払出制御手段（メダル払出処理）と、に加え、抽選手段の抽選結果に基づいて演出を実行する演出手段を備え、この演出手段が、所定の遊技領域に球を発射する発射装置と、発射装置から発射された球を入球可能に構成された入賞口と、入賞口に入球した球を検知する検知手段と、検知手段が球を検知した場合に球を払出す払出手段と、所定の図柄(識別情報)を変動表示する可変表示装置と、可変表示装置を遮蔽する位置に移動可能なシャッタと、所定動作態様で動作する可動体と、を備え、入賞口に遊技球が入って入賞することを契機として、可変表示装置が図柄を変動させた後に停止表示させて、遊技を演出するような演出装置、であるスロットマシン」にも好適である。
【０６６６】
＜封入式遊技機への適用＞
本発明に係る遊技台は、遊技球を封入し、封入した遊技球をぱちんこ機内で循環させて使用する封入式ぱちんこ機であってもよく、この封入式ぱちんこ機は、封入した遊技球を発射球として使用し、遊技球の払出はクレジットによって実行されるものであってもよい。
【０６６７】
＜付記１＞
なお、上説明した本発明は、
１．
遊技領域を備えた遊技盤（例えば遊技盤２００）と、
該遊技盤を取付可能な本体（例えば本体１０４）と、
前記本体に設けられた第一のコネクタ（例えばコネクタ７００ａ、１０４ａ、１０４ａ１、１０４ａ２、１０４ａ３、１０４ａ４、１０４ａ５、１０４ａ６、１０４ａ７、１０４ａ８、１０４ａ９、７０７ａ、７０７ｂ、７０７ｃ）と、
前記遊技盤に設けられた第二のコネクタ（例えば７０１ａ、２００ａ、２００ａ１、２００ａ２、２００ａ３、２００ａ４、２００ａ５、２００ａ６、２００ａ７、２００ａ８、２００ａ９、７０６ａ、７０６ｂ、７０６ｃ）と、
を備えた遊技台であって、
前記第一のコネクタと第二のコネクタとは電気的に接続可能に構成され、
前記第一のコネクタおよび前記第二のコネクタのうち少なくとも一方はフローティングコネクタであり、
前記第二のコネクタは、前記遊技盤の両側端のうちの第一の端よりも第二の端に近い位置に配置され、
前記本体は、前記遊技盤における前記第一の端よりも前記第二の端に近い箇所を、少なくとも所定の向きに押す押圧部（例えば遊技盤受部８０１および弾性部材８０３）を有し、
前記所定の向きは、遊技盤を取り付ける向きと反対の向きである
ことを特徴とする遊技台、としたので、
メンテナンス性を向上させることができる。
【０６６８】
また、押圧部が第一のコネクタと第二のコネクタの近くに配置されていることにより、遊技盤の取り付け時に第一のコネクタと第二のコネクタに過剰な力が加えられるのを防ぎ、第一のコネクタと第二のコネクタの故障を防ぐことができる場合がある。また、押圧部により遊技盤には本体から取りはずす方向に力が加えられているので、本体から取り外すときに第一のコネクタと第二のコネクタの解除を容易にし、メンテナンス性を向上させることができる場合がある。
【０６６９】
また本発明は、
２．
１．に記載の遊技台において、
前記本体は、前記第一のコネクタの近くに前記遊技盤を固定する固定部（例えば遊技盤固定具８００）を備えた
ことを特徴とする遊技台、としたので、
固定部を設けることにより、遊技盤に一定以上の力を加えないようにし、第一のコネクタと第二のコネクタに過剰な力が加えられるのを防ぐことができる場合がある。
【０６７０】
また本発明は、
３．
２．に記載の遊技台において、
前記固定部は、前記押圧部を含んで構成される
ことを特徴とする遊技台、としたので、
固定部が押圧部を含むことにより、押圧部により遊技盤が押される力に連動して遊技盤を固定させる力を遊技盤に与えることができるので、第一のコネクタと第二のコネクタに過剰な力が加えられるのを防ぐことができる場合がある。
【０６７１】
また本発明は、
４．
１．ないし３．のうちのいずれか１項に記載の遊技台において、
前記本体は、第三のコネクタ（例えばコネクタ１０４ａ１、１０４ａ４、１０４ａ６、１０４ａ７、７０７ｂ、７０７ｃ）を備え、
前記遊技盤は、第四のコネクタ（例えばコネクタ２００ａ１、２００ａ４、２００ａ６、２００ａ７、７０６ｂ、７０６ｃ）を備え、
前記第三のコネクタと前記第四のコネクタとは電気的に接続可能に構成され、
前記第四のコネクタは、前記遊技盤の前記第二の端側に設けられる
ことを特徴とする遊技台、としたので、
コネクタが複数あることにより、第一のコネクタおよび第二のコネクタへ加わる力を分散させ、第一のコネクタと第二のコネクタの故障を防ぐことができる場合がある。
【０６７２】
また本発明は、
５．
１．ないし４．のうちのいずれか１項に記載の遊技台において、
前記本体は、第五のコネクタ（例えばコネクタ１０４ａ３、１０４ａ８、７０７ａ、７０７ｂ）を備え、
前記遊技盤は、第六のコネクタ（例えばコネクタ２００ａ３、２００ａ８、７０６ａ、７０６ｂ）を備え、
前記第五のコネクタと前記第六のコネクタとは電気的に接続可能に構成され、
前記第五のコネクタは、前記第一のコネクタよりも前記遊技盤の前記第一の端側に設けられ、
前記第五のコネクタの接続面における長辺は、前記第一のコネクタの接続面における長辺よりも短い
ことを特徴とする遊技台、としたので、
コネクタが複数あることにより、第一のコネクタおよび第二のコネクタへ加わる力を分散させ、第一のコネクタと第二のコネクタの故障を防ぐことができる場合がある。
【０６７３】
また、第一のコネクタ（第二のコネクタ）よりも接続面の長辺が短い第五のコネクタ（第六のコネクタ）を設けることにより、外部からの衝撃を吸収しやすく（長辺が長いことにより衝撃を分散する）、第一のコネクタと第二のコネクタの故障を防ぐことができる場合がある。
【０６７４】
ここで、第一の端側とは、第一の端と第二の端との中心線よりも第一の端に近い位置をいい、第二の端側とは、第一の端と第二の端との中心線よりも第二の端に近い位置をいう。このとき、第一の端と第二の端との中心線と一致する位置は、第一の端側とする場合もあるし、第二の端側とする場合もある。
【０６７５】
また本発明は、
６．
１．ないし４．のうちのいずれか１項に記載の遊技台において、
前記本体から、前記第一のコネクタにおける前記第二のコネクタと接触する接触部まで、の高さは、第一の高さであり、
前記遊技盤から、前記第二のコネクタにおける前記第一のコネクタと接触する接触部まで、の高さは、第二の高さであり、
前記第一の高さと前記第二の高さを異ならせた
ことを特徴とする遊技台、としたので、
壊れやすいコネクタを明確にするとともに、壊れやすいコネクタへ加わる力を分散させるため、壊れやすいコネクタの故障を防ぐことができる場合がある。
【０６７６】
また本発明において、
前記本体は、前記遊技盤の前記第一の端を支持(固定)する支持部を備える場合がある。
【０６７７】
この場合、メンテナンス性を向上させることができる場合があり、また、押圧部が第一のコネクタと第二のコネクタの近くに配置されていることにより、遊技盤の取り付け時に第一のコネクタと第二のコネクタに過剰な力が加えられるのを防ぎ、第一のコネクタと第二のコネクタの故障を防ぐことができる場合がある。また、押圧部により遊技盤には本体から取りはずす方向に力が加えられているので、本体から取り外すときに第一のコネクタと第二のコネクタの解除を容易にし、メンテナンス性を向上させることができる場合がある。
【０６７８】
遊技盤の表面（例えば、遊技領域１２４が設けられた面）に第二のコネクタを配置してもよい。
【０６７９】
また、遊技盤の表面（例えば、遊技領域１２４が設けられた面）に第三のコネクタを配置してもよい。
【０６８０】
また、遊技盤の表面（例えば、遊技領域１２４が設けられた面）に第六のコネクタを配置してもよい。
【０６８１】
遊技盤の裏面（例えば、遊技領域１２４が設けられた面の裏面、遊技盤における主基板や副基板が設けられている面）に第二のコネクタを配置してもよい。
【０６８２】
また、遊技盤の裏面（例えば、遊技領域１２４が設けられた面の裏面、遊技盤における主基板や副基板が設けられている面）に第三のコネクタを配置してもよい。
【０６８３】
また、遊技盤の裏面（例えば、遊技領域１２４が設けられた面の裏面、遊技盤における主基板や副基板が設けられている面）に第六のコネクタを配置してもよい。
【０６８４】
＜付記２＞
なお、以上説明した本発明は、
１．  第一のコネクタ（例えば７００ａ、１０４ａ、１０４ａ１、２００ａ２、１０４ａ３、２００ａ４）を設けた第一の部品（例えば７００、１０４、２００）と、
第二のコネクタ（例えば７０１ａ、２００ａ、２００ａ１、１０４ａ２、２００ａ３、１０４ａ４）を設けた第二の部品（例えば７０１、２００、１０４）と、を備え、
前記第一のコネクタと前記第二のコネクタとを接続することにより、前記第一の部品と前記第二の部品とが電気的に接続状態となる遊技台であって、
コネクタ接続部（例えば７０１ｂ、２００ｂ、２００ｂ１、１０４ｂ２、２００ｂ３、１０４ｂ４）が前記第二のコネクタと前記第二の部品との間に設けられ、
前記第一の部品から、前記第一のコネクタにおける前記第二のコネクタと接触する接触部まで、の高さは第一の高さであり、
前記第二の部品から、前記コネクタ接続部を介し前記第二のコネクタにおける前記第一のコネクタと接触する接触部まで、の高さは第二の高さであり、
前記第一の高さと前記第二の高さを異ならせた
ことを特徴とする遊技台、としたので、
第二のコネクタと第二の部品との間にコネクタ接続部を設けることにより、壊れやすいコネクタを明確にし、故障を発見しやすくなる場合がある。また、組み立て作業をおこなう際、壊れやすいコネクタが明確であると、慎重に組み立て作業をおこなうので、接続不良による故障を減らすことができる場合がある。
【０６８５】
なお、第一のコネクタおよび第二のコネクタは第一の部品と第二の部品を電気的に接続可能なものであれば、種類を問わない。
【０６８６】
コネクタの具体例として、ハーネスで接続するコネクタやフローティングコネクタなどが挙げられる。
【０６８７】
また、本発明は、
２．
１．に記載の遊技台であって、
前記第一の部品および前記第二の部品のうちの一方は遊技領域を有する遊技盤であり、
他方は該遊技盤を収容する収容部（例えば１０４ｅ）を有する本体であり、
前記収容部に前記遊技盤が収容された状態では、前記第一のコネクタおよび前記第二のコネクタは接続状態であり、
前記収容部の一側縁には、前記遊技盤を前記収容部へ収容する際に該遊技盤を回転支持する支持部（例えば１０４ｄ）が設けられ、
前記支持部に回転支持された前記遊技盤を前記収容部へ収容すると、前記第一のコネクタと前記第二のコネクタとが接続するよう構成されており、
前記第一のコネクタおよび前記第二のコネクタのうち少なくとも一方は接続方向に対し直交する面内で移動自在に設けられている
ことを特徴とする遊技台、としたので、
遊技盤と本体の複雑な配線を解消し、組み立て時の接続ミスを減らす場合がある。また、壊れやすいコネクタを明確にし、接続不良や故障を発見しやすくすることができる場合がある。
【０６８８】
なお、「接続方向に対し直交する面内で移動自在」とは、「少なくとも接続方向に対し直交する面内で移動自在」との意味であり、接続方向に対し直交する面内以外であっても移動自在であってもよい。
【０６８９】
「第一のコネクタおよび第二のコネクタのうち少なくとも一方は接続方向に対し直交する面内で移動自在に設けられている」ので、第一のコネクタと第二のコネクタの一方または両方にフローティングコネクタを使用しても良い。
【０６９０】
また、本発明は、
３．
２．に記載の遊技台であって、
第三のコネクタ（例えば２００ａ１、１０４ａ３）が前記遊技盤における前記第一のコネクタ（例えば２００ａ２、１０４ａ４）と隣り合う位置に設けられ、
第四のコネクタ（例えば１０４ａ１、２００ａ４）が、前記本体における前記第二のコネクタ（例えば１０４ａ２、２００ａ３）と隣り合い、
かつ、前記収容部に前記遊技盤が収容された状態において前記第三のコネクタと接続される位置に設けられ、
前記支持部から前記第二のコネクタまでは第一の距離があり、
前記支持部から前記第四のコネクタまでは第二の距離があり、
前記第一の距離よりも前記第二の距離が長い
ことを特徴とする遊技台、としたので、
支持部を中心に回転して遊技盤を収容部に収容することで、内周側の第一のコネクタが第二のコネクタに接した後、外周側の第三のコネクタが第四のコネクタに接するので、第一のコネクタもしくは第二のコネクタを確認すれば接続不良や故障を発見できる場合がある。
【０６９１】
なお、第三のコネクタおよび第四のコネクタのうち一方または両方にフローティングコネクタを使用してもよいし、またはフローティングコネクタを使用しなくてもよい。
【０６９２】
第一のコネクタ（第二のコネクタ）と第三のコネクタ（第四のコネクタ）との間に他のコネクタを配置してもよいし、または配置しなくてもよい。
【０６９３】
また、本発明は、
４．
３．に記載の遊技台であって、
前記コネクタ接続部は、
前記第二のコネクタと前記本体との間に設けられた第二のコネクタ接続部と、
前記第三のコネクタと前記遊技盤との間に設けられた第三のコネクタ接続部と、からなり、
前記遊技盤から、前記コネクタ接続部を介し前記第三のコネクタにおける前記第四のコネクタと接触する接触部まで、の高さは第三の高さであり、
前記本体から、前記第四のコネクタにおける前記第三のコネクタと接触する接触部まで、の高さは第四の高さであり、
前記第一の高さは前記第三の高さと異なり、前記第二の高さは第四の高さと異なる
ことを特徴とする遊技台、としたので、
隣り合うコネクタの高さを異ならせることにより、コネクタが複数接続される場合であっても壊れやすいコネクタを明確にし、故障を発見しやすくなる場合がある。
【０６９４】
なお、第一のコネクタ（第二のコネクタ）と第三のコネクタ（第四のコネクタ）との間に他のコネクタを配置する場合、他のコネクタの高さは第一のコネクタまたは第三のコネクタと等しくしてもよいし、または異ならせてもよい。
【０６９５】
また、本発明は、
５．
３．または４．に記載の遊技台であって、
前記第一のコネクタおよび前記第二のコネクタは、前記支持部に支持される前記遊技盤の第一の端よりも該第一の端とは逆の第二の端に近い位置に配置され、
前記第三のコネクタの接続面における長辺は、前記第一のコネクタの接続面における長辺より長く、
前記第三のコネクタは、前記第三のコネクタの接続面における長辺と前記第二の端が平行になるように配置されている
ことを特徴とする遊技台、としたので、
第三のコネクタの接続面における長辺を第一のコネクタの接続面における長辺より長くすることにより、第三のコネクタは外部からの衝撃を吸収しやすく（長いことにより衝撃を分散し）、第一のコネクタよりも壊れにくくなる場合がある。
【０６９６】
なお、第一のコネクタ（第二のコネクタ）と第三のコネクタ（第四のコネクタ）との間に他のコネクタを配置する場合、他のコネクタの長辺は第一のコネクタまたは第三のコネクタと等しくしてもよいし、または異ならせてもよい。
【０６９７】
「第三のコネクタの接続面における長辺は、前記第一のコネクタの接続面における長辺より長く」とは、「第三のコネクタの接続面における長辺は、少なくとも前記第一のコネクタの接続面における長辺より長く」の意味であり、第一のコネクタと第三のコネクタとの間に他のコネクタを配置する場合、第三のコネクタの接続面における長辺は他のコネクタの接続面における長辺と等しくしてもよいし、または長くしてもよいし、もしくは短くしてもよい。
【０６９８】
また、本発明は、
６．
３．乃至５．のうちのいずれか１項に記載の遊技台であって、
遊技動作を制御する主基板（例えば１５６、７０２）と、
前記主基板の指令により制御をおこなう副基板（例えば１６０、１６４、７０３）と、を備え、
前記主基板は、前記第一のコネクタおよび前記第二のコネクタにより接続され、
前記副基板は、前記第三のコネクタおよび前記第四のコネクタにより接続される
ことを特徴とする遊技台、としたので、
主基板へ接続される第一のコネクタおよび第二のコネクタを支持部に近い位置に置くことで、第一のコネクタおよび第二のコネクタは壊れやすい位置に配置され、故障した際は完全に遊技ができない状態にし、誤動作による遊技者やホールへの不利益を最小限にすることができる場合がある。
【０６９９】
なお、「前記主基板は、前記第一のコネクタおよび前記第二のコネクタにより接続」とは、「少なくとも前記主基板は、前記第一のコネクタおよび前記第二のコネクタにより接続」の意味であり、他の基板（例えば、払出基板、発射基板、電源基板など）を接続してもよい。
【０７００】
また、「前記副基板は、前記第三のコネクタおよび前記第四のコネクタにより接続」とは、「少なくとも前記副基板は、前記第三のコネクタおよび前記第四のコネクタにより接続」の意味であり、他の基板（例えば、払出基板、発射基板、電源基板など）を接続してもよい。
【０７０１】
＜付記３＞
なお、以上説明した本発明は、
１．
遊技領域を有する遊技盤（例えば、２００）と、
前記遊技盤を収容する収容部を有する本体（例えば、１０４）と、
前記本体の所定の部位に設けられた第一のコネクタ（例えば７００ａ、１０４ａ、１０４ａ１、２００ａ２、１０４ａ３、２００ａ４）と、
前記遊技盤の所定の部位に設けられた第二のコネクタ（例えば７０１ａ、２００ａ、２００ａ１、１０４ａ２、２００ａ３、１０４ａ４）と、
を備えた遊技台であって、
前記本体は、前記遊技盤を収容する収容部（例えば、１０４ｅ）を備え、
前記第一のコネクタと前記第二のコネクタは電気的に接続可能に構成され、
前記第一のコネクタおよび前記第二のコネクタのうち少なくとも一方は、フローティングコネクタであり、
前記第二のコネクタは、前記遊技盤の両側端のうちの第一の端よりも第二の端の近くに配置され、
前記本体の所定の部位から前記第一のコネクタにおける前記第二のコネクタと接触する接触部までの距離は、第一の距離（例えば、Ｈ２）であり、
前記遊技盤の所定の部位から前記第二のコネクタにおける前記第一のコネクタと接触する接触部までの距離を、第二の距離（例えば、Ｈ１）とした
ことを特徴とする遊技台、としたので、
本体の基準となる部位から第一のコネクタまでの距離と、遊技盤の基準となる部位から第二のコネクタまでの距離とを異ならせるので、一方のコネクタを壊れやすくし、もう一方のコネクタを壊れにくくすることができる場合がある。
【０７０２】
また、点検を行う場合は、壊れやすいコネクタを確認すれば故障の有無を確認できるため、メンテナンス性を向上させることができる場合がある。
【０７０３】
また、本発明は、
２．
１．に記載の遊技台において、
前記遊技盤の所定の部位および前記本体の所定の部位は、前記収容部に該遊技盤が収容された場合に当接する
ことを特徴とする遊技台、としたので、
本体の基準となる部位から第一のコネクタまでの距離と、遊技盤の基準となる部位から第二のコネクタまでの距離とを異ならせるので、一方のコネクタを壊れやすくし、もう一方のコネクタを壊れにくくすることができる場合がある。
【０７０４】
また、点検を行う場合は、壊れやすいコネクタを確認すれば故障の有無を確認できるため、メンテナンス性を向上させることができる場合がある。
【０７０５】
また、本発明は、
３．
１．または２．に記載の遊技台において、
前記本体に設けられた第三のコネクタ（例えば２００ａ１、１０４ａ３）と、
前記遊技盤に設けられた第四のコネクタ（例えば１０４ａ１、２００ａ４）と、
を備え、
前記第三のコネクタと前記第四のコネクタは電気的に接続可能に構成され、
前記第三のコネクタは、前記第一のコネクタ（例えば２００ａ２、１０４ａ４）と隣り合う位置に設けられ、
前記第四のコネクタは、前記第二のコネクタ（例えば１０４ａ２、２００ａ３）と隣り合う位置に設けられる
ことを特徴とする遊技台、としたので、
第一のコネクタおよび第二のコネクタのうち壊れやすいコネクタと隣り合う位置に第三のコネクタまたは第四のコネクタを配置させるため、第三のコネクタまたは第四のコネクタの破損を防ぐことができる場合がある。
【０７０６】
また、本発明は、
４．
１．ないし３．のうちのいずれか１項に記載の遊技台において、
前記第二のコネクタは、前記遊技領域の外側であって且つ前記遊技盤の裏面に設けられている
ことを特徴とする遊技台、としたので、
遊技領域の外側であって且つ遊技盤の裏面に第二のコネクタを配置することにより、コネクタ接続時の衝撃を遊技領域に与えるのを防ぐことができる場合がある。
【０７０７】
また、本発明は、
５．
１．ないし４．のうちのいずれか１項に記載の遊技台において、
前記本体に、扉体を回転可能に支持するヒンジ部（例えば、１１２、１０４ｃ）を備え、
前記ヒンジ部は、前記本体の両側端のうちの一方の端よりも他方の端の近くに設けられ、
前記第一のコネクタは、前記他方の端よりも前記一方の端の近くに設けられている
ことを特徴とする遊技台、としたので、
ヒンジ部から離れた位置に第一のコネクタを配置することにより、収納時の衝撃を第一のコネクタおよび第二のコネクタに与えやすくさせるので、故障や接続不良が起こった場合にまずコネクタを見ればよく、メンテナンス性を向上させることができる場合がある。
【０７０８】
また、本発明は、
６．
１．ないし５．のうちのいずれか１項に記載の遊技台において、
遊技に関する制御を行う基板（例えば１５６、７０２、１６０、１６４、７０３）を備え、
前記遊技盤は、該遊技盤の裏面に前記基板が設置可能な基板設置領域を備え、
前記第二のコネクタは、前記基板設置領域と異なる領域に配置される
ことを特徴とする遊技台、としたので、
基板と異なる領域に第二のコネクタを設けることにより、コネクタの接続不良による基板の破損を防ぐことができる場合がある。また、遊技台に動作不良が起こった場合は、まず２つのコネクタの接続を確認すればよいため、メンテナンス性を向上させることができる場合がある。
【０７０９】
＜付記４＞
なお、以上説明した本発明は、
１．
遊技盤（例えば遊技盤２００）を取り付け可能な本体（例えば本体１０４）と、
前記本体に設けられた第一のコネクタ（例えばコネクタ７００ａ、１０４ａ、１０４ａ１、１０４ａ２、１０４ａ３、１０４ａ４、１０４ａ５、１０４ａ６、１０４ａ７、１０４ａ８、１０４ａ９、７０７ａ、７０７ｂ、７０７ｃ）と、
前記遊技盤に設けられた第二のコネクタ（例えば７０１ａ、２００ａ、２００ａ１、２００ａ２、２００ａ３、２００ａ４、２００ａ５、２００ａ６、２００ａ７、２００ａ８、２００ａ９、７０６ａ、７０６ｂ、７０６ｃ）と、
前記本体に設けられた第三のコネクタ（例えばコネクタ１０４ａ１、１０４ａ４、１０４ａ６、１０４ａ７、７０７ｂ、７０７ｃ）と、
前記遊技盤に設けられた第四のコネクタ（例えばコネクタ２００ａ１、２００ａ４、２００ａ６、２００ａ７、７０６ｂ、７０６ｃ）と、
を備えた遊技台であって、
前記第一のコネクタは、前記第二のコネクタと電気的に接続可能なものであり、
前記第三のコネクタは、前記第四のコネクタと電気的に接続可能なものであり、
前記第二のコネクタは、前記遊技盤の両側端のうちの第一の端よりも第二の端に近い位置に設けられたものであり、
前記第四のコネクタは、前記第一の端よりも前記第二の端に近い位置に設けられたものであり、
前記第二のコネクタの少なくとも一部は、前記遊技盤が前記本体に取り付けられた状態において、前記第四のコネクタよりも後方に位置するものであり、
前記第二のコネクタおよび前記第四のコネクタのうちの少なくとも一方のコネクタは、前記遊技盤の上端側よりも下端側に近い位置に設けられたものである、
ことを特徴とする遊技台、としたので、
メンテナンス性を向上させた遊技台を提供することができる。
【０７１０】
また、コネクタが複数あることにより、第一のコネクタおよび第二のコネクタへ加わる力を分散させ、第一のコネクタと第二のコネクタの故障を防ぐことができる場合がある。
【０７１１】
また、高さの異なるコネクタを遊技盤に設けることで、壊れやすいコネクタを明確にすることができ、コネクタを全て検査せずとも、壊れやすいコネクタの方だけを確認すれば、コネクタの故障の有無を認識可能であるので、メンテナンス性を向上させることができる場合がある。
【０７１２】
また、遊技盤の取り付け時は、遊技盤の下端側が上端側よりも安定しており、コネクタを壊れにくくすることができる場合がある。
【０７１３】
また本発明は、
２．
１．に記載の遊技台において、
前記第一のコネクタおよび前記第二のコネクタのうちの少なくとも一方のコネクタは、フローティングコネクタであり、
前記第三のコネクタおよび前記第四のコネクタのうちの少なくとも一方のコネクタは、フローティングコネクタである、
ことを特徴とする遊技台、としたので、
コネクタの接続と解除を容易に行えるので、メンテナンス性を向上させることができる場合がある。
【０７１４】
また本発明は、
３．
２．に記載の遊技台において、
前記フローティングコネクタは、該フローティングコネクタと電気的に接続可能なコネクタの接続面に対して、少なくとも平行な面内で移動可能なものである、
ことを特徴とする遊技台、としたので、
コネクタの接続と解除を容易に行えるので、メンテナンス性を向上させることができる場合がある。
【０７１５】
また本発明は、
４．
１．ないし３．のうちのいずれか１項に記載の遊技台において、
前記第三のコネクタの一部は、前記遊技盤が前記本体に取り付けられた状態において、前記第一のコネクタよりも前方に位置するものである、
ことを特徴とする遊技台、としたので、
壊れやすいコネクタを明確にするとともに、壊れやすいコネクタへ加わる力を分散させるため、壊れやすいコネクタの故障を防ぐことができる場合がある。
【０７１６】
また本発明は、
５．
１．ないし４．のうちのいずれか１項に記載の遊技台において、
前記第二のコネクタの一部は、前記第二のコネクタの先端であり、
前記第二のコネクタの前記先端は、該第二のコネクタにおける最も前記後方に位置するものである、
ことを特徴とする遊技台、としたので、
コネクタが複数あることにより、第一のコネクタおよび第二のコネクタへ加わる力を分散させ、第一のコネクタと第二のコネクタの故障を防ぐことができる場合がある。
【０７１７】
また、高さの異なるコネクタを遊技盤に設けることで、壊れやすいコネクタを明確にすることができ、コネクタを全て検査せずとも、壊れやすいコネクタの方だけを確認すれば、コネクタの故障の有無を認識可能であるので、メンテナンス性を向上させることができる場合がある。
【０７１８】
また、遊技盤の取り付け時は、遊技盤の下端側が上端側よりも安定しており、コネクタを壊れにくくすることができる場合がある。
【０７１９】
また本発明は、
６．
１．ないし５．のうちのいずれか１項に記載の遊技台において、
前記第二のコネクタが前記第一のコネクタに押し付けられて接続することで前記第二のコネクタと前記第一のコネクタとが電気的に接続し、
前記第四のコネクタが前記第三のコネクタに押し付けられて接続することで前記第四のコネクタと前記第三のコネクタとが電気的に接続する、
ことを特徴とする遊技台、としたので、
コネクタが複数あることにより、第一のコネクタおよび第二のコネクタへ加わる力を分散させ、第一のコネクタと第二のコネクタの故障を防ぐことができる場合がある。
【０７２０】
また、高さの異なるコネクタを遊技盤に設けることで、壊れやすいコネクタを明確にすることができ、コネクタを全て検査せずとも、壊れやすいコネクタの方だけを確認すれば、コネクタの故障の有無を認識可能であるので、メンテナンス性を向上させることができる場合がある。
【０７２１】
また、遊技盤の取り付け時は、遊技盤の下端側が上端側よりも安定しており、コネクタを壊れにくくすることができる場合がある。
【０７２２】
また本発明は、
７．
１．ないし６．のうちのいずれか１項に記載の遊技台において、
前記遊技盤の前方に遊技領域（例えば遊技領域１２４）が設けられており、
前記後方は、前記前方の逆側である、
ことを特徴とする遊技台、としたので、
遊技領域を広くし、装飾効果を高めることができる場合がある。
【０７２３】
また本発明は、
８．
１．ないし７．のうちのいずれか１項に記載の遊技台において、
前記遊技盤は、第一の基板（例えば基板７０５）を有し、
前記遊技盤は、第二の基板（例えば基板７０４）を有し、
前記第一の基板には、前記第二のコネクタが設けられており、
前記第二の基板には、前記第四のコネクタが設けられている、
ことを特徴とする遊技台、としたので、
一方のコネクタ（例えば、第二のコネクタ）への外部からの衝撃が他方のコネクタ（例えば第四のコネクタ）へ伝わりにくく、コネクタを壊れにくくすることができる場合がある。
【０７２４】
また本発明は、
９．
１．ないし８．のうちのいずれか１項に記載の遊技台において、
前記第二のコネクタにおける前記第一のコネクタとの接続面の長辺の長さは、第一の長さであり、
前記第四のコネクタにおける前記第三のコネクタとの接続面の長辺の長さは、第二の長さであり、
前記第一の長さは、前記第二の長さと異なる、
ことを特徴とする遊技台、としたので、
衝撃が分散され、壊れにくくなる場合がある。
【０７２５】
また本発明は、
１０．
１．ないし９．のうちのいずれか１項に記載の遊技台において、
前記遊技盤は、遊技動作の制御を少なくとも実行可能な主制御部（例えば主制御部３００）を構成する主基板（例えば主基板１５６）を備え、
前記遊技盤は、前記主制御部の指令により制御を少なくとも実行可能な副制御部（例えば第１副制御部４００、第２副制御部５００）を構成する副基板（例えば第１副基板１６０、第２副基板１６４）を備え、
前記第二のコネクタおよび前記第四のコネクタは、前記遊技盤の前記主基板および前記副基板が配置される領域と異なる領域に配置される、
ことを特徴とする遊技台、としたので、
主基板および副基板と異なる領域に第二のコネクタを設けることにより、コネクタの接続不良による主基板や副基板の破損を防ぐことができる場合がある。
【０７２６】
また、遊技台に動作不良が起こった場合は、まず２つのコネクタの接続を確認すればよいため、メンテナンス性を向上させることができる場合がある。
【０７２７】
＜付記５＞
なお、以上説明した本発明は、
１．
第一の部品（例えば遊技盤２００、本体１０４）と、
第二の部品（例えば本体１０４、外枠１０２）と、
前記第一の部品に設けられた第一のコネクタと、
前記第二の部品に設けられた第二のコネクタと、
を備えた遊技台であって、
前記第一のコネクタと前記第二のコネクタとは電気的に接続可能に構成され、
前記第一のコネクタおよび前記第二のコネクタのうち少なくとも一方はフローティングコネクタであり、
前記第二の部品には、所定の受け部が設けられており、
前記受け部は、前記第一の部品からの第一の方向の力を受けることが可能であり、
前記第一のコネクタと前記第二のコネクタとは、前記第一の方向と異なる第二の方向に接続可能である
ことを特徴とする遊技台、としたので、
メンテナンス性を向上させることができる。
【０７２８】
また、電気的な接続に異常がある場合、受け部を確認すればよいので、メンテナンス性が向上することができる場合がある。
【０７２９】
また本発明は、
２．
１．に記載の遊技台において、
前記所定の受け部は、前記第一の部品を前記第二の部品の所定位置まで案内する所定の案内部であり、
前記第一の部品の底面とは異なる面に、前記所定の案内部に案内される所定の被案内部が設けられる
ことを特徴とする遊技台、としたので、
電気的な接続に異常がある場合、案内部を確認すればよいので、メンテナンス性が向上することができる場合がある。
【０７３０】
また本発明は、
３．
２．に記載の遊技台において、
前記所定の案内部は、少なくとも第一の案内部と第二の案内部とを含み、
前記所定の被案内部は、
前記第一の案内部によって、該第一の案内部の所定位置まで案内される第一の被案内部と、
前記第二の案内部によって、該第二の案内部の所定位置まで案内される第二の被案内部と、
を少なくとも含む
ことを特徴とする遊技台、としたので、
案内部の１つに異常があった場合でも、正常な案内部に荷重が加わるため、フローティングコネクタに荷重がかかることを防ぐことができる場合がある。
【０７３１】
また本発明は、
４．
２．または３．のうちのいずれか１項に記載の遊技台において、
前記第一の部品は、遊技領域を備えた遊技盤であり、
前記第二の部品は、前記遊技盤を取付可能な本体であり、
前記第一の方向の力は、前記第一の部品の底面から前記所定の案内部へ与えられる重力であり、
前記第二の方向は水平方向であり、
前記第一のコネクタにおける前記第二のコネクタとの接続面の長手方向は、前記第一の部品の底面と平行である
ことを特徴とする遊技台、としたので、
電気的な接続に異常がある場合、案内部を確認すればよいので、メンテナンス性が向上することができる場合がある。
【０７３２】
また本発明は、
５．
４．に記載の遊技台において、
前記遊技盤は、第三のコネクタを備え、
前記本体は、第四のコネクタを備え、
前記第三のコネクタと第四のコネクタとは、電気的に接続可能に構成され、
前記第一のコネクタの所定の辺と前記第三のコネクタの所定の辺が向かい合うように配置される
ことを特徴とする遊技台、としたので、
案内部に異常がある場合に、コネクタへ加わる荷重を分散させることができる場合がある。また、コネクタの異常があった場合に、コネクタを見れば案内部の故障か、それ以外の故障かを見分けることができ、メンテナンス性を向上させることができる場合がある。
【０７３３】
また本発明は、
６．
４．または５．に記載の遊技台において、
前記第二のコネクタはフローティングコネクタであり、
前記第一のコネクタはフローティングコネクタを接続可能であって、前記本体に固定されたコネクタである
ことを特徴とする遊技台、としたので、
接続時に違和感があることで、コネクタに異常が発生する前に案内部の異常を発見することができ、メンテナンス性を向上させる。
【０７３４】
また本発明において、
前記本体は、前記遊技盤の前記第一の端を支持(固定)する支持部を備える場合がある。
【０７３５】
この場合、メンテナンス性を向上させることができる場合があり、また、押圧部が第一のコネクタと第二のコネクタの近くに配置されていることにより、遊技盤の取り付け時に第一のコネクタと第二のコネクタに過剰な力が加えられるのを防ぎ、第一のコネクタと第二のコネクタの故障を防ぐことができる場合がある。また、押圧部により遊技盤には本体から取りはずす方向に力が加えられているので、本体から取り外すときに第一のコネクタと第二のコネクタの解除を容易にし、メンテナンス性を向上させることができる場合がある。
【０７３６】
＜付記６＞
なお、以上説明した本発明は、
１．
遊技盤（例えば遊技盤２００）を取り付け可能な本体（例えば本体１０４）と、
前記本体に設けられた第一の接続手段（例えば、第一のコネクタ１０４ａ７、コネクタ７０７ａ）と、
前記本体に設けられた第三の接続手段（例えば、第三のコネクタ１０４ａ８、コネクタ７０７ｂ、コネクタ７０７ｃ）と、
を備えた遊技台であって、
前記遊技盤の裏面には、部品（例えば、部品１２０５、裏通路ユニット７１６、主基板ユニットベース７１５、主基板ケース１５８、裏カバー７１４、演出手段７１２、演出手段７１３、第２副基板ケース１６６）が設けられており、
前記遊技盤の裏面には、第二の接続手段（例えば、第二のコネクタ２００ａ７、コネクタ７０６ａ）が設けられており、
前記遊技盤の裏面には、第四の接続手段（例えば、第四のコネクタ２００ａ８、コネクタ７０７ｂ、コネクタ７０７ｃ）が設けられており、
前記第一の接続手段と前記第二の接続手段は、電気的に接続可能に少なくとも構成され、
前記第三の接続手段と前記第四の接続手段は、電気的に接続可能に少なくとも構成され、
前記第一の接続手段および第二の接続手段のうちの少なくとも一方の接続手段は、フローティングコネクタであり、
前記第三の接続手段および第四の接続手段のうちの少なくとも一方の接続手段は、フローティングコネクタであり、
前記本体に前記遊技盤が取り付けられた状態において、前記第二の接続手段における最も後方に位置している部位は、第一の部位（例えば、第二のコネクタ２００ａ７における第一のコネクタ１０４ａ７と接触する接触部、コネクタ７０６ａにおけるコネクタ７０７ａと接触する接触部）であり、
前記本体に前記遊技盤が取り付けられた状態において、前記第四の接続手段における最も後方に位置している部位は、第二の部位であり（例えば、第四のコネクタ２００ａ８における第三のコネクタ１０４ａ８と接触する接触部、コネクタ７０６ｂにおけるコネクタ７０７ｂと接触する接触部、、コネクタ７０６ｃにおけるコネクタ７０７ｃと接触する接触部）、
前記本体に前記遊技盤が取り付けられた状態において、前記部品における最も後方に位置している部位は、第三の部位（例えば、部品１２０５の上面、裏通路ユニット７１６の裏面、主基板ユニットベース７１５の裏面、主基板ケース１５８の裏面、裏カバー７１４の裏面、演出手段７１２の裏面、演出手段７１３の裏面、第２副基板ケース１６６の裏面）であり、
前記本体に前記遊技盤が取り付けられた状態において、前記第二の部位は、少なくとも前記第一の部位よりも後方に位置し、
前記本体に前記遊技盤が取り付けられた状態において、前記第三の部位は、少なくとも前記第二の部位よりも後方に位置している、
ことを特徴とする遊技台、としたので、
メンテナンス性を向上させることができる。
【０７３７】
また、外力から接続手段を守り、接続手段の破損を防ぐことができる場合がある。
【０７３８】
また、壊れやすい接続手段を明確にし、壊れやすい接続手段の破損を防ぐことができる場合がある。
【０７３９】
また、接続不良が起きた場合は、壊れやすい接続手段を確認すればよいので、メンテナンス性を向上させることができる場合がある。
【０７４０】
また本発明は、
２．
１．に記載の遊技台において、
前記第一の接続手段は、第一のコネクタ（例えば、第一のコネクタ１０４ａ７、コネクタ７０７ａ）と、第一の取付手段（例えば、コネクタ接続部１０４ｂ７、ドロワベース７０７ｄ）から少なくとも構成され、
前記第二の接続手段は、第二のコネクタ（例えば、第二のコネクタ２００ａ７、コネクタ７０６ａ）と、第二の取付手段（例えば、コネクタ接続部２００ｂ７、ドロワベース７０８）から少なくとも構成され、
前記第三の接続手段は、第三のコネクタ（例えば、第三のコネクタ１０４ａ８、コネクタ７０７ｂ、コネクタ７０７ｃ）と、第三の取付手段（例えば、コネクタ接続部１０４ｂ８、ドロワベース７０７ｄ）から少なくとも構成され、
前記第四の接続手段は、第四のコネクタ（例えば、第四のコネクタ２００ａ８、コネクタ７０６ｂ、コネクタ７０６ｃ）と、第四の取付手段（例えば、コネクタ接続部２００ｂ８、ドロワベース７０８）から少なくとも構成され、
前記第一のコネクタおよび第二のコネクタのうちの少なくとも一方のコネクタは、前記フローティングコネクタであり、
前記第三のコネクタおよび第四のコネクタのうちの少なくとも一方のコネクタは、前記フローティングコネクタである、
ことを特徴とする遊技台、としたので、
外力からコネクタを守り、コネクタの破損を防ぐことができる場合がある。
【０７４１】
また本発明は、
３．
１．または２．に記載の遊技台において、
前記部品は、複数の部品（例えば、図７５における演出手段７１１、演出手段７１２、演出手段７１３、主基板ケース１５８、第１副基板ケース１６２、第２副基板ケース１６６、液晶表示装置２０８）から構成されている、
ことを特徴とする遊技台、としたので、
外力から接続手段を守り、接続手段の破損を防ぐことができる場合がある。
【０７４２】
また、壊れやすい接続手段を明確にし、壊れやすい接続手段の破損を防ぐことができる場合がある。
【０７４３】
また、接続不良が起きた場合は、壊れやすい接続手段を確認すればよいので、メンテナンス性を向上させることができる場合がある。
【０７４４】
また本発明は、
４．
２．または３．に記載の遊技台において、
前記第二のコネクタ（例えば、図８９（ａ）〜（ｄ）、図９０（ａ）〜（ｂ）のコネクタ７３７、図９０（ｃ）のコネクタ７４７）における前記第二の取付手段（例えば、図８９（ａ）〜（ｄ）、図９０（ａ）〜（ｂ）のコネクタ接続部７３５、図９０（ｃ）のコネクタ接続部７４５）と少なくとも接触可能な部位は、第四の部位（例えば、コネクタ７３７とコネクタ接続部７３５が接触する部位、コネクタ７４７とコネクタ接続部７４５が接触する部位）であり、
前記第四のコネクタ（例えば、図８９（ａ）〜（ｄ）、図９０（ａ）〜（ｂ）のコネクタ７３８、図９０（ｃ）のコネクタ７４８）における前記第四の取付手段（例えば、図８９（ａ）〜（ｄ）、図９０（ａ）〜（ｂ）のコネクタ接続部７３５、図９０（ｃ）のコネクタ接続部７４５）と少なくとも接触可能な部位は、第五の部位（例えば、コネクタ７３８とコネクタ接続部７３５が接触する部位、コネクタ７４８とコネクタ接続部７４５が接触する部位）であり、
前記第四の部位から前記第一の部位までの高さは、第一の高さ（例えば、コネクタ７３７の高さ、コネクタ７４７の高さ）であり、
前記第五の部位から前記第二の部位までの高さは、第二の高さ（例えば、コネクタ７３８の高さ、コネクタ７４８の高さ）であり、
前記第一の高さは、前記第二の高さと同じである、
ことを特徴とする遊技台、としたので、
外力から接続手段を守り、接続手段の破損を防ぐことができる場合がある。
【０７４５】
また、壊れやすい接続手段を明確にし、壊れやすい接続手段の破損を防ぐことができる場合がある。
【０７４６】
また、接続不良が起きた場合は、壊れやすい接続手段を確認すればよいので、メンテナンス性を向上させることができる場合がある。
【０７４７】
また本発明は、
５．
２．または４．に記載の遊技台において、
前記第二のコネクタ（例えば、図８９（ａ）〜（ｄ）、図９０（ａ）〜（ｂ）のコネクタ７３７、図９０（ｃ）のコネクタ７４７）における前記第二の取付手段（例えば、図８９（ａ）〜（ｄ）、図９０（ａ）〜（ｂ）のコネクタ接続部７３５、図９０（ｃ）のコネクタ接続部７４５）と少なくとも接触可能な部位は、第四の部位（例えば、コネクタ７３７とコネクタ接続部７３５が接触する部位、コネクタ７４７とコネクタ接続部７４５が接触する部位）であり、
前記第四のコネクタ（例えば、図８９（ａ）〜（ｄ）、図９０（ａ）〜（ｂ）のコネクタ７３８、図９０（ｃ）のコネクタ７４８）における前記第四の取付手段（例えば、図８９（ａ）〜（ｄ）、図９０（ａ）〜（ｂ）のコネクタ接続部７３５、図９０（ｃ）のコネクタ接続部７４５）と少なくとも接触可能な部位は、第五の部位（例えば、コネクタ７３８とコネクタ接続部７３５が接触する部位、コネクタ７４８とコネクタ接続部７４５が接触する部位）であり、
前記遊技盤（例えば、遊技盤２００の裏面７４１、裏面７５１）における前記第二の取付手段と少なくとも接触可能な部位は、第六の部位（例えば、裏面７４１とコネクタ接続部７３５が接触する部位、裏面７５１とコネクタ接続部７４５が接触する部位）であり、
前記遊技盤（例えば、遊技盤２００の裏面７４１、裏面７５１）における前記第四の取付手段と少なくとも接触可能な部位は、第七の部位（例えば、裏面７４１とコネクタ接続部７３５が接触する部位、裏面７５１とコネクタ接続部７４５が接触する部位）であり、
前記第四の部位は、前記第六の部位に対して第一の角度（図８９（ａ）〜（ｄ）、図９０（ａ）〜（ｃ）の角度θ１）で形成されており、
前記第五の部位は、前記第七の部位に対して第二の角度（図８９（ａ）〜（ｄ）、図９０（ａ）〜（ｃ）の角度θ２）で形成されている、
ことを特徴とする遊技台、としたので、
コネクタに必要以上に力が加わるのを防ぎ、コネクタの破損を防ぐことができる場合がある。
【０７４８】
＜その他の構成＞
また本発明は、
１．
前記遊技台において、
前記第三の接続手段の一部は、前記第一の接続手段よりも前方に位置している、
ことを特徴とする遊技台、としたので、
壊れやすいコネクタを明確にし、壊れやすいコネクタの破損を防ぐことができる場合がある。
【０７４９】
また、接続不良が起きた場合は、壊れやすいコネクタを確認すればよいので、メンテナンス性を向上させることができる場合がある。
【０７５０】
また本発明は、
２．
前記遊技台において、
前記第二の接続手段は、前記遊技盤の両側端のうちの第一の端（例えば、遊技盤を本体に収容するときに、他の端よりも先に遊技盤と本体が近づく端）よりも第二の端（例えば、遊技盤を本体に収容するときに、他の端よりも後に遊技盤と本体が近づく端）に近い位置に配置されたものである場合があり、
また、前記第四の接続手段は、前記第一の端よりも前記第二の端に近い位置に配置されたものである場合があり、
また、前記部品は、前記第二の接続手段および前記第四の接続手段よりも前記第一の端に近い位置に配置されたものである、
ことを特徴とする遊技台、としたので、
第二の接続手段と第四の接続手段を第二の端側に近い位置に配置することで、対応する接続手段に接続されるタイミングを近くし、接続ミスを防ぐことができる場合がある。
【０７５１】
なお、本体は、遊技盤を収容可能な収容部（例えば、収容部１０４ｅ）と、遊技盤を収容部へ収容した場合に遊技盤を支持する支持部（例えば、支持部１０４ｄ）を備えている場合において、遊技盤における支持部に支持される側は第一の端であり、他方が第二の端であってもよい。
【０７５２】
なお、本体は、遊技盤を収容可能な収容部と、遊技盤を収容部へ収容した場合に遊技盤を支持する支持部を備えている場合において、遊技盤における支持部に支持される側は第二の端であり、他方が第一の端であってもよい。
【０７５３】
なお、部品は、第二および第四の接続手段よりも第二の端に近い位置に設けられたものであってもよい。
【０７５４】
なお、部品は、第二の接続手段と第四の接続手段の間に設けられたものであってもよい。
【０７５５】
また本発明は、
３．
前記遊技台において、
前記部品の少なくとも一部が遊技領域（例えば、遊技領域１２４）に突出している、
ことを特徴とする遊技台、としたので、
外力から接続手段を守り、接続手段の破損を防ぐことができる場合がある。
【０７５６】
また、壊れやすい接続手段を明確にし、壊れやすい接続手段の破損を防ぐことができる場合がある。
【０７５７】
また、接続不良が起きた場合は、壊れやすい接続手段を確認すればよいので、メンテナンス性を向上させることができる場合がある。
【０７５８】
また、外力からコネクタを守り、コネクタの破損を防ぐことができる場合がある。
【０７５９】
なお、部品の一部は、アタッカーの扉部の少なくとも一部であってもよい。
【０７６０】
なお、部品の一部は、アタッカーの扉部及び球通路の一部であってもよい。
【０７６１】
なお、部品の一部は、始動口（例えば特図１始動口）の開口部および球通路の一部であってもよい。
【０７６２】
なお、部品の一部は、始動口（例えば電チュー、特図２始動口）の羽根部材および球通路の一部であってもよい。
【０７６３】
なお、部品の一部は、始動口（例えば電チュー、特図２始動口）の扉部の少なくとも一部であってのよい。
【０７６４】
なお、部品の一部は、装飾手段の一部であってもよい。
【０７６５】
なお、部品の一部は、演出可動手段の一部であってもよい。
【０７６６】
また本発明は、
４．
前記遊技台において、
前記部品は、前記基板を収納可能な基板ケース（例えば、主基板ケース１５８、第１副基板ケース１６２、第２副基板ケース１６６、払出基板ケース１７２、発射基板ケース１７６、電源基板ケース１８４）を少なくとも含むものである、
ことを特徴とする遊技台、としたので、
外力から基板および接続手段を守り、基板および接続手段の破損を防ぐことができる場合がある。基板ケースは基板を保護するものであり、むき出しになっている接続手段（例えばコネクタ）よりも外力に強い。基板は基板ケースによって保護されるが、基板だけを守っても、接続手段（例えばコネクタ）が壊れてしまうと遊技が出来なくなってしまう。そこで、本発明の構成によれば、基板および接続手段の両者を保護可能な場合がある。
【０７６７】
なお、基板は、遊技制御を実行可能な制御手段（例えば主制御部、第一副制御部、第二副制御部）を構成する基板（例えば主基板、副基板）であってもよい。
【０７６８】
また本発明は、
５．
前記遊技台において、
前記部品は、裏カバー（例えば、裏カバー１２００）を含むものである、
ことを特徴とする遊技台、としたので、
裏カバーによって部品（例えば基板ケース）および接続手段を外力から保護し、例えば基板ケースおよび接続手段の破損を防ぐことができる場合がある。
【０７６９】
また、ハーネスでの接続が行われている遊技台の場合は、上記と共にハーネスの破損も防ぐことが出来る場合がある。
【０７７０】
また本発明は、
６．
前記遊技台において、
前記取付手段は、少なくとも第一の基板（例えば基板７０５）と第二の基板（例えば基板７０４）を含む場合があり、
また、前記第二のコネクタは前記第一の基板に設けられており、前記第四のコネクタは前記第二の基板に設けられている場合がある、
ことを特徴とする遊技台、としたので、
一方のコネクタへの外力が他方のコネクタに伝わりにくく、コネクタを壊れにくくすることができる場合がある。
【０７７１】
なお、一の基板に第二のコネクタと第四のコネクタが少なくとも設けられていてもよい。
【０７７２】
なお、一の基板に設けられたコネクタは、第二のコネクタと第四のコネクタのみであってもよい。
【０７７３】
なお、一の基板に複数のコネクタが設けられており、複数のコネクタは第二のコネクタおよび第四のコネクタを含むものであってもよい。
【０７７４】
なお、第一の基板は、第二のコネクタを少なくとも設けているものであってもよい。
【０７７５】
なお、第一の基板に設けられたコネクタは、第二のコネクタのみであってもよい。
【０７７６】
なお、第一の基板は、複数のコネクタが設けられているものであり、複数のコネクタは第二のコネクタを含むものであってもよい。
【０７７７】
なお、第二の基板は、第四のコネクタを少なくとも設けているものであってもよい。
【０７７８】
なお、第二の基板に設けられたコネクタは、第四のコネクタのみであってもよい。
【０７７９】
なお、第二の基板は、複数のコネクタが設けられているものであり、複数のコネクタは第四のコネクタを含むものであってもよい。
【０７８０】
なお、取付手段は、少なくとも第一の基板および第二の基板が設けられているものであってもよい。
【０７８１】
なお、取付手段に設けられた基板は、第一の基板および第二の基板のみであってもよい。
【０７８２】
なお、取付手段は、複数の基板が設けられているものであり、複数の基板は第一および第二の基板を少なくとも含むものであってもよい。
【０７８３】
また本発明は、
７．
前記遊技台において、
隣り合うコネクタの前記取付手段（たとえば、コネクタ接続部１０４ｂ５’およびコネクタ接続部１０４ｂ６’、またはコネクタ接続部２００ｂ５’およびコネクタ接続部２００ｂ６’）は、一体的に形成されている、
ことを特徴とする遊技台、としたので、
取付手段を強くし、外力による破損を防ぐことが出来る場合がある。
【０７８４】
また本発明は、
８．
前記遊技台において、
隣り合うコネクタの前記取付手段（たとえば、コネクタ接続部１０４ｂ５およびコネクタ接続部１０４ｂ６、またはコネクタ接続部２００ｂ５およびコネクタ接続部２００ｂ６）は一体的に設けられていない、
ことを特徴とする遊技台、としたので、
取付手段の配置の自由度を高めることができる場合がある。
【０７８５】
また本発明は、
９．
前記遊技台において、
前記第二の取付手段と前記第四の取付手段の高さが異なる場合があり、
また、第一の取付手段と第三の取付手段の高さが異なる場合があり、
また、隣り合うコネクタの高さは同じである場合がある、
ことを特徴とする遊技台、としたので、
壊れやすいコネクタを明確にし、壊れやすいコネクタの破損を防ぐことができる場合がある。
【０７８６】
また、接続不良が起きた場合は、壊れやすいコネクタを確認すればよいので、メンテナンス性を向上させることができる場合がある。
【０７８７】
また本発明は、
１０．
前記遊技台において、
前記第二の取付手段と前記第四の取付手段の高さが同じである場合があり、
また、前記第一の取付手段と前記第三の取付手段の高さが同じである場合があり、
また、隣り合うコネクタの高さは異なるである場合がある、
ことを特徴とする遊技台、としたので、
壊れやすいコネクタを明確にし、壊れやすいコネクタの破損を防ぐことができる場合がある。
【０７８８】
また、接続不良が起きた場合は、壊れやすいコネクタを確認すればよいので、メンテナンス性を向上させることができる場合がある。
【０７８９】
また本発明は、
１１．
前記遊技台において、
前記部品は、前記遊技盤の裏側に取り付けられている、
ことを特徴とする遊技台、としたので、
外力から接続手段を守り、接続手段の破損を防ぐことができる場合がある。
【０７９０】
また、壊れやすい接続手段を明確にし、壊れやすい接続手段の破損を防ぐことができる場合がある。
【０７９１】
また、接続不良が起きた場合は、壊れやすい接続手段を確認すればよいので、メンテナンス性を向上させることができる場合がある。
【０７９２】
また、外力からコネクタを守り、コネクタの破損を防ぐことができる場合がある。
【０７９３】
また本発明は、
１２．
前記遊技台において、
前記本体に前記部品が設けられている場合があり、
また、前記部品の一部が前記第一の接続手段および前記第三の接続手段よりも前方に位置している場合がある、
ことを特徴とする遊技台、としたので、
外力から接続手段を守り、接続手段の破損を防ぐことができる場合がある。
【０７９４】
なお、本体は部品と一体的に形成されるようにしてもよい。
【０７９５】
なお、部品は、位置決め部（例えば、位置決め部材８６２）であってもよい。
【０７９６】
なお、本体に設けられた部品は、複数の部品から構成されているものであってもよい。
【０７９７】
＜コネクタについて＞
なお、第一および第二のコネクタのうちの一方のコネクタは、差込側コネクタ（オス側）であり、他方のコネクタは受け側コネクタ（メス側）であってもよい。
【０７９８】
なお、第三および第四のコネクタのうちの一方のコネクタは、差込側コネクタであり、他方のコネクタは受け側コネクタであってもよい。
【０７９９】
＜フローティングコネクタについて＞
なお、フローティングコネクタは、本体側および遊技盤側コネクタのうちの少なくとも一方のコネクタが、接続方向に対し直交する面内で移動自在であるものであってもよい。
【０８００】
なお、フローティングコネクタは、本体側および遊技盤側コネクタのうちの少なくとも一方のコネクタのみが、接続方向に対し直交する面内で移動自在であるものであってもよい。
【０８０１】
なお、フローティングコネクタは、本体側および遊技盤側コネクタの両方のコネクタが、接続方向に対し直交する面内で移動自在であるものであってもよい。
【０８０２】
また、なお、フローティングコネクタは、本体側および遊技盤側コネクタのうちの少なくとも一方のコネクタが、前記一方と電気的に接続可能な他方の接続面に対して、少なくとも平行な面内で移動可能なものであってもよい。
【０８０３】
なお、フローティングコネクタは、本体側および遊技盤側コネクタのうちの少なくとも一方のコネクタのみが、前記一方と電気的に接続可能な他方の接続面に対して、少なくとも平行な面内で移動可能なものであってもよい。
【０８０４】
なお、フローティングコネクタは、本体側および遊技盤側コネクタの両方のコネクタが、前記本体側および前記遊技盤側コネクタのうちの一方のコネクタと電気的に接続可能な他方の接続面に対して、少なくとも平行な面内で移動可能なものであってもよい。
【０８０５】
なお、フローティングコネクタの説明において、「接続方向に対し直交する面内で移動自在である」という記載を、換言したものが、「一方と電気的に接続可能な他方の接続面に対して、少なくとも平行な面内で移動可能である」という記載である場合がある。
【０８０６】
＜取付手段について＞
なお、取付手段と該取付手段に接続されているコネクタにおいて、
（ｉ）取付手段は、遊技盤との接続部で固定されており、コネクタのみが接続方向に対し直交する面内で移動自在であってもよい。
（ｉｉ）取付手段は、遊技盤との接続方向に対し直行する面内で移動自在であり、コネクタは、固定されているものであってもよい。
（ｉｉｉ）取付手段およびコネクタの両方が、遊技盤との接続方向に対し直行する面内で移動自在であってもよい
なお、取付手段は、少なくとも一の基板が設けられているものであってもよい。
【０８０７】
なお、取付手段は、基板を含んで構成されており、基板は一の基板のみであってもよい。
【０８０８】
なお、取付手段は、第一の基板と第二の基板を少なくとも含んで構成されるものであってもよい。
【０８０９】
なお、取付手段は、基板を含んで構成されており、基板は第一および第二の基板のみであってもよい。
【０８１０】
なお、取付手段は複数の基板を含んでおり、複数の基板は第一および第二の基板を少なくとも含むものであってもよい。
【０８１１】
なお、取付手段に段差が設けられていてもよい。
【０８１２】
なお、取付手段に段差が設けられていなくてもよい。
【０８１３】
なお、取付手段は、遊技盤における取付手段との接触部位に対して平行（または略平行）になるように設けられていてもよい。
【０８１４】
なお、隣りあう取付手段の高さが異なる場合において、隣り合うコネクタの高さが異なるものであってもよい。この場合、全体的（取付手段＋コネクタ）に同じ高さになってもよく、異なる高さになってもよい。
【０８１５】
なお、隣り合う取付手段の高さが同じ場合において、隣り合うコネクタの高さは同じものであってもよい。
【０８１６】
＜第一〜第四のコネクタ以外のコネクタについて＞
なお、本体に第一及び第三のコネクタ以外のコネクタが一つ以上設けられていてもよい。
【０８１７】
なお、遊技盤に第二および第四のコネクタ以外のコネクタが一つ以上設けられていてもよい。
【０８１８】
なお、本体に設けられた部品に第一および第三のコネクタ以外のコネクタが一つ以上設けられていてもよい。
【０８１９】
なお、遊技盤に設けられた部品に第二および第四のコネクタ以外のコネクタが一つ以上設けられていてもよい。
【０８２０】
なお、本体に第一及び第三のコネクタ以外のコネクタが複数設けられていてもよい。
【０８２１】
なお、遊技盤に第二および第四のコネクタ以外のコネクタが複数設けられていてもよい。
【０８２２】
なお、本体に設けられた部品に第一および第三のコネクタ以外のコネクタが複数設けられていてもよい。
【０８２３】
なお、遊技盤に設けられた部品に第二および第四のコネクタ以外のコネクタが複数設けられていてもよい。
【０８２４】
なお、第一〜第四のコネクタ以外のコネクタは、フローティングコネクタであってもよく、また、フローティングコネクタでなくてもよく、例えば、フローティング機構がないものやハーネス接続のコネクタなどの、普通のコネクタであってもよい。
【０８２５】
＜電気的に接続について＞
なお、一方の接続手段が他方の接続手段に差し込まれた状態が電気的に接続状態であってもよい。
【０８２６】
なお、一方の接続手段と他方の接続手段が何らかの結合状態にある状態が電気的に接続状態であってもよい。
【０８２７】
なお、一方の接続手段と他方の接続手段が何らかの固着状態にある状態が電気的に接続状態であってもよい。
【０８２８】
なお、電気的接続とは、一方の接続手段と他方の接続手段との間で電流が流れ得る状態である場合がある。
【０８２９】
＜収容部について＞
なお、本体は、遊技盤を収容可能な収容部を備え、収容部の一端側には、遊技盤を収容部へ収容する場合に遊技盤を支持可能な支持部が設けられていてもよい。
【０８３０】
なお、支持部に支持された遊技盤を収容部へ収容すると、第一のコネクタと第二のコネクタが少なくとも接続可能であるように構成されていてもよい。
【０８３１】
なお、支持部に支持された遊技盤を収容部へ収容すると、第三のコネクタと第四のコネクタが少なくとも接続可能であるように構成されていてもよい。
【０８３２】
＜静電気対策部品について＞
なお、遊技盤の左右の一方にフローティングコネクタ(第二の接続手段、第四の接続手段、第二のコネクタ、第四のコネクタ、コネクタ７０６ａ、７０６ｂ、７０６ｃ)が設けられており、前記左右の他方には、盤側接触部（例えば、静電気対策部品１７００（図３８（ａ）参照））が設けられており、盤側接触部は枠側接触部と接触することで盤側のノイズを枠側接触部（例えば、枠側接続部材１０４ｆ（図２１（ａ）参照））と電気的に接続されている不図示のフレームグラウンド（アース）に逃がすことができるようにしてもよい。
【０８３３】
なお、枠側接触部は、盤側接触部と接触可能な位置に設けられていればよい。
【０８３４】
なお、盤側接触部は、フローティングコネクタの左右方向反対側に設けられていればよく、フローティングコネクタに対する上下方向においては、いずれの位置に設けてもよい場合がある。
【０８３５】
なお、盤側接触部は、フローティングコネクタの反対側に設けられていればよい。
【０８３６】
なお、盤側のノイズは、枠側接触部と接触することによってのみフレームグラウンド（ＦＧ、アース）に逃がすように構成されているものでもよい。
【０８３７】
なお、枠側と盤側との信号のやり取りは、フローティングコネクタ（第二の接続手段、第四の接続手段、第二のコネクタ、第四のコネクタ、コネクタ７０６ａ、７０６ｂ、７０６ｃ）を介してのみ行われるようにしてもよい。
【０８３８】
なお、枠側からの電源供給（電力供給）は、フローティングコネクタ（第二の接続手段、第四の接続手段、第二のコネクタ、第四のコネクタ、コネクタ７０６ａ、７０６ｂ、７０６ｃ）を介してのみ行われるようにしてもよい。
【０８３９】
なお、盤側からのグラウンド（シグナルグラウンド（ＳＧ）、ＦＧを除く）は、フローティングコネクタ（第二の接続手段、第四の接続手段、第二のコネクタ、第四のコネクタ、コネクタ７０６ａ、７０６ｂ、７０６ｃ）を介してのみ行われるようにしてもよい。
【０８４０】
＜遊技台について＞
なお、本件における遊技台は、ぱちんこ機であってもよい。
【０８４１】
本発明の態様は、上述した個々の実施例に限定されるものではなく、個々の実施例の各要素のいかなる組合せも本発明に含み、また、当業者が想到しうる種々の変形も含むものであり、本発明の効果も上述した内容に限定されない。すなわち、特許請求の範囲に規定された内容およびその均等物から導き出される本発明の概念的な思想と趣旨を逸脱しない範囲で種々の追加、変更および部分的削除が可能である。
【産業上の利用可能性】
【０８４２】
本発明に係る遊技台は、ぱちんこ機などに代表される遊技台に適用することができる。
【符号の説明】
【０８４３】
１００  ぱちんこ機
１０２  外枠
１０４  本体
２００  遊技盤
８００  遊技盤固定具
【図１】
2014140574.tif 000003
【図２】
2014140574.tif 000004
【図３】
2014140574.tif 000005
【図４】
2014140574.tif 000006
【図５】
2014140574.tif 000007
【図６】
2014140574.tif 000008
【図７】
2014140574.tif 000009
【図８】
2014140574.tif 000010
【図９】
2014140574.tif 000011
【図１０】
2014140574.tif 000012
【図１１】
2014140574.tif 000013
【図１２】
2014140574.tif 000014
【図１３】
2014140574.tif 000015
【図１４】
2014140574.tif 000016
【図１５】
2014140574.tif 000017
【図１６】
2014140574.tif 000018
【図１７】
2014140574.tif 000019
【図１８】
2014140574.tif 000020
【図１９】
2014140574.tif 000021
【図２０】
2014140574.tif 000022
【図２１】
2014140574.tif 000023
【図２２】
2014140574.tif 000024
【図２３】
2014140574.tif 000025
【図２６】
2014140574.tif 000026
【図２７】
2014140574.tif 000027
【図２８】
2014140574.tif 000028
【図２９】
2014140574.tif 000029
【図３０】
2014140574.tif 000030
【図３１】
2014140574.tif 000031
【図３２】
2014140574.tif 000032
【図３３】
2014140574.tif 000033
【図３４】
2014140574.tif 000034
【図３５】
2014140574.tif 000035
【図３６】
2014140574.tif 000036
【図３７】
2014140574.tif 000037
【図３９】
2014140574.tif 000038
【図４１】
2014140574.tif 000039
【図４２】
2014140574.tif 000040
【図４３】
2014140574.tif 000041
【図４４】
2014140574.tif 000042
【図４５】
2014140574.tif 000043
【図４６】
2014140574.tif 000044
【図４７】
2014140574.tif 000045
【図４８】
2014140574.tif 000046
【図４９】
2014140574.tif 000047
【図５０】
2014140574.tif 000048
【図５１】
2014140574.tif 000049
【図５２】
2014140574.tif 000050
【図５３】
2014140574.tif 000051
【図５４】
2014140574.tif 000052
【図５５】
2014140574.tif 000053
【図５６】
2014140574.tif 000054
【図５７】
2014140574.tif 000055
【図５８】
2014140574.tif 000056
【図５９】
2014140574.tif 000057
【図６０】
2014140574.tif 000058
【図６１】
2014140574.tif 000059
【図６２】
2014140574.tif 000060
【図６３】
2014140574.tif 000061
【図６４】
2014140574.tif 000062
【図６５】
2014140574.tif 000063
【図６６】
2014140574.tif 000064
【図６７】
2014140574.tif 000065
【図６８】
2014140574.tif 000066
【図６９】
2014140574.tif 000067
【図７２】
2014140574.tif 000068
【図７３】
2014140574.tif 000069
【図７４】
2014140574.tif 000070
【図７５】
2014140574.tif 000071
【図７８】
2014140574.tif 000072
【図７９】
2014140574.tif 000073
【図８０】
2014140574.tif 000074
【図８１】
2014140574.tif 000075
【図８２】
2014140574.tif 000076
【図８３】
2014140574.tif 000077
【図８４】
2014140574.tif 000078
【図８６】
2014140574.tif 000079
【図８９】
2014140574.tif 000080
【図９０】
2014140574.tif 000081
【図９１】
2014140574.tif 000082
【図９２】
2014140574.tif 000083
【図９３】
2014140574.tif 000084
【図９４】
2014140574.tif 000085
【図９５】
2014140574.tif 000086
【図９６】
2014140574.tif 000087
【図９７】
2014140574.tif 000088
【図９８】
2014140574.tif 000089
【図９９】
2014140574.tif 000090
【図１００】
2014140574.tif 000091
【図１０１】
2014140574.tif 000092
【図１０２】
2014140574.tif 000093
【図１０３】
2014140574.tif 000094
【図１０４】
2014140574.tif 000095
【図１０５】
2014140574.tif 000096
【図１０６】
2014140574.tif 000097
【図１０７】
2014140574.tif 000098
【図１０８】
2014140574.tif 000099
【図２４】
2014140574.tif 000100
【図２５】
2014140574.tif 000101
【図３８】
2014140574.tif 000102
【図４０】
2014140574.tif 000103
【図７０】
2014140574.tif 000104
【図７１】
2014140574.tif 000105
【図７６】
2014140574.tif 000106
【図７７】
2014140574.tif 000107
【図８５】
2014140574.tif 000108
【図８７】
2014140574.tif 000109
【図８８】
2014140574.tif 000110